(57)【要約】【課題】  高い視覚効果を有する表示体、及び表示体を有する物品を提供すること。【解決手段】  表示体３０は、傾斜面部及び面部を備える溝部または突出部が複数形成された領域を界面４２に複数備えた光透過層４０と、少なくとも傾斜面部に積層された反射層８０と、を備える。少なくとも１つの領域の面部の比表面積が、他の少なくとも１つの領域と異なるっており、少なくとも２つの領域の面部に反射層８０が積層され、少なくとも１つの領域の面部に積層された反射層８０の厚みが、他の少なくとも１つの領域と異なる。【選択図】図２
2018032015.tif 000002
【特許請求の範囲】
【請求項１】
厚み方向に傾斜する平面に形成された傾斜面部、及び、前記傾斜面部に対して交差する平面に沿う面部を具備する溝部または突出部が複数形成された領域を一方の主面に複数備えた光透過層と、
少なくとも前記傾斜面部に積層された反射層と、
を具備し、
前記複数の領域のうち少なくとも１つの領域の前記面部の比表面積は、他の領域のうち少なくとも１つの領域の前記面部の比表面積と異なっており、
前記複数の領域のうち少なくとも２つの領域の前記面部に前記反射層が積層され、少なくとも１つの領域の前記面部に積層された前記反射層の厚みは、他の領域のうち少なくとも１つの領域の前記面部に積層された前記反射層の厚みと異なる
ことを特徴とする表示体。
【請求項２】
前記複数の領域のうち少なくとも１つの領域に形成された前記溝部または前記突出部の前記傾斜面部の法線、及び他の領域のうち少なくとも１つの領域に形成された前記溝部または前記突出部の前記傾斜面部の法線は、平行ではない
ことを特徴とする請求項１の表示体。
【請求項３】
前記複数の領域のうち少なくとも１つの領域の前記面部が沿う前記平面の前記厚み方向に対する傾斜角度は、他の領域のうち少なくとも１つの領域の前記面部が沿う前記平面の前記厚み方向に対する傾斜角度と異なる
ことを特徴とする請求項１または２に記載の表示体。
【請求項４】
前記面部の比表面積は、前記傾斜面部の比表面積よりも大きい
ことを特徴とする請求項１に記載の表示体。
【請求項５】
前記面部は、凹部または凸部の少なくとも一方が形成されている
ことを特徴とする請求項４に記載の表示体。
【請求項６】
前記面部は、の前記光透過層の厚み方向に対する傾斜角度は、０度以上２０度以下の範囲に設定されている
ことを特徴とする請求項１に記載の表示体。
【請求項７】
前記溝部の深さ、または、前記突出部の高さは、前記面部を透過する光により表示される図柄の所望の濃淡に応じて決定される
ことを特徴とする請求項１に記載の表示体。
【請求項８】
前記面部に前記反射層が積層され、
前記面部に積層された前記反射層の厚みは、前記面部を透過した光により表示される図柄の所望の濃淡に応じて決定される
ことを特徴とする請求項１に記載の表示体。
【請求項９】
前記複数の領域のそれぞれに形成された、前記溝部または前記突出部の深さまたは高さは、領域毎に異なる
ことを特徴とする請求項１に記載の表示体。
【請求項１０】
厚み方向に傾斜する平面に形成された傾斜面部、及び、前記傾斜面部に対して交差する平面に沿う面部を具備する溝部または突出部が複数形成された領域を一方の主面に複数備えた光透過層と、少なくとも前記傾斜面部に積層された反射層と、を具備し、前記複数の領域のうち少なくとも１つの領域の前記面部の比表面積は、他の領域のうち少なくとも１つの領域の前記面部の比表面積と異なっており、前記複数の領域のうち少なくとも２つの領域の前記面部に前記反射層が積層され、少なくとも１つの領域の前記面部に積層された前記反射層の厚みは、他の領域のうち少なくとも１つの領域の前記面部に積層された前記反射層の厚みと異なる表示体と、
前記表示体が固定され、かつ、光を透過可能に形成された光透過部と、
を具備することを特徴とする物品。
【請求項１１】
前記複数の領域のうち少なくとも１つの領域に形成された前記溝部または前記突出部の前記傾斜面部の基準面の法線、及び他の領域のうち少なくとも１つの領域に形成された前記溝部または前記突出部の前記傾斜面部の法線は、平行ではない
ことを特徴とする請求項１０に記載の物品。
【請求項１２】
前記複数の領域のうち少なくとも１つの領域の前記面部が沿う前記平面の前記厚み方向に対する傾斜角度は、他の領域のうち少なくとも１つの領域の前記面部が沿う前記平面の前記厚み方向に対する傾斜角度と異なる
ことを特徴とする請求項１０または１１に記載の物品。
【請求項１３】
前記複数の領域のうち少なくとも１つの領域に形成された前記溝部または前記突出部の前記主面に沿って延びる方向が、他の領域のうち少なくとも１つの領域に形成された前記溝部または前記突出部の前記主面に沿って延びる方向とは異なる
ことを特徴とする請求項１に記載の表示体。
【請求項１４】
前記複数の領域のそれぞれに形成された前記溝部または前記突出部の前記傾斜面部は、平行である
ことを特徴とする請求項１に記載の表示体。
【請求項１５】
前記複数の領域のそれぞれに形成された前記溝部または前記突出部の前記傾斜面部の前記厚み方向に対する傾斜角度は、前記傾斜面部により反射される光により表示される図柄の所望の濃淡に応じて決定される
ことを特徴とする請求項１に記載の表示体。
【請求項１６】
前記複数の領域のそれぞれに形成された前記溝部または前記突出部の前記傾斜面部に直交する方向は、前記傾斜面部により反射された光により表示される図柄の所望の濃淡に応じて決定される
ことを特徴とする請求項１に記載の表示体。
【請求項１７】
前記面部の比表面積は、面部を透過した光により表示される図柄の所望の濃淡に応じて決定される
ことを特徴とする請求項３に記載の表示体。
【請求項１８】
前記溝部または前記突出部は、互いに直交する所定の２方向に沿って配置される
ことを特徴とする請求項１に記載の表示体。
【請求項１９】
前記傾斜面部の、前記光透過層の厚み方向に対する傾斜角度は、１度以上４５度以下に設定される
ことを特徴とする請求項１に記載の表示体。
【請求項２０】
前記溝部または前記突出部は、前記傾斜面部及び前記面部が連続し、かつ、前記傾斜面部及び前記面部が、前記主面の前記厚み方向に直交する同一平面まで延びる第１の形状、または、前記傾斜面部及び前記面部が連続し、前記傾斜面部に連続する側面部をさらに有する第２の形状に形成される
ことを特徴とする請求項１に記載の表示体。
【請求項２１】
前記複数の領域の少なくとも１つに形成された前記溝部または前記突出部は、前記第１の形状に形成され、
前記複数の領域の他の少なくとも１つに形成された前記溝部または前記突出部は、前記第２の形状に形成される
ことを特徴とする請求項２０に記載の表示体。
【請求項２２】
前記側面部の比表面積は、前記傾斜面部の比表面積より大きい
ことを特徴とする請求項２０に記載の表示体。
【請求項２３】
前記側面部は、凹部及び凸部の少なくとも一方が形成される
ことを特徴とする請求項２２に記載の表示体。
【請求項２４】
前記凹部または前記凸部は、一方向に延びる形状に形成される
ことを特徴とする請求項５または請求項２３に記載の表示体。
【請求項２５】
厚み方向に傾斜する平面に形成された傾斜面部、及び、前記傾斜面部に連続し、かつ前記傾斜面部に対して交差する平面に沿う面部を具備し、前記傾斜面部及び前記面部が前記厚み方向に直交する同一平面まで延びる第１の形状を有する溝部または突出部が形成された領域、並びに、前記傾斜面部、前記面部、及び、前記傾斜面部に連続する側面部を具備する第２の形状に形成された溝部または突出部が形成された領域を、一方の主面に備えた光透過層と、
少なくとも前記傾斜面部に積層された反射層と、
を具備することを特徴とする表示体。
【発明の詳細な説明】
【技術分野】
【０００１】
本発明は、図柄を表示する表示体、及び、表示体を有する物品に関する。
【背景技術】
【０００２】
有価証券やカード類等の物品に、高い視覚効果を有する表示体を設けることにより、これら物品に高い視覚効果を付すことが行われている（例えば、特許文献１参照。）。
【先行技術文献】
【特許文献】
【０００３】
【特許文献１】特開２００３−２９５７４４号公報
【発明の概要】
【発明が解決しようとする課題】
【０００４】
より高い視覚効果を有する表示体が求められている。そこで、本発明は、高い視覚効果を有する表示体、及び、表示体を有する物品を提供することを目的としている。
【課題を解決するための手段】
【０００５】
本発明の一態様として、表示体は、厚み方向に傾斜する平面に形成された傾斜面部、及び、前記傾斜面部に対して交差する平面に沿う面部を具備する溝部または突出部が複数形成された領域を一方の主面に複数備えた光透過層と、少なくとも前記傾斜面部に積層された反射層と、を備える。前記複数の領域のうち少なくとも１つの領域の前記面部の比表面積は、他の領域のうち少なくとも１つの領域の前記面部の比表面積と異なっており、前記複数の領域のうち少なくとも２つの領域の前記面部に前記反射層が積層され、少なくとも１つの領域の前記面部に積層された前記反射層の厚みは、他の領域のうち少なくとも１つの領域の前記面部に積層された前記反射層の厚みと異なる。
【０００６】
本発明の一態様として、物品は、表示体及び光透過部を備える。前記表示体は、厚み方向に傾斜する平面に形成された傾斜面部、及び、前記傾斜面部に対して交差する平面に沿う面部を具備する溝部または突出部が複数形成された領域を一方の主面に複数備えた光透過層と、少なくとも前記傾斜面部に積層された反射層と、を備える。前記複数の領域のうち少なくとも１つの領域の前記面部の比表面積は、他の領域のうち少なくとも１つの領域の前記面部の比表面積と異なっており、前記複数の領域のうち少なくとも２つの領域の前記面部に前記反射層が積層され、少なくとも１つの領域の前記面部に積層された前記反射層の厚みは、他の領域のうち少なくとも１つの領域の前記面部に積層された前記反射層の厚みと異なる。前記光透過部は、前記表示体が固定され、かつ、光を透過可能に形成されている。
【発明の効果】
【０００７】
本発明によれば、高い視覚効果を有する表示、及び、表示体を有する物品を提供することが可能となる。
【図面の簡単な説明】
【０００８】
【図１】本発明の第１の実施形態に係る表示体を有する物品を示す平面図。
【図２】同物品を示す断面図。
【図３】同表示体を示す平面図。
【図４】同表示体の要部を示す断面図。
【図５】同表示体の面部の変形例を示す断面図。
【図６Ａ】同表示体の面部の変形例を示す断面図。
【図６Ｂ】同表示体の面部の変形例を説明する斜視図。
【図６Ｃ】同表示体の面部に対する基準面を説明する図。
【図６Ｄ】同表示体の面部に対する基準面を説明する図。
【図７】同表示体の要部を示す断面図。
【図８Ａ】同表示体の第４の面部の変形例を示す断面図。
【図８Ｂ】同表示体の第４の面部に対する基準面を説明する図。
【図９】表示体の製造方法を示す断面図。
【図１０】同表示体の製造方法を示す断面図。
【図１１】同表示体の製造方法を示す断面図。
【図１２】同表示体の透過観察を示す斜視図。
【図１３】同表示体の透過観察を示す斜視図。
【図１４】同表示体の透過観察を示す斜視図。
【図１５】同表示体の反射観察を示す斜視図。
【図１６】同表示体の要部を示す断面図。
【図１７】同表示体の要部を示す断面図。
【図１８】同表示体の反射観察を示す斜視図。
【図１９】同表示体の反射観察を示す斜視図。
【図２０】第２の実施形態に係る表示体を有する物品を示す平面図。
【図２１】同物品を示す断面図。
【図２２】同表示体の要部を示す断面図。
【図２３】同表示体の要部を示す断面図。
【図２４】同表示体の要部を示す断面図。
【図２５】同表示体の変形例を示す断面図。
【図２６】同表示体の変形例を示す断面図。
【図２７】同表示体の変形例を示す断面図。
【図２８】同表示体の変形例を示す断面図。
【図２９】同表示体の変形例を示す断面図。
【図３０】本発明の第３の実施形態に係る表示体を有する物品を示す平面図。
【図３１】同表示体を示す平面図。
【図３２】同物品を示す断面図。
【図３３】同表示体の要部を示す断面図。
【図３４】同表示体の第５の溝部２３０を説明する斜視図。
【図３５】同表示体の第５の溝部２３０の変形例を説明する斜視図。
【図３６】同表示体を示す断面図。
【図３７】同第５の溝部２３０の配置の変形例を説明する斜視図。
【図３８】同表示体を示す断面図。
【図３９】同表示体の製造方法を示す断面図。
【図４０】同表示体の製造方法を示す断面図。
【図４１】同表示体の第１４の領域に線光源から光が入射したときの光の透過光について説明する断面図。
【図４２】同表示体の第１５の領域に線光源から光が入射したときの光の透過光について説明する断面図。
【図４３】同表示体の反射観察を示す斜視図。
【図４４】同表示体の反射観察を示す斜視図。
【図４５】同表示体の反射観察を示す斜視図。
【図４６】同表示体の透過観察を示す斜視図。
【図４７】同表示体の透過観察を示す斜視図。
【図４８】同表示体の透過観察を示す斜視図。
【図４９】本発明の第４の実施形態に係る表示体を有する物品を示す平面図。
【図５０】同物品を示す断面図。
【図５０Ａ】同物品を示す断面図。
【図５１】同表示体の変形例を示す断面図。
【図５２】同表示体の変形例を示す断面図。
【図５３】同表示体の変形例を示す断面図。
【図５４】同表示体の変形例を示す断面図。
【図５５】同表示体の変形例を示す断面図。
【発明を実施するための形態】
【０００９】
本発明の第１の実施形態に係る物品１０について、図１乃至図１９を用いて説明する。図１は、物品１０を示す平面図である。図１に示すように、物品１０は、本実施形態では、例えば紙幣である。物品１０は、紙幣本体２０、及び、紙幣本体２０の一方の主面２１上に固定された表示体３０を有している。
【００１０】
紙幣本体２０は、例えばシート状に形成されている。また、紙幣本体２０は、平面視において、長方形状に形成されている。紙幣本体２０は、その外観を規定する縁２２を有している。縁２２は、第１の縁２２ａ、第１の縁２２ａに平行な第２の縁２２ｂ、第１の縁２２ａの一端及び第２の縁２２ｂの一端に連続する第３の縁２２ｃ、並びに、第３の縁２２ｃに平行であり、第１の縁２２ａの他端及び第２の縁２２ｂの他端に連続する第４の縁２２ｄを有している。
【００１１】
紙幣本体２０は、その少なくとも一部が、光を透過可能に形成されている。すなわち、紙幣本体２０の少なくとも一部は、透光性を有している。この、透光性を有する部分の表面に、表示体３０が固定されている。
【００１２】
紙幣本体２０は、本実施形態では、例えば紙を主材料として形成され、数字や図柄等が描かれた本体部２３、及び光を透過可能に形成された光透過部２４を有している。
【００１３】
本体部２３は、第１の部分２５、及び、第２の部分２６を有している。第１の部分２５は、第１の縁２２ａ、第３の縁２２ｃの一部、及び、第４の縁２２ｄの一部を含んでいる。第２の部分２６は、第２の縁２２ｂ、第３の縁２２ｃの一部、及び、第４の縁２２ｄの一部を含んでいる。
【００１４】
本体部２３の表面には、数字５及び図柄６が、視認可能に描かれている。数字５は、紙幣の金額を示す数字である。数字５及び図柄６は、例えば、本体部２３の表面に印刷により描かれている。
【００１５】
光透過部２４は、第１の部分２５及び第２の部分２６間に配置されている。光透過部２４は、本体部２３に対して高い透光性を有している。光透過部２４は、その表面上に、表示体３０を固定可能な大きさを有している。すなわち、光透過部２４は、その内側に、表示体３０を配置可能な大きさを有している。
【００１６】
図２は、物品１０を示す断面図である。図２に示すように、光透過部２４は、第３の縁２２ｃの一部、及び、第４の縁２２ｄの一部を含んでいる。光透過部２４は、透光性を有する材料により形成されている。光透過部２４は、例えば、透明な樹脂材料から形成されている。光透過部２４は、透明であって、さらに、無色である材料で形成されてもよい。
【００１７】
表示体３０は、図１に示すように、紙幣本体２０において透光性を有する部分に固定されている。本実施形態では、表示体３０は、紙幣本体２０の光透過部２４の一方の表面上に固定されている。表示体３０は、光透過部２４の内側に配置されている。
【００１８】
表示体３０は、シート状に形成されている。表示体３０は、平面視で、例えば長方形状に形成されている。表示体３０は、所定の反射観察条件、または、所定の透過観察条件において図柄を表示可能に形成されている。
【００１９】
図３は、表示体３０を示す平面図である。図３に示すように、表示体３０は、本実施形態では、所定の反射観察条件において、第１の図柄Ｇ１、第２の図柄Ｇ２、及び、第３の図柄Ｇ３を表示可能に形成されている。また、表示体３０は、本実施形態では、所定の透過観察条件において、第１の図柄Ｇ１、及び、第２の図柄Ｇ２を表示可能に形成されている。第１の図柄Ｇ１は、例えば、長方形の図柄である。第２の図柄Ｇ２は、例えば、円形の図柄である。第３の図柄Ｇ３は、例えば、三角形の図柄である。
【００２０】
なお、反射観察とは、表示体３０の反射層８０によって反射された光を観察するものである。反射観察は、例えば、表示体３０に対して光透過層４０側から照射された光が反射層８０にて反射することにより表示された図柄を観察するものである。透過観察とは、反射層８０側から照射されて光透過層４０を透過した光を観察するものである。
【００２１】
表示体３０は、図２に示すように、光透過層４０、光透過層４０の一部に積層された反射層８０、並びに、反射層８０、及び光透過層４０において反射層８０が積層されていない部分に積層された接着層９０を有している。
【００２２】
光透過層４０は、光を透過可能な材料から形成されている。光透過層４０は、その構成材料の一例として、光透過性を有する樹脂がある。光透過性を有する樹脂は、たとえば、ポリエチレンテレフタレート、ポリエチレンナフタレート、ポリカーボネイト、酢酸セルロース、酢酸酪酸セルロース、酢酸プロピオン酸セルロース、ニトロセルロース、ポリエチレン、ポリプロピレン、アクリルスチレン共重合体、塩化ビニル、ポリメタクリル酸メチルなどの熱可塑性樹脂がある。また、ポリイミド、ポリアミド、ポリエステルウレタン、アクリルウレタン、エポキシウレタン、シリコーン、エポキシ、メラミン樹脂などの熱硬化性樹脂がある。また、紫外線又は電子線硬化性の、各種アクリルモノマー、エポキシアクリレート、ウレタンアクリレート、ポリエステルアクリレート等のオリゴマー、アクリル基やメタクリル基等を有するアクリルやエポキシ及びセルロース系樹脂などの反応性ポリマーがある。光透過層４０の厚みは、２μｍ以上、５０μｍ以下とすることができる。
【００２３】
光透過層４０の主面４１は、平面に形成されている。また、主面４１は、光透過層４０の厚み方向Ｄに直交する平面に形成されている。
【００２４】
光透過層４０において、反射層８０または接着層９０が積層され面となる界面４２は、第１の図柄Ｇ１を表示可能な第１の領域Ｒ１、第２の図柄Ｇ２を表示可能な第２の領域Ｒ２、第３の図柄Ｇ３を表示可能な第３の領域Ｒ３、及び、領域Ｒ１，Ｒ２，Ｒ３以外の部分となる第４の領域Ｒ４を有している。なお、第４の領域Ｒ４は、光透過層４０の厚み方向Ｄに直交する平面に形成されている。
【００２５】
これら領域Ｒ１，Ｒ２，Ｒ３は、それぞれに、反射層８０から離れる方向に凹んだ溝部、または、反射層８０側に突出した突出部が形成されている。これら溝部または突出部は、光透過層４０の厚み方向Ｄに傾斜する平面に形成された傾斜面部、及び、傾斜面部に対して交差する平面に沿う面部を有している。
【００２６】
これら、溝部または突出部は、傾斜面部に、反射を目的とする反射層８０が積層されるとともに、以下の条件１及び条件２を満たすように形成されている。さらに、好ましくは、条件３及び条件４を満たすように形成されている。
【００２７】
条件１：領域Ｒ１，Ｒ２，Ｒ３のうち少なくとも１つの領域の面部は、他の領域のうち少なくとも１つの領域の面部に対して、その比表面積が異なる。すなわち、複数の領域のうち少なくとも１つの領域の面部の比表面積は、他の領域のうち少なくとも１つの領域の面部の比表面積と異なる。
【００２８】
条件２：領域Ｒ１，Ｒ２，Ｒ３のうち少なくとも１つの領域の面部に積層された反射層８０の厚みは、他の領域のうち少なくとも１つの領域の面部に積層された反射層８０の厚みと異なる。すなわち、複数の領域のうち少なくとも２つの領域の面部に反射層が積層され、少なくとも１つの領域の面部に積層された反射層の厚みは、他の領域のうち少なくとも１つの領域の面部に積層された反射層の厚みと異なる。
【００２９】
条件３：領域Ｒ１，Ｒ２，Ｒ３のうち少なくとも１つの領域の面部の沿う方向が、他の領域のうち少なくとも１つの領域の面部の沿う方向と異なる。すなわち、面部の光透過層４０の厚み方向Ｄに対する傾斜角度が異なる。さらに言い換えると、複数の領域のうち少なくとも１つの領域の面部が沿う平面の厚み方向に対する傾斜角度は、他の領域のうち少なくとも１つの領域の面部が沿う平面の厚み方向に対する傾斜角度と異なる。
【００３０】
条件４：領域Ｒ１，Ｒ２，Ｒ３のうち少なくとも１つの領域に形成された傾斜面部の法線、及び他の領域のうち少なくとも１つの領域に形成された傾斜面部の法線は、平行ではない。すなわち、複数の領域のうち少なくとも１つの領域に形成された溝部または突出部の傾斜面部の法線が延びる方向は、他の領域のうち少なくとも１つの領域に形成された溝部または突出部の傾斜面部の法線が延びる方向とは異なる。なお、ここで言う傾斜面部の法線は、傾斜面部に直交する方向に平行な線である。
【００３１】
本実施形態では、領域Ｒ１，Ｒ２，Ｒ３に形成される溝部または突出部は、上記条件１、条件２、及び条件３を満たすように形成されている。
【００３２】
第１の領域Ｒ１は、その外郭線は、第１の図柄Ｇ１と同様の形状を有している。すなわち、第１の領域Ｒ１の外郭線は、長方形である。第１の領域Ｒ１の外郭線は、４つの辺を有し、これら４つの辺は、表示体３０の外郭線を構成する４つの辺に平行である。
【００３３】
第１の領域Ｒ１には、複数の第１の溝部５０が形成されている。これら第１の溝部５０は、全て同じ形状である。第１の溝部５０の内面の一部には反射層８０が積層されており、残りの部分には反射層は積層されていない。
【００３４】
なお、図２では説明の為、２つの第１の溝部５０が、誇張して大きく描かれている。しかしながら、実際には、第１の溝部５０は小さいものであり、かつ、２つ以上のより多数が形成されている。なお、第１の溝部５０の数は限定されない。
【００３５】
第１の領域Ｒ１内に形成された第１の溝部５０の内面の一部に積層された反射層８０で反射した光により、第１の図柄Ｇ１が表示される。また、第１の領域Ｒ１に形成された第１の溝部５０の内面において反射層８０が積層されていない部分を透過した光により、第１の図柄Ｇ１が表示される。
【００３６】
図３は、第１の領域Ｒ１の外郭線を２点鎖線で示しており、かつ、第１の領域Ｒ１に形成された第１の溝部５０を誇張して大きく描いている。第１の溝部５０の幅は、実際には小さいものである。第１の溝部５０は、図３に示すように、直線状に延びている。本実施形態では、第１の溝部５０は、紙幣本体２０の短手方向に平行な第１の方向Ｖ１に平行に延びている。
【００３７】
図４は、表示体３０の要部を示す断面図である。図４は、具体的には、第１の溝部５０及びその周辺を、第１の方向Ｖ１に直交する断面に沿って切断した状態を示す断面である。図４に示すように、第１の溝部５０は、内面により形成される形状がＶ字形状となる形状を有している。第１の溝部５０の深さは、本実施形態では、一例として一定である。
【００３８】
第１の溝部５０は、光透過層４０の厚み方向Ｄに対して傾斜する平面である第１の面部（傾斜面部）５１、及び、光透過層４０の厚み方向Ｄに沿う第２の面部（面部）５２を有している。第１の面部５１は、界面４２の第４の領域Ｒ４の平面の延長面との間の角度が鈍角となる平面である。
【００３９】
第１の面部５１の比表面積は、１となる。ここで、比表面積について、説明する。比表面積は、面部の面積を、面部に対して設定される基準面で除算した値である。基準面は、面部が平面である場合は、この面部と同形状でありかつ同面積の平面となる。面部が平面ではない場合、面部を平坦に置換した、平滑な面（平面）となる。例えば、面部が凹凸構造を有する場合では、この凹凸構造を平坦にならした面が、この面部に対する基準面となる。
【００４０】
実際に顕微鏡での第１の面部５１の測定結果から基準面を定義する際には、顕微鏡で観察された第１の溝部５０を１次近似し平準化した平面を基準面とすることができる。
【００４１】
第１の面部５１は、平面であり、かつ、第１の溝部５０の深さは、一定である。第１の溝部５０の配列方向及び第１の溝部５０が延びる方向に平行な平面は、第１の面部５１に平行な平面となる。この為、第１の面部５１に対する基準面は、第１の面部５１に平行な平面となるので、第１の面部５１の比表面積は１である。
【００４２】
第２の面部５２は、第１の面部５１に交差する平面に沿う。本実施形態では、第２の面部５２は、第１の面部５１に交差する方向の一例として光透過層４０の厚み方向Ｄに沿う。なお、方向に沿うとは、第２の面部５２が平面である場合は、方向に平行であることであり、第２の面部５２が平面ではない場合は、その延びる方向が、平面の延びる方向に一致することである。
【００４３】
第２の面部５２は、第１の面部５１の比表面積よりも大きな比表面積を有している。具体的には、第２の面部５２は、その比表面積が、１．５以上となるように形成されている。本実施形態では、第１の面部５１の比表面積は、１なので、第２の面部５２の比表面積は、第１の面部５１の比表面積の１．５倍以上に形成されている。第２の面部５２は、その比表面積が第１の面部５１の比表面積より大きくなるように、例えば、複数の凹部５３を有している。第２の面部５２は、複数の凹部５３を有することにより、隣接する凹部５３間に凸部５４を有する。
【００４４】
凹部５３及び凸部５４は、本実施形態では、第１の方向Ｖ１に、第２の面部５２の一端から他端まで伸びている。凹部５３は、一例として、その断面形状が、角部が９０度となる形状に形成されている。また、凹部５３は、一例として、全て同じ形状に形成されている。凸部５４は、一例として、その断面形状が、角部が９０度となる形状に形成されている。また、凸部５４は、一例として、全て同じ形状に形成されている。
【００４５】
なお、凹部５３及び凸部５４は、図４に示すように、その角部が９０度に形成されることに限定されない。図５は、第２の面部５２に形成された凹部５３及び凸部５４の変形例を示す断面図である。
【００４６】
凹部５３及び凸部５４は、図５（ａ）に示すように、曲面により形成されてもよい。または、凹部５３及び凸部５４は、図５（ｂ）に示すように、断面形状が、１つの頂点を有する形状であってもよい。すなわち、凹部５３及び凸部５４は、その断面形状が略三角形状に形成されてもよい。または、凹部５３及び凸部５４は、図５（ｃ）に示すように、全て同じ形状でなくてもよい。図５（ｃ）では、凹部５３は、少なくとも一部が異なる形状を有し、かつ、凸部５４は、少なくとも一部が異なる形状を有している。
【００４７】
また、凹部５３及び凸部５４は、第１の溝部５０の長手方向に沿って延びる形状に限定されない。図６Ａは、表示体３０の要部の変形例を示す断面図である。図６Ａは、具体的には、第１の溝部５０及びその周辺を、光透過層４０の厚み方向Ｄに直交する断面に沿って切断した状態を示している。図６Ａに示すように、凹部５３及び凸部５４は、第２の面部５２に、第１の溝部５０の長手方向となる第１の方向Ｖ１に複数並んで配置されても良い。
【００４８】
図６Ｂは、表示体３０の要部の変形例を示す斜視図である。具体的には、図６Ｂは、第１の溝部５０の第２の面部５２の変形例を示す為に、１つの第１の溝部５０の第１の面部５１に積層された反射層８０、並びに、反射層８０及び第２の面部５２に積層された接着層９０を示している。すなわち、図６Ｂは、１つの第１の溝部５０の変形例に対応した反射層８０及び接着層９０を示すことにより、第１の面部５１及び第２の面部５２を説明する。
【００４９】
図６Ｂに示すように、第２の面部５２は、第１の溝部５０の延びる方向となる第１の方向に周期的に屈曲する曲面に形成されてもよい。すなわち、曲面に形成された凹部５３、及び曲面に形成された凸部５４を、第１の方向Ｖ１に連続して有する形状であってもよい。これら凹部５３及び凸部５４は、第１の溝部５０の深さ方向となる光透過層４０の厚み方向Ｄに延びている。
【００５０】
第２の面部５２は、複数の凹部５３及び複数の凸部５４を有することにより、その比表面積が第１の面部５１の比表面積よりも大きくなる。
【００５１】
ここで、第２の面部５２の比表面積について、具体的に説明する。まず、第２の面部５２に対する基準面について、図６Ｃ及び図６Ｄを用いて説明する。図６Ｃは、図４に示す第１の溝部５０の第２の面部５２に対する基準面Ｚ２を説明する図である。図６Ｄは、図６Ｂに示す第１の溝部５０の変形例の第２の面部５２に対する基準面Ｚ２を説明する図である。
【００５２】
図６Ｃ及び図６Ｄでは、説明の為、光透過層４０、反射層８０、及び接着層９０は省略しており、第１の面部５１及び第２の面部５２のみ示している。また、図６Ｃ及び図６Ｄ中では、第１の溝部５０は、説明の為に１つのみ示している。また、図６Ｃ及び図６Ｄでは、第１の溝部５０の第１の方向Ｖ１に沿う長さは、説明の為、短く示されている。
【００５３】
図６Ｃに示すように第２の面部５２の基準面Ｚ２は、第２の面部５２の凹部５３及び凸部５４が形成されていないと仮定した場合の第２の面部５２となる。すなわち、図６Ｃに示す第２の面部５２の基準面Ｚ２は、光透過層４０の厚み方向Ｄ及び第１の方向Ｖ１に平行な平面となる。
【００５４】
第２の面部５２の比表面積Ａ１は、第２の面部５２の面積をＳ１とし、基準面Ｚ２の面積をＳ２とすると、Ａ１＝Ｓ１／Ｓ２となる。
【００５５】
次に、図６Ｄを用いて、図６Ｂに示す第１の溝部５０の変形例の第２の面部５２に対する基準面Ｚ２について、説明する。図６Ｄに示すように、第２の面部５２は、周期的に同形状の曲面が並ぶ形状である。図６Ｂに示す第１の溝部５０の変形例の第２の面部５２の基準面Ｚ２は、第２の面部５２が、周期的に同形状が並ぶ曲面が平坦にされたと仮定した平面となる。この為、図６Ｂに示す第１の溝部５０の変形例においても、第２の面部５２の基準面Ｚ２は、厚み方向Ｄ及び第１の方向Ｖ１に平行な平面となる。
【００５６】
第１の溝部５０は、第１の方向Ｖ１に直交する断面において、第１の面部５１の縁から第２の面部５２の縁までの長さが一例として５μｍ以上であってかつ５０μｍ以下の長さであり、深さが一例として１μｍ以上であってかつ１５μｍ以下の深さである。
【００５７】
第１の方向Ｖ１に直交する断面において、第１の面部５１の縁から第２の面部５２の縁までの長さを５μｍ未満とすると、透過観察の際に回折光が射出される為、表示体３０全体が虹色に表示され、領域毎に図柄を表示できなくなる。さらに、第１の方向Ｖ１に直交する断面において、第１の面部５１の縁から第２の面部５２の縁までの長さを５０μｍより大きくすると、第１の溝部５０の構造が、観察者に肉眼で認識される虞がある。この為、上述のように、５μｍ以上であってかつ５０μｍ以下の長さとなっている。
【００５８】
第１の溝部５０の深さを１μｍ未満とすると、第１の溝部５０においてを光が透可能な部分の面積が小さく、それゆえ十分に光が透過できず、観察者による透過観察が困難になる。さらに、第１の溝部５０の深さを１５μｍより大きくとすると、第１の溝部５０を形成することが困難となる。この為、第１の溝部５０は、上述のように、第１の方向Ｖ１に直交する断面において、第１の面部５１の縁から第２の面部５２の縁までの長さが一例として５μｍ以上であってかつ５０μｍ以下の長さであり、深さが一例として１μｍ以上であってかつ１５μｍ以下の深さに形成されている。
【００５９】
本実施形態では、さらに、アスペクト比が０．５以上であってかつ１．５以下の範囲となるように形成されている。ここで言うアスペクト比は、第１の方向Ｖ１に直交する断面において、第１の面部５１の縁から第２の面部５２の縁までの長さに対する第１の溝部５０の深さの割合であり、第１の面部５１の縁から第２の面部５２の縁までの長さをＡ１とし、第１の溝部５０の深さをＡ２とすると、Ａ２／Ａ１で表される。アスペクト比を０．５以上であってかつ１．５以下とすることにより、第１の溝部５０の形成のしやすさを確保しつつ、第１の溝部５０を透過する光を十分なものとすることができる。ここで言う、十分なものとは、観察者が観察するに十分であるということである。
【００６０】
本実施形態では、第１の溝部５０は、図２に示すように、その幅方向に複数隣接して配置されている。光透過層４０の界面４２において接する第１の溝部５０は、互いに連続して形成されている。すなわち、第１の溝部５０の第２の面部５２は、隣接する第１の溝部５０の第１の面部５１に連続している。
【００６１】
または、隣接する第１の溝部５０どうしが離れていてもよい。すなわち、第１の溝部５０の第２の面部５２の縁と、隣接する第１の溝部５０の第１の面部５１の縁との間に、第１の面部５１及び第２の面部５２とは異なる面部が形成されてもよい。この面部は、例えば、光透過層４０の厚み方向Ｄに直交する平面に形成されてもよい。
【００６２】
この場合、この面部の幅は、なるべく小さく形成されることが好ましい。これは、この面部に反射層８０が積層されることにより、第１の領域Ｒ１を通して透過観察をすると、第１の図柄Ｇ１が暗く表示される可能性がある為である。
【００６３】
第２の領域Ｒ２は、図３に示すように、その外郭線は、第２の図柄Ｇ２と同様の形状を有している。すなわち、第２の領域Ｒ２の外郭線は、円形である。第２の領域Ｒ２は、第１の領域Ｒ１に並んで配置されている。
【００６４】
第２の領域Ｒ２内には、複数の第２の溝部６０が形成されている。これら第２の溝部６０は、全て同じ形状である。第２の溝部６０の内面の一部には反射層８０が積層されており、残りの部分には反射層は積層されていない。なお、図２では説明の為、３つの第２の溝部６０が誇張して大きく描かれている。第２の溝部６０は、実際には小さいものであり、かつ、３つ以上の多数が形成されている。なお、第２の溝部６０の数は限定されない。第２の溝部６０は、第１の溝部５０に対して、上述の条件１及び条件３を満たすように形成されている。
【００６５】
第２の領域Ｒ２に形成された第２の溝部６０の内面の一部に積層された反射層８０で反射した光により、第２の図柄Ｇ２が表示される。また、第２の領域Ｒ２に形成された第２の溝部６０の内面において反射層８０が積層されていない部分を透過した光により、第２の図柄Ｇ２が表示される。
【００６６】
図３は、第２の領域Ｒ２の外郭線を２点鎖線で示しており、かつ、第２の領域Ｒ２に形成された第２の溝部６０を誇張して大きく描いている。第２の溝部６０の幅は、実際には、小さいものである。第２の溝部６０は、図３に示すように、直線状に延びている。本実施形態では、第２の溝部６０は、第１の方向Ｖ１に平行に延びている。また、第２の溝部６０の長手方向両端は、第２の領域Ｒ２の外郭線まで延びている。
【００６７】
図７は、表示体３０の要部を示す断面図である。図７は、具体的には、第２の溝部６０及びその周辺を、第１の方向Ｖ１に直交する断面に沿って切断した状態を示す断面である。図７に示すように、第２の溝部６０は、内面により形成される形状がＶ字形状となる形状を有している。第２の溝部６０の深さは、本実施形態では、一例として一定である。
【００６８】
第２の溝部６０の内面は、光透過層４０の厚み方向Ｄに対して傾斜する平面である第３の面部（傾斜面部）６１、及び第３の面部６１に交差する平面に沿う第４の面部６２（面部）を有している。第２の溝部６０の深さは、第１の溝部５０の深さと同じである。
【００６９】
第３の面部６１は、界面４２の第４の領域Ｒ４の平面の延長面との間の角度が鈍角となる平面である。本実施形態では、第３の面部６１は、例えば、第１の領域Ｒ１に形成された第１の溝部５０の第１の面部５１と平行な平面に形成されている。
【００７０】
第３の面部６１の比表面積は、第１の面部５１と同様に、１となる。
【００７１】
第４の面部６２は、第３の面部６１に交差する平面に沿う面に形成されている。第４の面部６２は、例えば、光透過層４０の厚み方向Ｄに対して傾斜し、かつ、第４の領域Ｒ４の平面の延長面と間になす角度が鈍角となる第２の方向Ｖ２に沿っている。なお、平面に沿うとは、第４の面部６２が平面である場合は、面部６２は前記平面に平行であり、第４の面部６２が平面ではない場合は、その第４の面部６２を１次近似し平準化した面が平面と平行となる。第４の面部６２が、第２の方向Ｖ２に沿うことにより、第２の面部５２の光透過層４０の厚み方向Ｄに対する角度が、第４の面部６２の光透過層４０の厚み方向Ｄに対する角度とことなることなり、上述の条件４が満たされることとなる。
【００７２】
第４の面部６２は、第３の面部６１の比表面積よりも大きな比表面積を有している。第４の面部６２の比表面積は、１．５以上となるように形成されている。本実施形態では、第３の面部６１の比表面積は１なので、第４の面部６２の比表面積は、第３の面部６１の比表面積の１．５倍以上となる。
【００７３】
第４の面部６２は、その比表面積が第３の面部６１の比表面積より大きくなるように、例えば、複数の凹部６３を有している。第４の面部６２は、複数の凹部６３を有することにより、隣接する凹部６３間に凸部６４を有する。
【００７４】
凹部６３及び凸部６４は、本実施形態では、第１の方向Ｖ１に沿って第４の面部６２の一端から他端まで延びている。凹部６３は、一例として、その断面形状が、角部が９０度となる形状に形成されている。また、凹部６３は、一例として、全て同じ形状に形成されている。凸部６４は、一例として、その断面形状が、角部が９０度となる形状に形成されている。また、凸部６４は、一例として、全て同じ形状に形成されている。
【００７５】
なお、凹部６３及び凸部６４は、その角部が９０度に形成されることに限定されない。凹部６３及び凸部６４は、第１の溝部５０の第２の面部５２に形成された凹部５３及び凸部５４と同様に、その断面形状が、曲面、三角形状に形成されてもよい。または、凹部６３及び凸部６４は、全てが同じ形状でなくてもよい。または、凹部６３及び凸部６４は、図６Ａ及び図６Ｂに示された凹部５３及び凸部５４のように、第２の溝部６０の長手方向となる第１の方向Ｖ１に並んで配置されてもよい。
【００７６】
または、第２の溝部６０の第４の面部６２に形成される凹部６３は、光透過層４０に対して第４の面部６２が沿う方向に直交する方向に凹むことに限定されない。図８Ａは、表示体３０の要部を示す断面図である。図８Ａは、具体的には、第２の溝部６０及びその周辺の変形例を示す断面図である。図８Ａに示すように、第２の溝部６０の第４の面部６２に形成された凹部６３は、光透過層４０の厚み方向Ｄに凹む形状であってもよい。
【００７７】
第４の面部６２は、複数の凹部６３及び複数の凸部６４を有することにより、その比表面積が第３の面部６１の比表面積よりも大きい。また、第４の面部６２は、その比表面積が、一例として、第２の面部５２の比表面積より小さい。
【００７８】
ここで、第４の面部６２の比表面積について、具体的に説明する。まず、第４の面部６２に対する基準面について、図８Ｂを用いて説明する。図８Ｂは、図７に示す第２の溝部６０の第４の面部６２に対する基準面Ｚ４を説明する図である。
【００７９】
図８Ｂでは、説明の為、光透過層４０、反射層８０、及び接着層９０は省略しており、第３の面部６１及び第４の面部６２のみ示している。また、図８Ｂでは、第２の溝部６０は、説明の為に１つのみ示している。また、図８Ｂでは、第２の溝部６０の第１の方向Ｖ１に沿う長さは、説明の為、短く示されている。図８Ｂに示すように、第４の面部６２の基準面Ｚ４は、第４の面部６２に凹部６３及び凸部６４が形成されていないと仮定した場合の平面となる。
第４の面部６２の基準面Ｚ４は、光透過層４０の厚み方向Ｄに対して傾斜するとともに第１の方向Ｖ１に平行な平面となる。
【００８０】
第４の面部６２の比表面積Ａ２は、第４の面部６２の面積をＳ３とし、基準面Ｚ４の面積をＳ４とすると、Ａ２＝Ｓ３／Ｓ４となる。
【００８１】
第２の溝部６０は、第１の溝部５０と同様の理由により、第１の方向Ｖ１に直交する断面において、第３の面部６１の縁から第４の面部６２の縁までの長さが一例として５μｍ以上であってかつ５０μｍ以下の長さであり、深さが一例として１μｍ以上であってかつ１５μｍ以下の深さである。さらに、好ましくは、そのアスペクト比が、第１の溝部５０と同様の理由により、０．５以上であってかつ１．５以下となっている。
【００８２】
本実施形態では、第２の溝部６０は、その幅方向に複数隣接して配置されている。光透過層４０の界面４２において隣接する第２の溝部６０は、互いに連続して形成されている。すなわち、第２の溝部６０の第４の面部６２は、隣接する第２の溝部６０の第３の面部６１に連続している。
【００８３】
または、隣接する第２の溝部６０どうしが離れていてもよい。すなわち、第２の溝部６０の第４の面部６２の縁と、隣接する第２の溝部６０の第３の面部６１の縁との間に第３の面部６１及び第４の面部６２とは異なる面部が形成されてもよい。この面部は、例えば、光透過層４０の厚み方向Ｄに直交する平面に形成されてもよい。
【００８４】
この場合、この面部の幅は、なるべく小さく形成されることが好ましい。これは、この面部に反射層８０が積層されることにより、第２の領域Ｒ２を通して透過観察をすると、第２の図柄Ｇ２が暗く表示される可能性がある為である。
【００８５】
第３の領域Ｒ３は、図３に示すように、その外郭線は、第３の図柄Ｇ３と同様の形状を有している。すなわち、第３の領域Ｒ３の外郭線は、三角形である。第３の領域Ｒ３は、第２の領域Ｒ２に並んで配置されている。
【００８６】
第３の領域Ｒ３には、図２に示すように、複数の第３の溝部７０が形成されている。これら第３の溝部７０は、全て同じ形状である。第３の溝部７０の全域には反射層８０が積層されている。なお、図２では説明の為、２つの第３の溝部が、誇張して大きく描かれている。しかしながら、第３の溝部７０は、実際には小さいものであり、かつ、２つ以上の多数が形成されている。なお、第３の溝部７０の数は限定されない。
【００８７】
第３の領域Ｒ３に形成された第３の溝部７０に積層された反射層８０で反射した光により、第３の図柄Ｇ３が表示される。図３は、第３の領域Ｒ３の外郭線を２点鎖線で示しており、かつ、第３の領域Ｒ３内に形成された第３の溝部７０を誇張して大きく描いている。実際には、第３の溝部７０の幅は、小さいものである。第３の溝部７０は、図３に示すように、直線状に延びている。本実施形態では、第３の溝部７０は、第１の方向Ｖ１に平行に延びている。また、第３の溝部７０の長手方向両端は、第３の領域Ｒ３の外郭線まで延びている。
【００８８】
第３の溝部７０は、図２に示すように、その延びる方向に直交する断面では、内面により形成される形状がＶ字形状となる形状を有している。第３の溝部７０の深さは、第１の溝部５０の溝部の深さと同じである。第３の溝部７０は、光透過層４０の厚み方向Ｄに対して傾斜する平面である第５の面部（傾斜面部）７１、及び、光透過層４０の厚み方向Ｄに平行な平面である第６の面部（面部）７２を有している。
【００８９】
第５の面部７１は、第４の領域Ｒ４の平面の延長面との間の角度が鈍角となる平面である。本実施形態では、第５の面部７１は、例えば、第１の面部５１と平行な平面に形成されている。
【００９０】
第５の面部７１は平面であるので、第５の面部７１の比表面積は、１である。第６の面部７２は平面であるので、第６の面部７２の比表面積は、１である。
【００９１】
第３の溝部７０は、後述されるようにその全面に反射層８０が積層される為、透過観察により図柄を表示することはないが、一例として、第１の方向Ｖ１に直交する断面において、第５の面部７１の縁から第６の面部７２の縁までの長さが一例として５μｍ以上であってかつ５０μｍ以下の長さであり、深さが一例として１μｍ以上であってかつ１５μｍ以下の深さである。さらに、好ましくは、そのアスペクト比が、第１の溝部５０と同様の理由により、０．５以上であってかつ１．５以下となっている。このように形成されることにより、第３の溝部７０の形成しやすさを確保しつつ、観察者が肉眼でその溝部の形状を認識することを防止できる。
【００９２】
本実施形態では、第３の溝部７０は、その幅方向に複数隣接して配置されている。隣接する第３の溝部７０は、互いに連続して形成されている。すなわち、第３の溝部７０の第６の面部７２は、隣接する第３の溝部７０の第５の面部７１に連続している。
【００９３】
または、隣接する第３の溝部７０どうしが離れていてもよい。すなわち、第３の溝部７０の第６の面部７２の縁と、隣接する第２の溝部６０の第５の面部７１の縁との間に第５の面部７１及び第６の面部７２とは異なる面部が形成されてもよい。この面部は、例えば、光透過層４０の厚み方向Ｄに直交する平面に形成されてもよい。
【００９４】
反射層８０は、図２に示すように、第１の領域Ｒ１の一部、第２の領域Ｒ２の一部、第３の領域Ｒ３の全域、及び、第４の領域Ｒ４の全域に積層されている。反射層８０は、その材料として例えばアルミニウムが用いられている。他の例では、反射層８０は、アルミニウム、銀、錫、クロム、ニッケル、銅、及び金のいずれか１つの金属、又は、これら複数の金属の少なくとも２つを有する合金により形成されてもよい。反射層８０の厚みは、３０ｎｍ以上１００ｎｍ以下であることが好ましい。反射層８０の厚みが３０ｎｍ未満（薄い）であると、反射層８０の透過率が高く、画像のコントラストが低下する。反射層８０の厚みが１００ｎｍより大きい（厚い）場合には、溝部（第１の溝部５０及び第２の溝部６０）にも反射層８０が形成されることにより、反射層８０を透過する光（透過光）が減少する。
【００９５】
より具体的には、反射層８０は、第１の領域Ｒ１においては、少なくとも第１の面部５１に積層されている。本実施形態では、反射層８０は、第１の領域Ｒ１においては、例えば第１の面部５１にのみ積層されている。第１の面部５１に積層された反射層８０は、光を反射することを目的として形成される。第１の面部５１に積層された反射層８０は、例えば、当該反射層８０に照射された光の１０パーセント以下の光のみ透過するように形成されている。第１の面部５１に積層された反射層８０は、例えば、５０ｎｍの厚みを有している。
【００９６】
反射層８０は、第２の領域Ｒ２においては、少なくとも第３の面部６１に積層されている。本実施形態では、反射層８０は、第２の領域Ｒ２においては、第３の面部６１及び第４の面部６２に積層されている。第３の面部６１に積層された反射層８０は、光を反射することを目的として形成される。第３の面部６１に積層された反射層８０は、例えば、当該反射層８０に照射された光の１０パーセント以下の光のみ透過するように形成されている。第３の面部６１に積層された反射層８０は、例えば、５０ｎｍの厚みを有している。第４の面部６２に積層された反射層８０は、第４の面部６２を透過した光が観察者により観察可能となる厚みを有している。第４の面部６２に積層された反射層８０の厚みは、入射した光の２０以上の光を透過するように形成されている。第４の面部６２に積層された反射層８０の厚みは、例えば、３０ｎｍである。
【００９７】
なお、本実施形態においては、光を反射することを目的として形成された反射層８０の厚みは、例えば、一定である。すなわち、第２の領域Ｒ２の第２の溝部６０の第４の面部６２に積層された反射層８０を除いて、第３の領域Ｒ３に積層された反射層８０の厚みも第１の領域Ｒ１及び第２の領域Ｒ２（第３の面部６１）に積層された反射層８０の厚みと同じであり、光を反射することを目的として積層されている。また、第３の領域Ｒ３に積層された反射層８０、及び第４の領域Ｒ４に積層された反射層８０も、光を反射することを目的として積層されている。
【００９８】
接着層９０は、図２に示すように、光透過層４０において反射層８０が積層されていない部分、及び、反射層８０に積層されている。接着層９０は、紙幣本体２０の光透過部２４に固定可能に形成されている。接着層９０は、光を透過可能な材料から形成されている。接着層９０は、例えば、透明である。また、接着層９０は、例えば、無色である。
【００９９】
次に、表示体３０の製造方法の一例について、説明する。まず、溝部５０，６０，７０が形成される前の光透過層４０を、樹脂などの材料に対して切削機やレーザー描画機により下加工を施すことにより形成する。
【０１００】
次に、溝部５０，６０，７０が形成される前の光透過層４０に対して、例えば電鋳により形成された、溝部５０，６０，７０に対応する凸部が形成された金属板を、加圧して押し付け、その後に剥離する。このように、金属板を押し付けるとともにその後に剥離することにより、金属板の凸部が光透過層４０に転写され、溝部５０，６０，７０が形成される。
【０１０１】
なお、第１の溝部５０の第２の面部５２に形成された凹部５３は、金属板などを押し付けることにより第１の溝部５０が形成された後に、例えば機械加工やエッチングにより形成されてもよい。第２の溝部６０の第４の面部６２に形成された凹部６３も同様に形成されてもよい。
【０１０２】
なお、凹部５３及び凹部６３が、図６Ａ，６Ｂ，８Ａに示すように、光透過層４０の厚み方向Ｄに延びる形状である場合は、凹部５３及び凹部６３に応じた凸部が形成された金属板を用いることにより、凹部５３及び凹部６３を、第１の溝部５０及び第２の溝部６０と同時に形成することができる。
【０１０３】
反射層８０は、例えば、溝部５０、６０，７０が形成された光透過層４０に対して真空蒸着法を用いて形成することができる。図９は、真空蒸着法により、反射層８０を形成する製造方法を示す概略図である。
【０１０４】
図９に示すように、真空蒸着法を用いて反射層８０を形成する場合には、真空蒸着装置１００が用いられる。真空蒸着装置１００は、反射層８０を形成する蒸着材料１０１を気化または昇華させるとともに、気体となった蒸着材料１０１を、光透過層４０に付着させて膜を形成可能に構成されている。この膜により、反射層８０が形成される。真空蒸着装置１００は、蒸着材料１０１を気化または昇華させるるつぼ１０２を有している。光透過層４０は、溝部５０，６０、７０をるつぼ１０２に向けた姿勢で、真空蒸着装置１００に対して設置される。
【０１０５】
図１０は、真空蒸着法により光透過層４０に蒸着材料１０１による膜１０３が形成された状態を示している。なお、図１０では、第２の領域Ｒ２に形成された膜１０３を一例として示している。
【０１０６】
第１の領域Ｒ１では、第２の面部５２に形成された蒸着材料１０１による膜１０３は、第１の面部５１に形成された膜１０３より薄い。第２の領域Ｒ２では、図１０に示すように、第４の面部６２に形成された蒸着材料１０１による膜１０３は、第３の面部６１に形成された膜１０３よりも薄い。
【０１０７】
これは、第２の面部５２の比表面積が、第１の面部５１の比表面積よりも大きい為、第２の面部５２の単位表面積当たりの蒸着材料１０１の蒸着量が、第１の面部５１の単位表面積当たりの蒸着材料１０１の蒸着量より少なくなる為である。同様に、第４の面部６２の比表面積が、第３の面部６１の比表面積よりも大きいため、第４の面部６２の単位表面積当たりの蒸着材料の蒸着量が、第３の面部６１の単位面積当たりの蒸着材料１０１の蒸着量よりも少なくなる為である。
【０１０８】
第２の面部５２の比表面積が第１の面部５１の比表面積の１．５倍以上であることにより、第２の面部５２に形成される膜１０３の厚みは、第１の面部５１に形成される膜１０３の厚みの０．６７倍以下となる。第４の面部６２の比表面積が第３の面部６１の比表面積の１．５倍以上であることにより、第４の面部６２に形成される膜１０３の厚みは、第３の面部６１に形成される膜１０３の厚みの０．６７倍以下の厚みとなる。
【０１０９】
第１の面部５１及び第３の面部６１が、それぞれの延びる方向が互いに平行であり、同じ形状であり、及び同じ比表面積を有することにより、第１の面部５１及び第３の面部６１に、反射を目的とする、光の透過率が１０パーセント以下となる十分な厚みの膜１０３を形成した場合、第２の面部５２に形成された膜１０３の厚みは、第１の面部５１及び第３の面部６１に形成された膜１０３の厚みの０．６７倍の厚みの膜１０３が形成される。０．６７倍の厚みの膜１０３は、本実施形態では、光の透過率が２０パーセント以上となる。なお、反射層８０は、例えば、スパッタリングにより形成されてもよい。第２の溝部６０の第４の面部６２の比表面積は、第１の溝部５０の第２の面部５２の比表面積より小さいので、第４の面部６２に形成された膜１０３の厚みは、第２の面部５２に形成された膜１０３の厚みより厚い。すなわち、第４の面部６２に形成された膜１０３の厚みは、第３の面部６１に形成された膜１０３より薄く、かつ、第３の面部６１に形成された膜１０３の厚みの０．６７倍より厚い。
【０１１０】
次に、図１１に示すように、光透過層４０において反射層８０が不要な部分から、膜１０３を除去する。除去の方法の一例としては、ウェットエッチングがある。光透過層４０に対してウェットエッチングを施すことにより、第１の面部５１に形成された膜１０３が残った状態で、第２の面部５２に形成された膜１０３が除去される。これは、第１の面部５１に形成された膜１０３の厚みが、第２の面部５２に形成された膜１０３の厚みよりも厚い為、第２の面部５２に形成された膜１０３が先に除去される為である。第２の領域Ｒ２では、ウェットエッチングを施すことにより、第３の面部６１に形成された膜１０３及び第４の面部６２に形成された膜１０３が薄くなる。第４の面部６２に残った膜１０３の厚みは、透過観察の際に観察者により観察可能な厚みとなる。そして、残った膜１０３が反射層８０となる。なお、不要な膜１０３を除去する他の手段としては、例えば、削り取ってもよい。なお、ウェットエッチングや削り取るなどの除去手段は、第１の面部５１、第３の面部６１、第３の領域Ｒ３、及び第４の領域Ｒ４に積層された反射層８０の厚みが、本実施形態では、入射した光の透過率が１０％以下となる厚みを残すように、かつ、第４の面部６２に積層された反射層８０の厚みが、入射した光の透過率が２０％以上となる厚みとなるように、制御される。すなわち、第１の面部５１、第３の面部６１、第３の領域Ｒ３，及び第４の領域Ｒ４では、反射観察により観察可能な図柄を表示可能な厚みを有し、第４の面部６２では、透過観察により画像を表示可能な厚みを有している
次に、表示体３０に光を入射させ、透過観察した場合に表示される図柄について、説明する。なお、透過観察として、紙幣本体２０において表示体３０が固定される主面２１に対して反対側の主面２７から光を入射させる。観察者Ｈは、表示体３０の主面となる光透過層４０の主面４１に対向する位置にいる。より具体的には、観察者Ｈは、主面４１に対して、光透過層４０の厚み方向に平行な方向に離間した位置で、表示体３０を観察する。
【０１１１】
図１２は、物品１０対して、光透過層４０の厚み方向Ｄに対して交差する方向に沿って光Ｌ１を入射させた状態を示している。なお、図１２では、物品１０は省略しており、表示体３０のみを示している。また、図１２では、表示体３０において暗く表示される部分にハッチングを付して示している。このハッチングは、断面を示すものではない。
【０１１２】
光Ｌ１の照射方向は、具体的には、図４及び図７に示すように、光透過層４０の厚み方向Ｄに交差する方向であって、かつ、第１の面部５１側から第２の面部５２側へ向かう方向である。
【０１１３】
より具体的には、光Ｌ１の入射方向は、溝部５０，６０，７０の延びる方向である第１の方向Ｖ１及び光透過層４０の厚み方向Ｄのこれら２つの方向に直交する２方向のうち第１の面部５１から第２の面部５２へ向かう方向から、光透過層４０の厚み方向Ｄまでの範囲である。図４及び図７に示される光Ｌ１は、この範囲の方向のうちの１つの方向に沿って入射する光である。
【０１１４】
光Ｌ１の一部は、物品１０の光透過部２４、接着層９０、第１の溝部５０の第２の面部５２または第２の溝部６０の第４の面部６２、及び、光透過層４０を透過して、観察者Ｈにより観察される。この為、第１の領域Ｒ１、及び、第２の領域Ｒ２は、明るく表示される。すなわち、第１の図柄Ｇ１及び第２の図柄Ｇ２が明るく表示される。なお、第４の面部６２には反射層８０が積層されている為、第２の図柄Ｇ２は、第１の図柄Ｇ１よりも暗く表示される。
【０１１５】
また、光Ｌ１の一部は、反射層８０で反射されることにより、界面４２の第４の領域Ｒ４、及び、第３の領域Ｒ３には到達しない。この為、第３の領域Ｒ３及び第４の領域Ｒ４は、暗く表示される。この為、観察者は、図１２に示すように、第１の図柄Ｇ１及び第２の図柄Ｇ２を観察することができる。なお、光Ｌ１が、第１の面部５１及び第３の面部６１に平行に入射されると、第２の面部５２と通る光の量、及び、第４の面部６２を通る光の量を最大とすることができるので、第１の図柄Ｇ１及び第２の図柄Ｇ２が最も明るく表示されるようになる。
【０１１６】
図１３は、光Ｌ２を、光透過層４０の厚み方向Ｄに平行に入射させた状態を示している。図１３では、物品１０は省略しており、表示体３０のみを示している。また、図１３では、表示体３０において暗く表示される部分は、ハッチングを付して示している。このハッチングは、断面を示すものではない。光Ｌ２は、図７に示すように、物品１０の光透過部２４、接着層９０、第２の溝部６０の第４の面部６２、第４の面部６２に積層された反射層８０及び、光透過層４０を透過して、観察者Ｈにより観察される。この為、第２の図柄Ｇ２が明るく表示される。
【０１１７】
第１の領域Ｒ１に入射した光Ｌ２は、図４に示すように、第２の面部５２が光透過層４０の厚み方向Ｄに沿う面であることから、第２の面部５２を透過することがない。この為、第１の図柄Ｇ１は、表示されない。
【０１１８】
なお、図４に示すように、光の照射方向が、光透過層４０の厚み方向Ｄに対して傾斜している状態から光透過層４０の厚み方向Ｄに近づくに従い、すなわち、光Ｌ１の入射方向が、光透過層４０の厚み方向Ｄに近づくにつれて、第１の溝部５０の第２の面部５２を通過する光が少なくなる。この為、透過観察では、光の照射方向が光透過層４０の厚み方向Ｄに対して傾斜している状態から光透過層４０の厚み方向Ｄに近づくに従い、第１の図柄Ｇ１及び第２の図柄Ｇ２が表示される状態から次第に第１の図柄Ｇ１が暗く表示されるようになる。そして、光の入射方向が光透過層４０の厚み方向Ｄに平行となる、図１３に示すように、第２の図柄Ｇ２のみ表示されるようになる。
【０１１９】
図１４は、物品１０の主面１１に対して、光透過層４０の厚み方向Ｄに対して交差する方向から光Ｌ３を入射させた状態を示している。なお、図１４では、物品１０は、省略しており、表示体３０のみを示している。また、図１４では、表示体３０において暗く表示される部分は、ハッチングを付して示している。このハッチングは、断面を示すものではない。
【０１２０】
光Ｌ３の照射方向は、図４及び図７に示すように、第１の溝部５０の第２の面部５２、及び、第２の溝部６０の第４の面部６２を透過しない方向である。光Ｌ３の照射方向は、具体的には、溝部５０，６０，７０の延びる方向である第１の方向Ｖ１及び光透過層４０厚み方向Ｄのこれら２つの方向のうち第２の面部５２から第１の面部５１に向かう方向から光透過層４０の厚み方向Ｄまでの範囲である。この為、光Ｌ３は、観察者Ｈにより観察されることがないので、第１の図柄Ｇ１、第２の図柄Ｇ２、及び、第３の図柄Ｇ３のいずれも表示されない。
【０１２１】
次に、表示体３０を反射観察した場合に表示される図柄について、説明する。なお、反射観察として、物品１０において、表示体３０が固定される主面１２側から光を入射させる。観察者Ｈは、表示体３０の主面となる光透過層４０の主面４１に対向する位置にいる。より具体的には、観察者Ｈは、主面４１に対して、光透過層４０の厚み方向Ｄに平行な方向に離間した位置で、観察する。
【０１２２】
図１５は、物品１０の主面１１に対して、光透過層４０の厚み方向Ｄに光Ｌ４を入射させた状態を示している。なお、図１５では、表示体３０において暗く表示される部分にハッチングを付して示している。このハッチングは、断面を示すものではない。光Ｌ４は、光透過層４０を透過して、界面４２の第１の領域Ｒ１、第２の領域Ｒ２、第３の領域Ｒ３、及び、第４の領域Ｒ４に到達する。
【０１２３】
第４の領域Ｒ４に到達した光Ｌ４は、反射層８０により反射する。第４の領域Ｒ４は、光透過層４０の厚み方向Ｄに直交する平面であることから、光Ｌ４は、観察者Ｈ側に反射する。
【０１２４】
図１６は、第１の溝部５０及びその周辺を、第１の方向Ｖ１に直交する断面に沿って切断した状態を示す断面図であり、反射観察において第１の溝部５０に入射する光を概略的に示している。図１６に示すように、第１の領域Ｒ１に入射した光Ｌ４は、第１の溝部５０の第２の面部５２が光透過層４０の厚み方向Ｄに沿う面であることから第２の面部５２を透過することがない。また、第１の領域Ｒ１に入射した光Ｌ４の一部は、第１の面部５１に積層された反射層８０により反射される。
【０１２５】
第１の面部５１に積層された反射層８０により反射された光Ｌ４は、第１の面部５１が光透過層４０の厚み方向Ｄに対して傾斜する平面であることから、観察者Ｈ側には戻らない。この為、第１の領域Ｒ１で反射した光Ｌ４は、観察者Ｈには観察されない。この為、第１の図柄Ｇ１は暗く表示される。
【０１２６】
図１７は、第２の溝部６０及びその周辺を、第１の方向Ｖ１に直交する断面に沿って切断した状態を示す断面図であり、反射観察において第２の溝部６０に入射した光を概略的に示している。
【０１２７】
図１７に示すように、第２の領域Ｒ２に入射した光Ｌ４の一部は、第４の面部６２が光透過層４０の厚み方向Ｄに対して傾斜することから、第４の面部６２、第４の面部６２に積層された反射層８０、接着層９０、及び、光透過部２４を透過することにより、物品１０を透過する。
【０１２８】
また、第２の領域Ｒ２に入射した光Ｌ４の一部は、第３の面部６１に積層された反射層８０により反射される。第３の面部６１に積層された反射層８０により反射された光Ｌ４は、第３の面部６１が光透過層４０の厚み方向Ｄに対して傾斜する平面であることから、観察者Ｈ側には戻らない。この為、第２の領域Ｒ２に入射した光Ｌ４は、観察者Ｈ側には観察されない。この為、第２の図柄Ｇ２は、暗く表示される。
【０１２９】
第３の領域Ｒ３に到達した光Ｌ４は、図２に示すように、第３の溝部７０の第５の面部７１に積層された反射層８０により反射される。第５の面部７１に積層された反射層８０により反射された光Ｌ４は、第５の面部７１が光透過層４０の厚み方向Ｄに対して傾斜することから、観察者Ｈ側には戻らない。この為、第３の図柄Ｇ３は、暗く表示される。
【０１３０】
このように、表示体３０に対して、光透過層４０の厚み方向Ｄに平行に入射する光Ｌ４による反射観察では、第４の領域Ｒ４が明るく表示されることにより、第１の図柄Ｇ１、第２の図柄Ｇ２、及び、第３の図柄Ｇ３が暗く表示されることとなる。
【０１３１】
図１８は、物品１０の主面１２に対して、光透過層４０の厚み方向Ｄに対して交差する方向に光Ｌ５を入射させた状態を示している。なお、図１８では、表示体３０において暗く表示される部分にハッチングを付して示している。このハッチングは、断面を示すものではない。光Ｌ５は、図１６及び図１７に示すように、第１の面部５１側から第２の面部５２側へ照射される。光Ｌ５の入射方向は、具体的には、溝部５０，６０，７０の延びる方向である第１の方向Ｖ１及び光透過層４０の厚み方向Ｄのこれら２つの方向に直交する２方向のうち第１の面部５１から第２の面部５２へ向かう方向から光透過層４０の厚み方向Ｄまでの範囲である。光Ｌ５は、光透過層４０を透過して、界面４２の第１の領域Ｒ１、第２の領域Ｒ２、第３の領域Ｒ３、及び、第４の領域Ｒ４に到達する。
【０１３２】
第４の領域Ｒ４に到達した光Ｌ５は、第４の領域Ｒ４に積層された反射層８０により反射する。第４の領域Ｒ４に積層された反射層８０により反射した光Ｌ５は、第４の領域Ｒ４が光透過層４０の厚み方向Ｄに直交する平面であることから、観察者Ｈ側には反射されない。この為、第４の領域Ｒ４は暗く表示される。
【０１３３】
第１の領域Ｒ１に入射した光Ｌ５の一部は、第１の面部５１に積層された反射層８０により反射される。第１の面部５１に積層された反射層８０により反射された光Ｌ５の一部は、第１の面部５１が光透過層４０の厚み方向Ｄに対して傾斜する平面であることから、観察者Ｈ側には反射される。この為、第１の図柄Ｇ１が明るく表示される。
【０１３４】
第２の領域Ｒ２に到達した光Ｌ５は、第３の面部６１に積層された反射層８０により反射される。第３の面部６１に積層された反射層８０により反射された光Ｌ５の一部は、第３の面部６１が光透過層４０の厚み方向Ｄに傾斜する平面であることから、観察者Ｈ側には反射される。この為、第２の図柄Ｇ２が明るく表示される。
【０１３５】
第３の領域Ｒ３に到達した光Ｌ５は、第５の面部７１に積層された反射層８０により反射される。第５の面部７１に積層された反射層８０により反射された光Ｌ５の一部は、第５の面部７１が光透過層４０の厚み方向Ｄに傾斜する平面であることから、観察者Ｈ側に反射される。この為、第３の図柄Ｇ３が明るく表示される。
【０１３６】
このように、表示体３０は、第１の図柄Ｇ１、第２の図柄Ｇ２、及び、第３の図柄Ｇ３を明るく表示する。
【０１３７】
図１９は、物品１０の主面１１に対して、光透過層４０の厚み方向Ｄに対して交差する方向に光Ｌ６を入射させた状態を示している。なお、図１９では、表示体３０において暗く表示される部分にハッチングを付して示している。このハッチングは、断面を示すものではない。光Ｌ６は、図１６及び図１７に示すように、第２の面部５２側から第１の面部５１側へ入射する。光Ｌ６の入射方向は、具体的には、溝部５０，６０，７０の延びる方向である第１の方向Ｖ１及び光透過層４０の厚み方向Ｄのこれら２つの方向に対して直交する２方向のうち第２の面部５２から第１の面部５１へ向かう方向から光透過層４０の厚み方向Ｄまでの範囲である。光Ｌ６は、光透過層４０を透過して、界面４２の第１の領域Ｒ１、第２の領域Ｒ２、第３の領域Ｒ３、及び、第４の領域Ｒ４に到達する。
【０１３８】
第４の領域Ｒ４到達した光Ｌ６は、第４の領域Ｒ４に積層された反射層８０により反射する。第４の領域Ｒ４に積層された反射層８０により反射された光Ｌ６は、第４の領域Ｒ４が光透過層４０の厚み方向Ｄに直交する平面であることから、観察者Ｈ側には反射されない。
【０１３９】
第１の領域Ｒ１に到達した光Ｌ６は、第２の面部５２に反射層８０が積層されていないことから、反射されない。第２の領域Ｒ２に到達した光Ｌ２は、第４の面部６２に積層された反射層８０が透過率２０パーセント以上であることから、反射する光の量が少ない。または、ほとんど反射されない。
【０１４０】
第３の領域Ｒ３に到達した光Ｌ６は、第６の面部７２に積層された反射層８０により反射される。第６の面部７２に積層された反射層８０により反射された光Ｌ６は、第６の面部７２が光透過層４０の厚み方向Ｄに平行な平面であることから、観察者Ｈ側には反射されない。このように、表示体３０は、光Ｌ４を観察者Ｈ側に反射することがないので、全体的に暗く表示される。
【０１４１】
このように構成された物品１０では、第１の領域Ｒ１の第１の溝部５０の第２の面部５２の比表面積、第２の領域Ｒ２の第２の溝部６０の第４の面部６２の比表面積、及び第３の領域Ｒ３の第３の溝部７０の第６の面部７２の比表面積は、異なる。さらに、互いに異なる比表面積を有する、第２の溝部６０の第４の面部６２、及び第３の溝部７０の第６の面部７２は、それぞれに積層された反射層８０の厚みが異なる。具体的には、第４の面部６２に積層された反射層８０は、透過観察を可能とする、入射した光の２０パーセント以上を透過する厚みを有し、第６の面部７２に積層された反射層８０は、反射することを目的としており、入射した光の１０パーセント以下のみ透過する厚みを有している。このように、物品１０は、条件１、条件２を満たしている。さらに、条件３を満たしている。この為、透過観察する場合に表示体３０により表示される図柄と、反射観察する場合に表示体３０により表示される図柄とが異なるものとなる。
【０１４２】
具体的には、表示体３０は、透過観察では、その観察条件により、図１２に示すように第１の図柄Ｇ１及び第２の図柄Ｇ２のみ表示し、図１３に示すように第２の図柄Ｇ２のみを表示し、または、図１４に示すようにいずれの図柄も表示しない。さらに、第１の領域Ｒ１では第２の面部５２に反射層８０が積層されず、第２の領域Ｒ２では第４の面部６２に透過観察が可能な厚みを有する反射層８０が積層され、かつ、第３の領域Ｒ３では第６の面部７２に光を反射することを目的とする反射層８０が積層されることにより、図１２に示すように、第１の図柄Ｇ１が表示され、第２の図柄Ｇ２が第１の図柄Ｇ１より暗く表示される。
【０１４３】
すなわち、表示体３０は、観察条件として表示体３０に対する光の入射方向により、表示する図柄として、第１の図柄Ｇ１及び第２の図柄Ｇ２を合わせた図柄、第２の図柄Ｇ２のみ、いずれの図柄を表示せず全体として暗い図柄、という３種類の図柄を表示することが可能である。
【０１４４】
また、表示体３０は、反射観察では、その観察条件により、図１５及び図１８に示すように、第１の図柄Ｇ１、第２の図柄Ｇ２、及び、第３の図柄Ｇ３を表示し、図１９に示すようにいずれの図柄も表示しない。
【０１４５】
すなわち、観察条件として、表示体３０に対する光の入射方向により、表示体３０は、表示する図柄として、第１の図柄Ｇ１、第２の図柄Ｇ２、及び、第３の図柄Ｇ３を組み合わせた図柄、並びに、いずれの図柄も表示せず全体として暗い図柄、という２種類の図柄を表示する。
【０１４６】
このように、表示体３０は、透過観察では３種類の図柄を表示可能であり、反射観察では２種類の図柄を表示可能であり、それゆえ、反射観察で表示可能な図柄と透過観察で表示可能な図柄を異なるものとすることができる。この為、表示体３０は、高い視覚効果を有する。
【０１４７】
さらに、表示体３０が高い視覚効果を有することにより、表示体３０の偽造防止をすることができるので、物品１０の偽造を防止することができる。
【０１４８】
また、第１の溝部５０においては、第２の面部５２の比表面積を第１の面部５１の比表面積よりも大きくすることにより、真空蒸着方法により反射層８０を形成する場合において、第２の面部５２に形成される蒸着材料１０１により膜１０３の厚みを小さくすることができるので、これを除去する作業の効率を向上することができる。この為、表示体３０の製造効率を向上することができる。
【０１４９】
さらに、第２の溝部６０において、第４の面部６２の比表面積が第３の面部６１の比表面積よりも大きいことにより、同様に、表示体３０の製造効率を向上することができる。
【０１５０】
また、第２の面部５２に凹部５３を形成し、第４の面部６２に凹部６３を形成することにより、第２の面部５２の外形、及び、第４の面部６２の外形を大きくすることなく、第２の面部５２の比表面積、及び、第４の面部６２の比表面積を大きくすることができるので、表示体３０をコンパクトに形成することができる。
【０１５１】
また、第２の面部５２を光透過層４０の厚み方向Ｄに沿う形状とすることにより、真空蒸着方法により反射層８０を形成する場合に、るつぼ１０２より上昇した気化または昇華した蒸着材料１０１が第２の面部５２に付着しにくくなる。この為、第２の面部５２に、蒸着材料１０２による膜１０３が形成されにくくなることにより、膜１０３の厚みを薄くすることができるので、これの除去作業の効率を向上することができる。
【０１５２】
次に、本発明の第２の実施形態に係る物品１０Ａを、図２０乃至図２４を用いて説明する。なお、第１の実施形態と同様の機能を有する構成は、第１の実施形態と同一の符号を付して説明を省略する。
【０１５３】
図２０は、物品１０Ａを示す平面図である。図２１は、物品１０Ａを示す断面図である。図２２は、物品１０Ａの要部を示す断面図である。図２３は、物品１０Ａの要部を示す断面図である。図２４は、物品１０Ａの要部を示す断面図である。
【０１５４】
図２０に示すように、物品１０Ａは、本実施形態では、例えば紙幣である。物品１０Ａは、紙幣本体２０、及び、紙幣本体２０の一方の主面２１上に固定された表示体３０Ａを有している。紙幣本体２０は、本体部２３、及び光を透過可能に形成された光透過部２４を有している。
【０１５５】
表示体３０Ａは、光透過部２４に固定されている。表示体３０Ａは、シート状に形成されている。表示体３０Ａは、平面視で、例えば長方形状に形成されている。表示体３０Ａは、所定の反射観察条件、または、所定の透過観察条件において図柄を表示可能に形成されている。
【０１５６】
表示体３０Ａは、本実施形態では、所定の反射観察条件において、第５の図柄Ｇ５、第６の図柄Ｇ６、第７の図柄Ｇ７、第８の図柄Ｇ８、及び、第９の図柄Ｇ９を表示可能に形成されている。また、表示体３０Ａは、本実施形態では、所定の透過観察条件において、第５の図柄Ｇ５、第６の図柄Ｇ６、第７の図柄Ｇ７、第８の図柄Ｇ８、第９の図柄Ｇ９、第１０の図柄Ｇ１０、及び、第１１の図柄Ｇ１１を表示可能に形成されている。
【０１５７】
第５の図柄Ｇ５は、例えば、星形の図柄である。第６の図柄Ｇ６は、例えば、星形の図柄である。第７の図柄Ｇ７は、例えば星形の図柄である。第８の図柄Ｇ８は、例えば長方形の図柄である、第９の図柄Ｇ９は、例えば長方形の図柄である。第１０の図柄Ｇ１０は、例えば、長方形の図柄である。第１１の図柄Ｇ１１は、例えば、円の中に表示される月形の図柄である。
【０１５８】
表示体３０Ａは、図２１に示すように、光透過層４０Ａ、光透過層４０Ａの主面４１Ａに積層された保護層１１０、光透過層４０Ａの一部に積層された反射層８０、並びに、反射層８０、及び、光透過層４０Ａにおいて反射層８０が積層されていない部分に積層された接着層９０を有している。
【０１５９】
光透過層４０Ａは、光を透過可能な材料から形成されている。光透過層４０Ａは、例えば、光透過層４０と同じ材料で形成されている。光透過層４０Ａの主面４１Ａは、平面に形成されている。また、主面４１Ａは、光透過層４０Ａの厚み方向に直交する平面に形成されている。
【０１６０】
光透過層４０Ａにおいて、反射層８０または接着層９０が積層される面となる界面４２Ａは、第５の図柄Ｇ５を表示可能な第５の領域Ｒ５、第６の図柄Ｇ６を表示可能な第６の領域Ｒ６、第７の図柄Ｇ７を表示可能な第７の領域Ｒ７、第８の図柄Ｇ８を表示可能な第８の領域Ｒ８、第９の図柄Ｇ９を表示可能な第９の領域Ｒ９、第１０の図柄Ｇ１０を表示可能な第１０の領域Ｒ１０、第１１の図柄Ｇ１１を表示可能な第１１の領域Ｒ１１及び第１２の領域Ｒ１２、並びに、界面４２において第５の領域Ｒ５乃至第１２の領域Ｒ１２以外の領域となる第１３の領域Ｒ１３を有している。第１３の領域Ｒ１３は、光透過層４０Ａの厚み方向Ｄに直交する平面に形成されている。
【０１６１】
これら領域Ｒ５乃至Ｒ１２は、それぞれに、反射層８０から離れる方向に凹んだ溝部、または、反射層８０側に突出した突出部が形成されている。これら溝部または突出部は、光透過層４０Ａの厚み方向Ｄに傾斜する平面に形成された傾斜面部、及び、傾斜面部に対して交差する平面に沿う面部を有している。
【０１６２】
これら、溝部または突出部は、傾斜面部に、反射を目的とする反射層８０が積層されるとともに、以下の条件１及び条件２満たすように形成されている。さらに好ましくは、条件３及び条件４を満たすように形成されている。
【０１６３】
条件１：領域Ｒ５乃至Ｒ１２のうち少なくとも１つの領域の面部は、他の領域のうち少なくとも１つの領域の面部に対して、その比表面積が異なる。すなわち、複数の領域のうち少なくとも１つの領域の面部の比表面積は、他の領域のうち少なくとも１つの領域の面部の比表面積と異なる。
【０１６４】
条件２：領域Ｒ乃至Ｒ１２のうち少なくとも１つの領域の面部に積層された反射層８０の厚みは、他の領域のうち少なくとも１つの領域の面部に積層された反射層８０の厚みと異なる。すなわち、複数の領域のうち少なくとも２つの領域の面部に反射層が積層され、少なくとも１つの領域の面部に積層された反射層の厚みは、他の領域のうち少なくとも１つの領域の面部に積層された反射層の厚みと異なる。
【０１６５】
条件３：領域Ｒ５乃至Ｒ１２のうち少なくとも１つの領域の面部の沿う方向が、他の領域のうち少なくとも１つの領域の面部の沿う方向と異なる。すなわち、面部の光透過層４０の厚み方向Ｄに対する傾斜角度が異なる。さらに言い換えると、複数の領域のうち少なくとも１つの領域の面部が沿う平面の厚み方向に対する傾斜角度は、他の領域のうち少なくとも１つの領域の面部が沿う平面の厚み方向に対する傾斜角度と異なる。
【０１６６】
条件４：領域Ｒ５乃至Ｒ１２のうち少なくとも１つの領域に形成された傾斜面部の法線、及び他の領域のうち少なくとも１つの領域に形成された傾斜面部の法線は、平行ではない。すなわち、複数の領域のうち少なくとも１つの領域に形成された溝部または突出部の傾斜面部の法線が延びる方向は、他の領域のうち少なくとも１つの領域に形成された溝部または突出部の傾斜面部の法線が延びる方向とは異なる。なお、ここで言う傾斜面部の法線は、傾斜面部に直交する方向に平行な線である。
【０１６７】
本実施形態では、領域Ｒ５乃至Ｒ１２に形成される溝部または突出部は、上記条件１乃至４のうち、条件１，２，３、４を満たすように形成されている。
【０１６８】
第５の領域Ｒ５は、その外郭線は、第５の図柄Ｇ５と同様の形状を有している。すなわち、第５の領域Ｒ５の外郭線は、星形である。第５の領域Ｒ５には、複数の第２の溝部６０が形成されている。これら第２の溝部６０は、全て同じ形状である。第２の溝部６０は、第１の方向Ｖ１に延びている。第２の溝部６０の長手方向の両端は、第５の領域Ｒ５の外郭線まで延びている。
【０１６９】
第６の領域Ｒ６は、第５の領域Ｒ５に並んで配置されている。第６の領域Ｒ６は、その外郭線は、第６の図柄Ｇ６と同様の形状を有している。すなわち、第６の領域Ｒ６の外郭線は、星形である。第６の領域Ｒ６には、複数の第２の溝部６０が形成されている。これら第２の溝部６０は、全て同じ形状である。第２の溝部６０は、第１の方向Ｖ１に延びている。第２の溝部６０の長手方向の両端は、第６の領域Ｒ６の外郭線まで延びている。
【０１７０】
第６の領域Ｒ６に形成された第２の溝部６０の第４の面部６２の比表面積は、第３の面部６１の比表面積よりも大きく、かつ、第５の領域Ｒ５に形成された第２の溝部６０の第４の面部６２の比表面積よりも小さい。
【０１７１】
第７の領域Ｒ７は、第６の領域Ｒ６に並んで配置されている。第７の領域Ｒ７は、その外郭線は、第７の図柄Ｇ７と同様の形状を有している。すなわち、第７の領域Ｒ７の外郭線は、星形である。第２の溝部６０は、第１の方向Ｖ１に延びている。第２の溝部６０の長手方向の両端は、第７の領域Ｒ７の縁まで延びている。
【０１７２】
第７の領域Ｒ７に形成された第２の溝部６０の第４の面部６２の比表面積は、第３の面部６１の比表面積よりも大きく、かつ、第６の領域Ｒ６に形成された第２の溝部６０の第４の面部６２の比表面積よりも小さい。
【０１７３】
第８の領域Ｒ８は、その外郭線は、第８の図柄Ｇ８と同様の形状を有している。すなわち、第８の領域Ｒ８の外郭線は、長方形である。第８の領域Ｒ８には、複数の第１の溝部５０が形成されている。これら第１の溝部５０は、全て同じ形状である。第１の溝部５０の内面の一部には反射層８０が積層されており、残りの部分には反射層は積層されていない。
【０１７４】
第８の領域Ｒ８に形成された第１の溝部５０の内面の一部に積層された反射層８０で反射した光により、第８の図柄Ｇ８が表示される。また、第８の領域Ｒ８に形成された第１の溝部５０の内面において反射層８０が積層されていない部分を透過した光により、第８の図柄Ｇ８が表示される。
【０１７５】
図２０では、第８の領域Ｒ８内に形成された第１の溝部５０を誇張して大きく描いている。これは、第８の領域Ｒ８に形成された第１の溝部５０の延びる方向を説明するためである。実際には、第８の領域Ｒ８に形成された第１の溝部５０は、その幅が小さいものである。図２０に示すように、第８の領域Ｒ８に形成された第１の溝部５０は、例えば第１の方向Ｖ１に延びている。第１の溝部５０の長手方向両端は、第８の領域Ｒ８の外郭線まで延びている。
【０１７６】
第９の領域Ｒ９は、第８の領域Ｒ８に隣接して配置されている。第９の領域Ｒ９は、第８の領域Ｒ８と同じ形状であり、その長手方向に沿う縁を第８の領域Ｒ８の長手方向に沿う縁上に配置している。また、第９の領域Ｒ９の短手方向の縁は、第８の領域Ｒ８の短手方向の縁の延長上に配置されている。
【０１７７】
第９の領域Ｒ９には、複数の第１の溝部５０が形成されている。これら第１の溝部５０は、全て同じ形状である。第１の溝部５０の内面の一部には反射層８０が積層されており、残りの部分には反射層は積層されていない。
【０１７８】
第９の領域Ｒ９に形成された第１の溝部５０の内面の一部に積層された反射層８０で反射した光により、第９の図柄Ｇ９が表示される。また、第９の領域Ｒ９内に形成された第１の溝部５０の内面において反射層８０が積層されていない部分を透過した光により、第９の図柄Ｇ９が表示される。
【０１７９】
図２０では、第９の領域Ｒ９に形成された第１の溝部５０を誇張して大きく描いている。これは、第９の領域Ｒ９に形成された第１の溝部５０の延びる方向を説明するためである。実際には、第９の領域Ｒ９に形成された第１の溝部５０は、その幅が小さいものである。第９の領域Ｒ９に形成された第１の溝部５０は、第８の領域Ｒ８に形成された第１の溝部５０が延びる方向に対して交差する方向に延びている。第９の領域９に形成された第１の溝部５０は、例えば、第１の方向Ｖ１に対して４５度傾斜する第３の方向Ｖ３に延びている。第１の溝部５０の長手方向両端は、第８の領域Ｒ８の外郭線まで延びている。
【０１８０】
第１０の領域Ｒ１０は、第９の領域Ｒ９に隣接して配置されている。第１０の領域Ｒ１０は、第８の領域Ｒ８と同じ形状であり、その長手方向に沿う縁が第９の領域Ｒ９の長手方向に沿う縁上に配置されている。また、第１０の領域Ｒ１０の短手方向の縁は、第８の領域Ｒ８の短手方向の縁の延長上に配置されている。すなわち、第８の領域Ｒ８、第９の領域Ｒ９、及び、第１０の領域Ｒ１０は、それぞれ、１つの四角形の領域を３等分した領域の１つとなる。
【０１８１】
第１０の領域Ｒ１０には、複数の第１の溝部５０が形成されている。これら第１の溝部５０は、全て同じ形状である。第１の溝部５０の内面の一部には反射層８０が積層されており、残りの部分には反射層は積層されていない。
【０１８２】
第１０の領域Ｒ１０に形成された第１の溝部５０の内面の一部に積層された反射層８０で反射した光により、第１０の図柄Ｇ１０が表示される。また、第１０の領域Ｒ１０に形成された第１の溝部５０の内面において反射層８０が積層されていない部分を透過した光により、第１０の図柄Ｇ１０が表示される。
【０１８３】
図２０では、第１０の領域Ｒ１０内に形成された第１の溝部５０を誇張して大きく描いている。これは、第１０の領域Ｒ１０に形成された第１の溝部５０の延びる方向を説明するためである。実際には、第１０の領域Ｒ１０に形成された第１の溝部５０は、その幅が小さいものである。
【０１８４】
第１０の領域Ｒ１０に形成された第１の溝部５０は、第８の領域Ｒ８に形成された第１の溝部５０の延びる方向、及び、第９の領域Ｒ９に形成された第１の溝部５０が延びる方向の少なくとも一方に対して交差する方向に延びている。本実施形態では、第１０の領域Ｒ１０に形成された第１の溝部５０が延びる方向は、第８の領域Ｒ８に形成された第１の溝部５０が延びる方向、及び、第９の領域Ｒ９に形成された第１の溝部５０が延びる方向に対して交差する方向に延びている。第１０の領域Ｒ１０に形成された第１の溝部５０は、具体的には、第１の方向Ｖ１に対して直交する方向である紙幣本体２０の長手方向に沿う第４の方向Ｖ４に延びている。第１の溝部５０の長手方向両端は、第１０の領域Ｒ１０の外郭線まで延びている。
【０１８５】
このように、第８の領域Ｒ８に形成された第１の溝部５０の延びる方向、第９の領域Ｒ９に形成された第１の溝部５０の延びる方向、及び、第１０の領域Ｒ１０に形成された第１の溝部５０の延びる方向が互いに異なることにより、第８の領域Ｒ８に形成された第１の溝部５０の第１の面部５１に直交する方向、第９の領域Ｒ９に形成された第１の溝部５０の第１の面部５１に直交する方向、及び第１０の領域Ｒ１０に形成された第１の溝部５０に直交する方向は、異なる。この為、上述の条件４が満たされることとなる。
【０１８６】
第１１の領域Ｒ１１は、第１１の図柄Ｇ１１のうち、円形の内側であって、かつ、月形状の外側の部分を表示する領域である。第１２の領域Ｒ１２は、第１１の図柄Ｇ１１のうち、月形状の内側の部分である。この為、第１２の領域Ｒ１２の外郭線は、月形状である。第１１の領域Ｒ１１の外郭線は、第１２の領域Ｒ１２の外郭線を内側に配置する円形の外郭線となる。
【０１８７】
第１１の領域Ｒ１１は、複数の第１の溝部５０が形成されている。これら第１の溝部５０は、全て同じ形状である。第１の溝部５０の内面の一部には反射層８０が積層されており、残りの部分には反射層は積層されていない。
【０１８８】
第１１の領域Ｒ１１に形成された第１の溝部５０の内面の一部に積層された反射層８０で反射した光により、第１１の領域Ｒ１１の図柄、すなわち、円形の内側であって月形状の外側の部分の図柄が表示される。また、第１１の領域Ｒ１１に形成された第１の溝部５０の内面において反射層８０が積層されていない部分を透過した光により、第１１の図柄が表示される。第１の溝部５０は、第１の方向Ｖ１に延びている。第１の溝部５０の長手方向の両端は、第１１の領域Ｒ１１の外郭線まで延びている。
【０１８９】
第１２の領域Ｒ１２には、第４の溝部１２０が形成されている。図２１は、物品１０Ａを、第１１の領域Ｒ１１及び第１２の領域Ｒ１２を通る断面で切断した状態を示す断面図である。図２１に示すように、第４の溝部１２０は、反射層８０が積層される第７の面部（傾斜面部）１２１、及び、反射層８０が積層されない第８の面部（面部）１２２を有する、断面Ｖ字形状であり、その深さが、第１１の領域Ｒ１１に形成された第１の溝部５０の深さよりも深い溝部である。なお、第７の面部１２１は、光透過層４０Ａの厚み方向Ｄに傾斜する平面である。第８の面部１２２は、第７の面部１２１に対して交差する方向に沿う面部である。第８の面部１２２は、例えば光透過層４０Ａの厚み方向Ｄに沿っている。
【０１９０】
本実施形態では、第４の溝部１２０は、例えば、第１の溝部５０と同じ形状であり、かつ、その断面形状が第１の溝部５０の断面形状よりも大きい溝部である。すなわち、第４の溝部１２０は、その断面形状が、第１の溝部５０の断面形状と相似または略相似の関係を有している。第４の溝部１２０は、第１１の領域Ｒ１１に形成された第１の溝部５０と同じ方向に延びている。具体的には、第４の溝部１２０は、第１の方向Ｖ１に延びている。
【０１９１】
第７の面部１２１は、第８の領域Ｒ８に形成された第１の溝部５０の第１の面部５１に平行である。すなわち、第７の面部１２１は、平面である。この為、第７の面部１２１の批表面積は１である。
【０１９２】
第８の面部１２２の沿う方向は、第１１の領域Ｒ１１に形成された第１の溝部５０の第２の面部５２が沿う方向に平行である。なお、第８の面部１２２は、第８の面部１２２の比表面積を一例として１．５以上とする為に、凹部１２３が複数形成されている。第７の面部１２１の比表面積は１である為、第８の面部１２２の比表面積は、第７の面部１２１の比表面積の１．５倍以上である。凹部１２３は、第１の溝部５０の凹部５３、または、第２の溝部６０の凹部６３と同様に形成されている。第８の面部１２２の比表面積は、本実施形態では一例として第２の面部５２の比表面積と同じである。
【０１９３】
反射層８０は、第５の領域Ｒ５、第６の領域Ｒ６、第７の領域Ｒ７、第８の領域Ｒ８の一部、第９の領域Ｒ９の一部、第１０の領域Ｒ１０の一部、第１１の領域Ｒ１１の一部、第１２の領域Ｒ１２の一部、及び、第１３の領域Ｒ１３に形成されている。
【０１９４】
図２２は、表示体３０Ａを第５の領域Ｒ５を通る断面で切断した状態を示す断面図である。図２２は、第５の領域Ｒ５に形成された第２の溝部６０及びその周辺を示している。図２２に示すように、反射層８０は、第５の領域Ｒ５においては、第３の面部６１、及び、第４の面部６２に積層されている。
【０１９５】
第５の領域Ｒ５では、第３の面部６１に積層された反射層８０は、光を反射することを目的として積層されている。第３の面部６１に積層された反射層８０は、例えば、照射された光の１０パーセント以下のみ透過可能な厚みを有している。反射層８０は、例えば、第１の実施形態の第１の領域Ｒ１の第１の面部５１に積層された反射層８０と同じ厚みを有している。
【０１９６】
第５の領域Ｒ５では、第４の面部６２に積層された反射層８０の厚みは、第３の面部６１に積層された反射層８０の厚みよりも薄い。第４の面部６２に積層された反射層８０の厚みは、入射した光を透過可能な厚みである。ここでいう、光を透過可能な厚みとは、透過した光により図柄を表示可能な厚みであり、例えば、照射された光の２０パーセント以上を透過可能な厚みである。
【０１９７】
図２３は、表示体３０Ａを第６の領域Ｒ６を通る断面で切断した状態を示す断面図である。図２３は、第６の領域Ｒ６に形成された第２の溝部６０を示している。図２３に示すように、反射層８０は、第６の領域Ｒ６においては、第３の面部６１、及び、第４の面部６２に積層されている。
【０１９８】
第６の領域Ｒ６では、第３の面部６１に積層された反射層８０は、光を反射することを目的として積層されている。第３の面部６１に積層された反射層８０は、例えば、照射された光の１０パーセント以下のみ透過可能な厚みを有している。反射層８０は、例えば、第１の実施形態の第１の領域Ｒ１の第１の面部５１に積層された反射層８０と同じ厚みを有している。
【０１９９】
第６の領域Ｒ６では、第４の面部６２に積層された反射層８０は、入射した光を透過可能な厚みである。ここでいう、光を透過可能な厚みとは、透過した光により図柄を表示可能な厚みであり、例えば、照射された光の２０パーセント以上を透過可能な厚みである。
【０２００】
第６の領域Ｒ６では、第４の面部６２に積層された反射層８０の厚みは、第３の面部６１に積層された反射層８０の厚みよりも薄く、かつ、第５の領域Ｒ５に形成された第２の溝部６０の第４の面部６２に積層された反射層８０の厚みよりも厚い。
【０２０１】
図２４は、表示体３０Ａを第７の領域Ｒ７を通る断面で切断した状態を示す断面図である。図２４は、第７の領域Ｒ７に形成された第２の溝部６０を示している。図２４に示すように、反射層８０は、第７の領域Ｒ７においては、第３の面部６１、及び、第４の面部６２に積層されている。
【０２０２】
第７の領域Ｒ７では、第３の面部６１に積層された反射層８０は、光を反射することを目的として積層されている。第３の面部６１に積層された反射層８０は、例えば、照射された光の１０パーセント以下のみ透過可能な厚みを有している。反射層８０は、例えば、第１の実施形態の第１の領域Ｒ１の第１の面部５１に積層された反射層８０と同じ厚みを有している。
【０２０３】
第７の領域Ｒ７では、第４の面部６２に積層された反射層８０は、入射した光を透過可能な厚みである。ここでいう、光を透過可能な厚みとは、透過した光により図柄を表示可能な厚みであり、例えば、照射された光の２０パーセント以上を透過可能な厚みである。
【０２０４】
第７の領域Ｒ７では、第４の面部６２に積層された反射層８０の厚みは、第３の面部６１に積層された反射層８０の厚みよりも薄く、かつ、第６の領域Ｒ６に形成された第２の溝部６０の第４の面部６２に積層された反射層８０の厚みよりも厚い。
【０２０５】
なお、第５の領域Ｒ５、第６の領域Ｒ６、及び、第７の領域Ｒ７においては、第２の溝部６０の第３の面部６１に積層される反射層８０の厚みは、同じである。
【０２０６】
このように、領域Ｒ５，Ｒ６，Ｒ７の第４の面部６２の比表面積がそれぞれ異なり、かつ、領域Ｒ５，Ｒ６，Ｒ７の第４の面部６２に積層された反射層８０の厚みが異なることにより、上述の条件１及び条件２が満たされることとなる。なお、領域Ｒ５，Ｒ６，Ｒ７において、第４の面部６２に積層された反射層８０の厚みは、特に、誇張して厚く描かれている。
【０２０７】
反射層８０は、第８の領域Ｒ８、第９の領域Ｒ９、及び、第１０の領域Ｒ１０においては、第１の実施形態と同様に、第１の溝部５０の第１の面部５１に積層されており、第２の面部５２には積層されていない。領域Ｒ８，Ｒ９，Ｒ１０では、第１の面部５１に積層された反射層８０は、照射された光を反射することを目的として形成されており、例えば、照射された光の１０パーセント以下のみ透過可能に形成されている。第８の領域Ｒ８、第９の領域Ｒ９、及び、第１０の領域Ｒ１０の第１の溝部５０の第１の面部５１に積層された反射層８０の厚みは、同じである。
【０２０８】
反射層８０は、図２１に示すように、第１１の領域Ｒ１１では、第１の溝部５０の第１の面部５１に積層されており、第２の面部５２には積層されていない。第１２の領域Ｒ１２では、反射層８０は、第４の溝部１２０の第７の面部１２１に積層されており、第８の面部１２２には、積層されていない。第１１の領域Ｒ１１の第１の面部５１、及び、第１２の領域Ｒ１２の第７の面部１２１に積層された反射層８０は、照射された光を反射することを目的として形成されており、例えば、照射された光の１０パーセント以下のみ透過可能に形成されている。
【０２０９】
なお、第１１の領域Ｒ１１に形成された第１の溝部５０の第１の面部５１に積層された反射層８０の厚み、及び、第１２の領域Ｒ１２に形成された第４の溝部１２０の第７の面部１２１に積層された反射層８０の厚みは、同じである。また、第１１の領域Ｒ１１に形成された第１の溝部５０の第１の面部５１に積層された反射層８０の厚み、及び第１２の領域Ｒ１２に形成された第４の溝部１２０の第７の面部１２１に積層された反射層８０の厚みは、例えば、第１の実施形態の第１の溝部５０の第１の面部５１に積層された反射層８０と同じ厚みである。
【０２１０】
接着層９０は、図２１に示すように、光透過層４０Ａにおいて反射層８０が積層されていない部分、及び、反射層８０に積層されている。
【０２１１】
保護層１１０は、光透過層４０Ａに積層されている。保護層１１０は、光透過性を有する材料で形成されている。保護層１１０は、表示体３０Ａを傷や汚れから保護可能に形成されている。
【０２１２】
本実施形態の表示体３０Ａは、例えば、第１の実施形態の表示体３０と同様に製造される。すなわち、各溝部が形成される前の光透過層４０Ａを、樹脂などの材料に対して切削機やレーザー描画機により下加工を施すことにより形成する。
【０２１３】
次に、溝部が形成される前の光透過層４０Ａに対して、例えば電鋳により形成された、溝部に嵌合する凸部が形成された金属板を加圧して押し付け、その後に剥離する。このように、金属板を押し付けるとともにその後に剥離することにより、金属板の凸部が光透過層４０Ａに転写され、各溝部が形成される。
【０２１４】
反射層８０は、例えば第１の実施形態と同様に、各溝部が形成された光透過層４０Ａに対して真空蒸着法を用いて形成することができる。なお、不要な膜１０３は、ウェットエッチングにより除去される。なお、第５の領域Ｒ５、第６の領域Ｒ６、及び、第７の領域Ｒ７では、第４の面部６２に反射層８０を積層する為に、除去する材料の除去量が調整される。
【０２１５】
なお、第５の領域Ｒ５、第６の領域Ｒ６、及び第７の領域Ｒ７は、それぞれの第４の面部６２の比表面積が、異なる。この為、上述のように、例えば真空蒸着法により形成することにより、第５の領域Ｒ５、第６の領域Ｒ６、及び第７の領域Ｒ７内では、第５の領域Ｒ５の第４の面部６２に形成される膜１０３が最も厚くなり、次に第６の領域Ｒ６の第４の面部６２に形成される膜１０３が厚くなり、次に第７の領域Ｒ７の第４の面部６２に形成される膜１０３が厚くなる。
【０２１６】
次に、透過観察及び反射観察により観察される、各領域により表示される図柄について説明する。まず、第５の領域Ｒ５、第６の領域Ｒ６、第７の領域Ｒ７による、透過観察により観察される図柄について説明する。
【０２１７】
第５の領域Ｒ５、第６の領域Ｒ６、及び、第７の領域Ｒ７では、いずれも第２の溝部６０が形成されており、かつ、第４の面部６２に積層される反射層８０の厚みが異なることから、観察者Ｈにより観察される図柄の外形は、いずれも同じであるが、その濃淡が異なるものとなる。
【０２１８】
すなわち、透過観察においては、図２２乃至図２４に示すように、領域Ｒ５，Ｒ６，Ｒ７に、光透過層４０Ａの厚み方向Ｄに平行な光Ｌ７が入射すると、光Ｌ７の一部は、接着層９０、第４の面部６２に積層された反射層８０、及び、光透過層４０Ａを透過して観察者Ｈに観察される。この為、第５の領域Ｒ５により第５の図柄Ｇ５が表示され、第６の領域Ｒ６により第６の図柄Ｇ６が表示され、かつ、第７の領域Ｒ７により第７の図柄Ｇ７が表示される。
【０２１９】
しかしながら、各領域Ｒ５，Ｒ６，Ｒ７において、第４の面部６２に積層された反射層８０の厚みが異なることから、第５の図柄Ｇ５の濃淡、第６の図柄Ｇ６の濃淡、及び、第７の図柄Ｇ７の濃淡が異なるものとなる。具体的には、第５の図柄Ｇ５が最も明るく、その次に第６の図柄Ｇ６が明るく、その次に第７の図柄Ｇ７が明るく表示される。すなわち、同じ外形を有する図柄であっても、その濃淡に差が生じることとなる。
【０２２０】
このように、図柄の濃淡を、第４の面部６２に積層された反射層８０の厚みにより調整することができる。なお、本実施形態では、真空蒸着法により、第４の面部６２に反射層８０を積層している。この為、第４の面部６２の比表面積を調整することにより、第４の面部６２に積層された反射層８０の厚みを調整することができる。具体的には、第４の面部６２に形成される凹部６３の大きさにより、比表面積を調整している。
【０２２１】
図柄の濃淡の調整方法の一例としては、所望の濃淡を、第４の面部６２の比表面積に対応させ、所望の濃淡に対応する比表面積に基づいて第４の面部６２の面積を決定する調整方法である。
【０２２２】
具体的に説明すると、例えば、２５５階調のグレースケールを、第４の面部６２の比表面積に対応させる。２５５階調のグレースケールは、０が黒を表し、２５５が白を表す。そして、透過観察において、第４の面部６２を透過して観察者に観察される図柄の所望の濃淡を、２５５階調のグレースケールで表し、この数値に対応する比表面積に基づいて、第４の面部６２の比表面積を決定する。
【０２２３】
より具体的には、第４の面部６２がとり得る比表面積の最大値をグレースケールの２５５とし、比表面積の値１をグレースケールの０とする。そして、比表面積１から最大値の間の値を、グレースケールの値に対応させる。そして、第４の面部６２を、グレースケール０から２５５のうち所望の値に対応する比表面積を有するように、形成する。なお、第４の面部６２がとり得る比表面積の最大値は、例えば、第４の面部６２の形成手段により決定される。または、比表面積の最大値は、例えば、任意に決定されてもよい。
【０２２４】
次に、第５の領域Ｒ５、第６の領域Ｒ６、及び、第７の領域Ｒ７について、反射観察により観察される図柄について説明する。第５の領域Ｒ５、第６の領域Ｒ６、及び、第７の領域Ｒ７では、第１の実施形態と同様に、第２の溝部６０が延びる方向である第１の方向Ｖ１及び光透過層４０Ａの厚み方向Ｄのこれら２つの方向に直交する２方向のうち第３の面部６１から第４の面部６２へ向かう方向から光透過層４０Ａの厚み方向Ｄまでの範囲の方向に沿って光が入射されると、第３の面部６１に積層された反射層８０により光の一部が観察者Ｈ側に反射して観察者に観察される。この為、第５の領域Ｒ５は、第５の図柄を表示し、第６の領域Ｒ６は、第６の図柄Ｇ６を表示し、第７の領域Ｒ７は、第７の図柄Ｇ７を表示する。
【０２２５】
第５の領域Ｒ５の第３の面部６１に形成された反射層８０の厚み、第６の領域Ｒ６の第３の面部６１に形成された反射層８０の厚み、及び、第７の領域Ｒ７の第３の面部６１に積層された反射層８０の厚みは、いずれも同じである。この為、第５の領域Ｒ５により表示される第５の図柄Ｇ５、第６の領域Ｒ６により表示される第６の図柄Ｇ６、及び、第７の領域Ｒ７により表示される第７の図柄Ｇ７は、いずれも同じであり、その濃淡も同じとなる。
【０２２６】
このように、第５の領域Ｒ５、第６の領域Ｒ６、及び、第７の領域Ｒ７では、反射観察により観察される図柄、及び、透過観察により観察される図柄は、その濃淡が異なるものとなる。すなわち、透過観察で表示される図柄、及び、反射観察で表示される図柄が異なるものとなる。
【０２２７】
次に、第８の領域Ｒ８、第９の領域Ｒ９、及び、第１０の領域Ｒ１０による、透過観察により表示される図柄、及び、反射観察により表示される図柄について説明する。第８の領域Ｒ８、第９の領域Ｒ９、及び、第１０の領域Ｒ１０は、第１の溝部５０が形成されているが、その延びる方向が異なる。
【０２２８】
具体的には、第８の領域Ｒ８に形成された第１の溝部５０の延びる方向を基準にすると、第９の領域Ｒ９に形成された第１の溝部５０の延びる方向は、４５度で交差している。第１０の領域Ｒ１０に形成された第１の溝部５０の延びる方向は、直交している。
【０２２９】
この為、反射観察においては、特定の方向から入射された光の反射率が、第８の領域Ｒ８、第９の領域Ｒ９、及び、第１０の領域Ｒ１０で異なるものとなる。すなわち、第８の領域Ｒ８が表示する第８の図柄Ｇ８の濃淡、第９の領域Ｒ９が表示する第９の図柄Ｇ９の濃淡、及び、第１０の領域Ｒ１０が表示する第１０の図柄Ｇ１０の濃淡が異なるものとなる。
【０２３０】
同様に、透過観察においては、特定の方向から入射された光の、各領域Ｒ８，Ｒ９，Ｒ１０の第２の面部５２を透過する量が異なるものなる。すなわち、第８の図柄Ｇ８の濃淡、第９の図柄Ｇ９の濃淡、及び、第１０の図柄Ｇ１０の濃淡が異なるものとなる。
【０２３１】
このように、第１の溝部５０の延びる方向を調整することにより、透過観察及び反射観察において、特定の方向から入射する光により表示される図柄も濃淡を表現することができる。
【０２３２】
例えば、濃淡を２５５階調のグレースケールで表す場合、所望の濃淡を示す数値を第１の溝部５０が延びる方向に対応させる。具体的には、２５５階調のグレースケールを０度から３５９度に対応させる。そして、表現したい所望の濃淡の数値に対応する角度に沿って第１の溝部５０を形成する。
【０２３３】
このように、第８の領域Ｒ８、第９の領域Ｒ９、及び、第１０の領域Ｒ１０では、反射観察により観察される図柄、及び、透過観察により観察される図柄は、その濃淡が異なるものとなる。すなわち、透過観察で表示される図柄、及び、反射観察で表示される図柄が異なるものとなる。
【０２３４】
なお、この第１の溝部５０の延びる方向を、２５５階調のグレースケールに対応させることができるのでは、表示体３０Ａに対して、特定の１方向から光が入射した場合である。この特定の１方向に沿って入射した光を最も強く反射する第１の溝部５０の延びる方向、すなわち、この特定の１方向に沿って入射した光を反射し、この反射光により表示された図柄が最も明るく表示される第１の溝部５０の延びる方向を、グレースケールの０と対応させる。さらに、この特定の１方向に沿って入射した光を反射しない、または反射してもその反射光により表示される図柄の明るさが最も暗くなる第１の溝部５０の延びる方向をグレースケールの２５５に対応させる。そして、反射光が最も明るく表示される第１の溝部５０の延びる方向、及び反射しないまたは反射光がもっとも暗くなる第１の溝部５０の延びる方向の間を、グレースケール０及び２５５の間の値に対応させる。
【０２３５】
しかしながら、この特定の方向以外の方向から光が入射した場合においても、第８の図柄Ｇ８、第９の図柄Ｇ９、及び、第１０の図柄Ｇ１０の濃淡に差異が生じるようになる。
【０２３６】
次に、第１１の領域Ｒ１１及び第１２の領域Ｒ１２について、反射観察により観察される図柄について説明する。図２１に示すように、第１１の領域Ｒ１１に形成された第１の溝部５０の第１の面部５１、及び、第１２の領域Ｒ１２に形成された第４の溝部１２０の第７の面部１２１は、平行である、この為、反射観察においては、第１１の領域Ｒ１１及び第１２の領域Ｒ１２は、入射される光を同様に反射することとなる。
【０２３７】
この為、第１１の領域Ｒ１１により表示される図柄、及び、第１２の領域Ｒ１２により表示される図柄に濃淡の差が生じない。この為、第１１の領域Ｒ１１及び第１２の領域Ｒ１２は、第１の溝部５０及び第４の溝部１２０の延びる方向である第１の方向Ｖ１及び光透過層４０Ａの厚み方向Ｄのこれら２つの方向に直交する２方向のうち第１の面部５１から第２の面部５２へ向かう方向から光透過層４０Ａの厚み方向Ｄの間の範囲のいずれかの方向に沿う光Ｌ８の一部を観察者Ｈ側に反射する。観察者Ｈがこの反射光を観察することにより、第１１の領域Ｒ１１及び第１２の領域Ｒ１２は、円形の図柄を明るく表示することとなる。
【０２３８】
透過観察においては、第１の方向Ｖ１及び光透過層４０Ａの厚み方向Ｄのこれら２つの方向に直交する２方向のうち第１の面部５１から第２の面部５２へ向かう方向から光透過層４０Ａの厚み方向Ｄの間の範囲のいずれかの方向に沿う光Ｌ９が、第１１の領域Ｒ１１の第２の面部５２、及び、第１２の領域Ｒ１２の第８の面部１２２を透過して観察者により観察される。しかしながら、第２の面部５２の表面積に対して第８の面部１２２の表面積が大きいことにより、第１２の領域Ｒ１２により表示される月形状の図柄は、第１１の領域Ｒ１１により表示される図柄に対して明るく表示される。
【０２３９】
このように、第１１の領域Ｒ１１、及び、第１２の領域Ｒ１２では、透過観察において光を透過可能な面部の表面積が異なることにより、表示される図柄に濃淡を生じさせている。本実施形態では、第８の面部１２２の表面積を、第２の面部５２の表面積よりも大きくする手段の一例として、第４の溝部１２０の形状を第１の溝部５０と相似または略相似となる形状とするとともに、第４の溝部１２０の深さを第１の溝部５０の深さよりも深くしている。
【０２４０】
このように、溝部の深さを調整することにより、透過観察により表示される図柄に濃淡を生じさせることができる。具体的には、溝部の深さと２５５階調のグレースケールとを対応させる。溝部の深さが深くなるにつれて、表示される図柄が明るく表示されるようになる。この場合、光透過層４０Ａに形成可能な溝部の深さの上限値までを２５５階調のグレースケールに対応させるようにしてもよい。すなわち、光透過層４０Ａに形成可能な溝部の深さが１５μｍであった場合、１５μｍをグレースケールの値として０とする。
【０２４１】
このように構成された物品１０Ａでは、表示体３０Ａは、観察者が反射観察により視認可能な図柄に対して、透過観察で視認可能な図柄に濃淡を生じさせることにより、表される図柄の形状は同じであっても、異なる図柄として表示することができる。この為、表示体３０Ａの視覚効果を高めることができる。
【０２４２】
さらに、表示体３０Ａは、その視覚効果が高められることにより、偽造されにくくなる。この為、表示体３０Ａが偽造されることを防止できる。さらに、表示体３０Ａを有する物品が偽造されることも防止できる。
【０２４３】
なお、第１の実施形態及び第２の実施形態では、表示体３０，３０Ａは、物品１０，１０Ａに接着層９０により固定されているが、これに限定されない。他の例としては、表示体３０，３０Ａの構成が、物品１０，１０Ａの一部に一体に形成されてもよい。すなわち、物品１０，１０Ａの一部に、反射層８０及び光透過層４０，４０Ａが積層されることにより、物品１０，１０Ａと表示体３０，３０Ａとを一体に形成してもよい。
【０２４４】
また、第１の実施形態及び第２の実施形態では、光透過層４０，４０Ａの界面４２，４２Ａの各領域には、溝部が形成された。しかしながら、各領域に形成されるものは、溝部に限定されない。例えば、突出部が形成されてもよい。
【０２４５】
図２５は、表示体３０の変形例である表示体３０Ｂを示している。表示体３０Ｂは、第１の領域Ｒ１に、第１の溝部５０に代えて複数の第１の突出部２００が形成されている。第２の領域Ｒ２に、第２の溝部６０に代えて複数の第２の突出部２１０が形成されている。第３の領域Ｒ３に、第３の溝部７０に代えて複数の第３の突出部２２０が形成されている。
【０２４６】
これら突出部は、光透過層４０の厚み方向Ｄに傾斜する平面に形成された傾斜面部、及び、傾斜面部に対して交差する平面に沿う面部を有している。これら突出部は、傾斜面部に、反射を目的とする反射層８０が積層されるとともに、上述の条件１及び条件２を満たし、好ましくは、条件３及び条件４の少なくとも一方を満たすように形成されている。
表示体３０Ｂでは、突出部２００，２１０，２２０は、例えば条件１及び条件２が満たされるように形成されている。
【０２４７】
第１の突出部２００は、全て同じ形状である。第１の突出部２００の高さは、例えば一定である。第１の突出部２００は、第１の方向Ｖ１に平行に延びている。第１の突出部２００の外面の一部には反射層８０が積層されており、残りの部分には反射層は積層されていない。
【０２４８】
なお、図２５では説明の為、２つの第１の突出部２００が、誇張して大きく描かれている。しかしながら、実際には、第１の突出部２００は小さいものであり、かつ、２つ以上のより多数が形成されている。
【０２４９】
第１の領域Ｒ１内に形成された第１の突出部２００に積層された反射層８０で反射した光により、第１の図柄Ｇ１が表示される。また、第１の領域Ｒ１に形成された第１の突出部２００の内面において反射層８０が積層されていない部分を透過した光により、第１の図柄Ｇ１が表示される。
【０２５０】
第１の突出部２００は、光透過層４０の厚み方向Ｄに対して傾斜する平面である第１０の面部（傾斜面部）２０１、及び、第１０の面部２０１に交差する平面に沿う第１１の面部（面部）２０２を有している。
【０２５１】
第１０の面部２０１は、界面４２の第４の領域Ｒ４の平面の延長面との間の角度が鈍角となる平面である。第１１の面部２０２は、第１０の面部２０１に交差する方向の一例として、光透過層４０の厚み方向Ｄに沿う。なお、平面に沿うとは、第１１の面部２０２が平面である場合は、平面に平行であることであり、第１１の面部２０２が平面ではない場合は、第１１の面部２０２の延びる方向が平面の延びる方向と一致することである。第１０の面部２０１は、平面であるので、その比表面積は、１となる。
【０２５２】
第１１の面部２０２は、第１０の面部２０１の比表面積よりも大きな比表面積を有している。具体的には、第１１の面部２０２は、その比表面積が、第１０の面部２０１の比表面積の１．５倍以上である。第１１の面部２０２は、その比表面積が第１０の面部２０１の比表面積より大きくなるように、例えば、複数の凹部２０３を有している。凹部２０３は、第１の溝部５０に形成された凹部５３と同様に形成されている。第１１の面部２０２は、複数の凹部２０３を有することにより、その比表面積が第１の面部５１の比表面積よりも大きくなる。
【０２５３】
第１の突出部２００は、第１の方向Ｖ１に直交する断面において、第１０の面部２０１の縁から第１１の面部２０２の縁までの長さが一例として５μｍ以上であってかつ５０μｍ以下の長さであり、高さが一例として１μｍ以上であってかつ１５μｍ以下の深さである。
【０２５４】
第１の方向Ｖ１に直交する断面において、第１０の面部２０１の縁から第１１の面部２０２の縁までの長さを５μｍ未満とすると、透過観察の際に回折光が射出される為、表示体３０全体が虹色に表示され、領域毎に図柄を表示できなくなる。さらに、第１の方向Ｖ１に直交する断面において、第１０の面部２０１の縁から第１１の面部２０２の縁までの長さを５０μｍより大きくすると、第１の突出部２００の構造が、観察者に肉眼で認識される虞がある。この為、上述のように、５μｍ以上であってかつ５０μｍ以下の長さとなっている。
【０２５５】
第１の突出部２００の深さを１μｍ未満とすると、第１の突出部２００においてを光が透可能な部分の面積が小さく、それゆえ十分に光が透過できず、観察者による透過観察が困難になる。さらに、第１の突出部２００の高さを１５μｍより大きくすると、第１の突出部２００を形成することが困難となる。この為、第１の突出部２００は、上述のように、第１の方向Ｖ１に直交する断面において、第１０の面部２０１の縁から第１１の面部２０２の縁までの長さが一例として５μｍ以上であってかつ５０μｍ以下の長さであり、高さが一例として１μｍ以上であってかつ１５μｍ以下の高さに形成されている。
【０２５６】
本実施形態では、さらに、アスペクト比が０．５以上であってかつ１．５以下の範囲となるように形成されている。ここで言うアスペクト比は、第１の方向Ｖ１に直交する断面において、第１０の面部２０１の縁から第１１の面部２０２の縁までの長さに対する第１の突出部２００の高さの割合であり、第１０の面部２０１の縁から第１１の面部２０２の縁までの長さをＡ３とし、第１の突出部２００の高さをＡ４とすると、Ａ４／Ａ３で表される。アスペクト比を０．５以上であってかつ１．５以下とすることにより、第１の突出部２００の形成のしやすさを確保しつつ、第１の突出部２００を透過する光（透過光）を十分なものとしやすい。なお、ここでいう、十分なものとは、観察者が観察するに十分な光であることを示す。
【０２５７】
第１の突出部２００は、その幅方向に複数隣接して配置されている。光透過層４０の界面４２において隣接する第１の突出部２００は、互いに連続して形成されている。または、隣接する第１の突出部２００は、隣接する第１の突出部２００が互いに離れていてもよい。
【０２５８】
第１０の面部２０１には、反射層８０が積層されている。反射層８０は、照射された光を反射することを目的として形成されており、例えば、照射された光の１０パーセント以下のみ透過可能に形成されている。第１１の面部２０２には、反射層８０は積層されていない。
【０２５９】
第２の突出部２１０は、全て同じ形状である。第２の突出部２１０の高さは、例えば一定である。第２の突出部２１０の外面には反射層８０が積層されている。なお、図２５では説明の為、２つの第２の溝部６０が誇張して大きく描かれている。第２の突出部２１０は、実際には小さいものであり、かつ、２つ以上の多数が形成されている。第２の突出部２１０は、第１の突出部２００に対して、上述の条件２を満たすように形成されている。
【０２６０】
第２の領域Ｒ２に形成された第２の突出部２１０の外面の一部に積層された反射層８０で反射した光により、第２の図柄Ｇ２が表示される。また、第２の領域Ｒ２に形成された第２の突出部２１０の外面において反射層８０が積層されていない部分を透過した光により、第２の図柄Ｇ２が表示される。
【０２６１】
第２の突出部２１０は、直線状に延びている。第２の突出部２１０は、第１の方向Ｖ１に平行に延びている。第２の突出部２１０の長手方向両端は、第２の領域Ｒ２の外郭線まで延びている。
【０２６２】
第２の突出部２１０の外面は、光透過層４０の厚み方向Ｄに対して傾斜する平面である第１２の面部（傾斜面部）２１１、及び、第１２の面部２１１に交差する平面に沿う第１３の面部（面部）２１２を有している。
【０２６３】
第１２の面部２１１は、界面４２の第４の領域Ｒ４の平面の延長面との間の角度が鈍角となる平面である。第１２の面部２１１は、例えば、第１の領域Ｒ１に形成された第１の突出部２００の第１０の面部２０１と平行な平面に形成されている。第１２の面部２１１の比表面積は１である。
【０２６４】
第１３の面部２１２は、第１２の面部２１１に交差する方向の一例として、例えば、光透過層４０の厚み方向Ｄに対して傾斜し、かつ、第４の領域Ｒ４の平面の延長面と間になす角度が鈍角となる方向に沿っている。なお、平面に沿うとは、第１３の面部２１２が平面である場合は、平面に平行であることであり、第１３の面部２１２が平面ではない場合は、平面に沿うことである。第１３の面部２１２は、例えば、第２の溝部６０の第４の面部６２が沿う平面に平行な平面に沿う面に形成されている。
【０２６５】
第１３の面部２１２が、光透過層４０の厚み方向Ｄに交差する平面に沿う面に形成されることにより、第１の突出部２００の第１１の面部２０２が沿う方向、及び、第２の突出部２１０の第１３の面部２１２が沿う方向が異なることとなるので、上述の条件３が満たされることとなる。
【０２６６】
第１３の面部２１２は、第１２の面部２１１の比表面積よりも大きな比表面積を有している。第１３の面部２１２の比表面積は、第１２の面部２１１の比表面積の１．５倍以上の大きさを有している。第１３の面部２１２は、その比表面積が第１２の面部２１１の比表面積より大きくなるように、例えば、複数の凹部２１３を有している。凹部２１３は、第２の溝部６０の凹部６３と同様に形成されている。第１３の面部２１２の比表面積は、第１１の面部２０２の比表面積と、異なる。第１３の面部２１２の比表面積は、第１１の面部２０２の比表面積よりも小さい。
【０２６７】
第２の突出部２１０は、第１の突出部２００と同様の理由により、第１の方向Ｖ１に直交する断面において、第１２の面部２１１の縁から第１３の面部２１２の縁までの長さが一例として５μｍ以上であってかつ５０μｍ以下の長さであり、高さが一例として１μｍ以上であってかつ１５μｍ以下の深さである。さらに、好ましくは、そのアスペクト比が、第１の突出部２００と同様の理由により、０．５以上であってかつ１．５以下となっている。
【０２６８】
第２の突出部２１０は、その幅方向に複数隣接して配置されている。光透過層４０の界面４２において隣接する第２の突出部２１０は、互いに連続して形成されている。または、隣接する第２の突出部２１０は、離れて配置されてもよい。
【０２６９】
第１２の面部２１１には、反射層８０が積層されている。第１２の面部２１１に積層された反射層８０は、照射された光を反射することを目的として形成されており、例えば、照射された光の１０パーセント以下のみ透過可能に形成されている。第１３の面部２１２には、反射層８０が積層されている。第１３の面部２１２に積層された反射層８０は、観察者が透過観察可能な厚みを有しており、入射した光の２０パーセント以上を透過可能な厚みを有している。
【０２７０】
第３の突出部２２０は、全て同じ形状である。図２５では説明の為、２つの第３の突出部２２０が、誇張して大きく描かれている。しかしながら、第３の突出部２２０は、実際には小さいものであり、かつ、２つ以上の多数が形成されている。第３の突出部２２０は、その外面の全域に、反射を目的として反射層８０が積層されている。第３の領域Ｒ３に形成された第３の溝部７０に積層された反射層８０で反射した光により、第３の図柄Ｇ３が表示される。第３の溝部７０は、図３に示すように、直線状に延びている。本実施形態では、第３の溝部７０は、第１の方向Ｖ１に平行に延びている。また、第３の溝部７０の長手方向両端は、第３の領域Ｒ３の外郭線まで延びている。
【０２７１】
第３の突出部２２０は、光透過層４０の厚み方向Ｄに対して傾斜する平面である第１４の面部２２１、及び、第１４の面部２２１に交差する平面に沿う第１５の面部２２２を有している。
【０２７２】
第１４の面部２２１は、第４の領域Ｒ４の平面の延長面との間の角度が鈍角となる平面である。本実施形態では、第１４の面部２２１は、例えば、第１の実施形態で説明された第１の領域Ｒ１に形成された第１の溝部５０の第１の面部５１と平行な平面に形成されている。
【０２７３】
第１５の面部２２２は、第１４の面部２２１に交差する方向の一例として光透過層４０の厚み方向Ｄに平行な平面に形成されている。第１５の面部２２２は、比表面積が１である。このように、第２の突出部２１０及び第３の突出部２２０は、それぞれの面部の比表面積が異なるので、条件１が満たされる。
【０２７４】
第３の突出部２２０は、その全面に反射層８０が積層される為、透過観察により図柄を表示することはないが、一例として、第１の方向Ｖ１に直交する断面において、第１４の面部２２１の縁から第１５の面部２２２の縁までの長さが一例として５μｍより大きくかつ５０μｍ未満の長さであり、高さが一例として１μｍより高くかつ１５μｍ未満の高さである。さらに、好ましくは、そのアスペクト比が、０．５以上であってかつ１．５以下となっている。このように形成されることにより、第３の突出部２２０の形成しやすさを確保しつつ、観察者が肉眼でその突出部の形状を認識することを防止できる。
【０２７５】
本実施形態では、第３の突出部２２０は、その幅方向に複数隣接して配置されている。隣接する第３の突出部２２０は、互いに連続して形成されている。または、隣接する第３の突出部２２０は、離れて配置されてもよい。
【０２７６】
第１４の面部２２１及び第１５の面部２２２には、反射層８０が積層されている。面部２２１，２２２に積層された反射層８０は、照射された光を反射することを目的として形成されており、例えば、照射された光の１０パーセント以下のみ透過可能に形成されている。このように、第１５の面部２２２に透過率が１０パーセント以下となる厚みを有する反射層８０が積層され、第２の突出部２１０の第１３の面部２１２に透過率が２０パーセント以上となる厚みを有する反射層８０が積層されることにより、第２の条件が満たされる。
【０２７７】
このように構成された表示体３０Ｂでは、第１の突出部２００は、光に対して、第１の実施形態で説明された第１の領域Ｒ１に形成された第１の溝部５０と同様に作用する。第２の突出部２１０は、光に対して、第１の実施形態で説明された第２の領域Ｒ２に形成された第２の溝部６０と同様に作用する。第３の突出部２２０は、光に対して、第１の実施形態で説明された第３の領域Ｒ３に形成された第３の溝部７０と同様に作用する。
【０２７８】
この為、表示体３０Ｂは、透過観察、及び、反射観察した場合に、第１の実施形態で説明された表示体３０と同様の図柄を表示する。
【０２７９】
また、界面４２，４２Ａに、溝部及び突出部を形成してもよい。図２６は、その一例である、表示体３０の変形例となる表示体３０Ｃを示している。表示体３０Ｃでは、第１の領域Ｒ１に、表示体３０と同様に第１の溝部５０が複数形成されている。この第１の溝部５０には、第１の実施形態と同様に、第１の面部５１に、反射光により図柄を表示可能であり、反射観察により当該図柄を観察者が観察可能となる反射層８０が積層されている。第２の面部５２には、反射層８０は積層されていない。
【０２８０】
第２の領域Ｒ２には、表示体３０Ｂと同様に、第２の突出部２１０が複数形成されている。この第２の突出部２１０には、表示体３０Ｂと同様に、第１２の面部２１１に、反射光により図柄を表示可能であり、反射観察により当該図柄を観察者が観察可能となる反射層８０が積層されている。第１３の面部２１２には、反射層８０は、透過観察可能な厚みの反射層８０が積層されている。
【０２８１】
第３の領域Ｒ３には、表示体３０と同様の第３の溝部７０、及び、表示体３０Ｂと同様の第３の突出部２２０が形成されている。第３の溝部７０は、複数形成されている。第３の突出部２２０は、複数形成されている。第３の溝部７０及び第３の突出部２２０は、幅方向に交互に並んで配置されている。この第３の溝部７０、及びこの第３の突出部２２０には、反射光により図柄を表示可能であり、反射観察により当該図柄を観察者が観察可能となる反射層８０が積層されている。
【０２８２】
このように構成された表示体３０Ｃは、透過観察した場合、及び、反射観察した場合に、表示体３０と同様の図柄を表示する。
【０２８３】
なお、突出部が形成される例として、表示体３０の変形例となる表示体３０Ｂ、３０Ｃを用いて説明した。他の例として、第２の実施形態で説明された表示体３０Ａにおいても、表示体３０Ｂ，３０Ｃと同様に、溝部に代えて、突出部が形成されてもよい。
【０２８４】
具体的には、領域Ｒ５、Ｒ６、Ｒ７では、第２の溝部６０に代えて、第２の突出部２１０が複数形成されてもよい。または、領域Ｒ５，Ｒ６，Ｒ７では、複数の第２の溝部６０及び複数の第２の突出部２１０が形成されてもよい。
【０２８５】
領域Ｒ８，Ｒ９，Ｒ１０では、第１の溝部５０に代えて、第１の突出部２００が形成されてもよい。または、領域Ｒ８，Ｒ９，Ｒ１０では、複数の第１の溝部５０、及び、複数の第１の突出部２００が形成されてもよい。
【０２８６】
第１１の領域Ｒ１１では、第１の溝部５０に代えて、第１の突出部２００が複数形成されてもよい。または、第１１の領域Ｒ１１では、複数の第１の溝部５０、及び、複数の第１の突出部２００が形成されてもよい。
【０２８７】
第１２の領域Ｒ１２では、第４の溝部１２０に代えて、第１の突出部２００と相似または略相似の形状であり、かつ、その高さが第１の突出部２００の高さよりも高い突出部が形成されてもよい。この突出部は、光に対して、第４の溝部１２０と同様の作用を有する。または、第１２の領域Ｒ１２では、複数の第４の溝部１２０、及び、光に対して第４の溝部１２０と同様の作用を有する上述の突出部が複数形成されてもよい。
【０２８８】
なお、第１の実施形態、及び、第２の実施形態では、第１の溝部５０の第２の面部５２、及び、第２の溝部６０の第４の面部６２は、反射層８０が積層されていないがこれに限定されない。他の例としては、第１の溝部５０の第２の面部５２、及び、第２の溝部６０の第４の面部６２は、薄膜の反射層８０が積層されてもよい。ここで言う薄膜とは、光を十分可能な厚みであり、第１の面部５１に積層された反射層８０や第３の面部６１に積層された反射層８０のように、光を反射することを主目的とする反射層８０の厚みよりも薄いものを言う。光を反射することを主目的とする反射層８０の光透過率が１０パーセント以下であることに対して、光を透過することを目的とする第２の面部に積層される反射層８０は、入射した光の２０パーセント以上の光を透過可能な厚みを有することが好ましい。
【０２８９】
なお、第１の実施形態、及び、第２の実施形態では、第２の面部５２の比表面積を、第１の面部５１の比表面積の１．５倍以上とし、第４の面部６２の比表面積を第３の面部６１の比表面積の１．５倍以上としている。これは、比表面積を１．５倍以上とすることにより、真空蒸着方法により第１の面部５１に十分な厚みの反射層８０を積層させ、かつ、第３の面部６１に十分な厚みの反射層８０を積層させると、第２の面部５２には第１の面部５１に積層された反射層８０の０．６７倍の厚みの反射層８０が積層されることとなる為である。この厚みの反射層８０は、光の透過率が２０パーセント以下となる。
【０２９０】
つまり、真空蒸着方法により第２の面部５２及び第４の面部６２に反射層８０が積層されてしまっても、この反射層８０の厚みを、使用に不具合の生じない厚みに抑えることができるので、第２の面部５２、及び、第４の面部６２から反射層８０を作業しなくてもよい。
【０２９１】
なお、第１の実施形態、及び、第２の実施形態では、一例として、第２の面部５２に積層された反射層８０、及び、第４の面部６２に積層された反射層８０を除去しているが、これに限定されない。例えば、第１の実施形態において、第１の溝部５０の第２の面部５２に、透過光により図柄を表示可能とし、透過観察により観察者に認識可能とする厚みを有する反射層８０が積層されてもよい。第２の溝部６０の第４の面部６２にも同様の反射層８０が積層されてもよい。
【０２９２】
また、第２の実施形態では、第５の領域Ｒ５乃至第１２の領域Ｒ１２に形成された溝部のうち、第１２の領域Ｒ１２に形成された溝部である第４の溝部１２０のみ、その深さが他の領域に形成された溝部の深さとは異なる。例えば、各領域に形成された溝部の深さが、互いに異なっていてもよい。このように各領域に形成された溝部の深さが異なることにより、領域毎に溝部の光透過量が異なることとなる。このように、領域毎に光透過量が異なることにより、透過観察により認識される図柄の濃淡も異なるものとなる。さらに、各領域に形成される溝部の深さは、領域毎に異なることなる深さとしつつ、かつ、透過観察により認識される図柄を所望の明るさとなるように、設定されてもよい。
【０２９３】
図２７は、複数の領域のそれぞれに形成された、溝部の深さが領域毎に異なることの一例を示している。図２７は、第１の実施形態で説明された表示体３０の変形例を示している。図２７に示すように、第２の領域Ｒ２に形成された第２の溝部６０の深さは、第１の領域Ｒ１に形成された第１の溝部５０の深さよりも深い。さらに、第３の領域Ｒ３に形成された第３の溝部７０の深さは、第２の領域Ｒ２に形成された第２の溝部６０の深さよりも深い。
【０２９４】
または、各領域に溝部のみ形成される場合では、第２の実施形態のように、複数の領域に少なくとも１つに形成された溝部の深さを、他の領域に形成された溝部の深さと異なる深さとしてもよい。
【０２９５】
同様に、図２５に示す変形例のように各領域に突出部が形成される場合では、突出部の高さは、領域毎に異なっていてもよい。さらに、各領域に形成される突出部の高さは、領域毎に異なることなる高さとしつつ、かつ、透過観察により認識される図柄を所望の明るさとなるように、設定されてもよい。
【０２９６】
図２８は、複数の領域のそれぞれに形成された、突出部の高さが領域毎に異なることの一例を示している。図２８は、図２５を用いて説明された表示体３０Ｂの変形例を示している。図２８に示すように、第２の領域Ｒ２に形成された第２の突出部２１０の高さは、第１の領域Ｒ１に形成された第１の突出部２００の高さよりも高い。さらに、第３の領域Ｒ３に形成された第３の突出部２２０の高さは、第２の領域Ｒ２に形成された第２の突出部２１０よりも高い。
【０２９７】
または、図２５及び図２８に示すように、各領域に突出部のみ形成される場合では、複数の領域に少なくとも１つに形成された突出部の高さを、他の領域に形成された突出部の高さと異なる高さとしてもよい。
【０２９８】
同様に、図２６に示す変形例のように、溝部が形成される領域及び突出部が形成される領域が存在する場合では、溝部の深さの長さ及び突出部の高さの長さが、領域毎に異なってもよい。より具体的には、第１の領域Ｒ１に形成された溝部の深さの長さＳ１、第２の領域Ｒ２に形成された突出部の高さの長さＳ２、並びに、第３の領域Ｒ３の形成された溝部の深さの長さ及び第３の領域Ｒ３に形成された突出部の高さの長さＳ３は、互いに異なる。すなわち、Ｓ１、Ｓ２、Ｓ３は、それぞれ異なる。
【０２９９】
図２９は、上述の変形例の一例を示している。図２９は、図２６を用いて説明された表示体３０Ｃの変形例である。図２９は、すなわち、複数の領域のそれぞれに形成された、溝部または突出部の深さまたは高さが領域毎に異なることの一例を示している。図２９に示すように、第２の領域Ｒ２に形成された第２の突出部２１０の高さ２は、第１の領域Ｒ１に形成された第１の溝部５０の深さＳ１よりも長い。さらに、第３の領域Ｒ３に形成された第３の溝部７０の深さＳ３、及び第３の領域Ｒ３に形成された第３の突出部２２０の高さＳ３は、互いに同じであり、かつ、深さＳ３及び高さＳ３は、第２の領域Ｒ２に形成された第２の突出部２１０の高さＳ２よりも長い。
【０３００】
または、図２６及び図２９に示すように、溝部が形成される領域、及び突出部が形成される領域を有する場合では、複数の領域の少なくとも１つに形成された溝部または突出部の深さまたは高さが、他の領域に形成された溝部または突出部の深さまたは高さと異なるものとしてもよい。
【０３０１】
本発明の第３の実施形態に係る物品１０Ｂについて、図３０乃至図４８を用いて説明する。なお、第１の実施形態と同様の機能を有する構成は、第１の実施形態と同一の符号を付して説明を省略する。本実施形態の物品１０Ｂは、第１の実施形態の物品１０の表示体３０が、表示体３０Ｄに置き換えられたものである。なお、第１の方向Ｖ１は、紙幣本体２０の短手方向に平行な方向であり、表示体３０Ｄの短手方向に平行な方向である。第５の方向Ｖ５は、紙幣本体２０の長手方向に平行な方向であり、表示体３０Ｄの長手方向に平行な方向である。なお、第５の方向Ｖ５は、第１の実施形態の第１の溝部５０の配列方向Ｖ１０と平行な方向である。
【０３０２】
図３０は、物品１０Ｂを示す平面図である。図３０に示すように、物品１０Ｂは、紙幣本体２０、及び、紙幣本体２０の一方の主面２１上に固定された表示体３０Ｄを有している。
【０３０３】
表示体３０Ｄは、紙幣本体２０において透光性を有する部分に固定されている。本実施形態では、表示体３０Ｄは、紙幣本体２０の光透過部２４の一方の表面上に固定されている。表示体３０Ｄは、光透過部２４の領域内に配置されている。
【０３０４】
表示体３０Ｄは、シート状に形成されている。表示体３０Ｄは、平面視で、例えば長方形状に形成されている。表示体３０Ｄは、その短手方向を第１の方向Ｖ１に平行とする姿勢で、光透過部２４に固定されている。表示体３０Ｄは、所定の反射観察条件、または、所定の透過観察条件において図柄を表示可能に形成されている。
【０３０５】
図３１は、表示体３０Ｄを示す平面図である。図３１に示すように、表示体３０Ｄは、所定の反射観察条件において、第１２の図柄Ｇ１２、第１３の図柄Ｇ１３、及び、第１４の図柄Ｇ１４を表示可能に形成されている。また、表示体３０Ｄは、所定の透過観察条件において、第１２の図柄Ｇ１２、第１３の図柄Ｇ１３、及び、第１４の図柄Ｇ１４を表示可能に形成されている。第１２の図柄Ｇ１２は、例えば、長方形の図柄である。第１３の図柄Ｇ１３は、例えば、円形の図柄である。第１４の図柄Ｇ１４は、例えば、三角形の図柄である。
【０３０６】
反射観察とは、表示体３０Ｄの反射層８０（図３２参照）によって反射された光を観察するものである。反射観察は、例えば、表示体３０Ｄに対して光透過層４０（図３２参照）側から照射された光が反射層８０にて反射することにより表示された図柄を観察するものである。透過観察とは、反射層８０側から照射されて光透過層４０を透過した光を観察するものである。
【０３０７】
図３２は、物品１０Ｂを示す断面図である。図３２は、表示体３０Ｄの第１の方向Ｖ１の中途部を通り、第１の方向Ｖ１に直交する断面に沿って切断した状態を示している。表示体３０Ｄは、図３２に示すように、光透過層４０、光透過層４０の一部に積層された反射層８０、並びに、反射層８０、及び光透過層４０において反射層８０が積層されていない部分に積層された接着層９０を有している。
【０３０８】
光透過層４０の主面４１は、平面に形成されている。また、主面４１は、光透過層４０の厚み方向Ｄに直交する平面に形成されている。光透過層４０において、反射層８０または接着層９０が積層される面となる界面４２は、第１２の図柄Ｇ１２を表示可能な第１４の領域Ｒ１４、第１３の図柄Ｇ１３を表示可能な第１５の領域Ｒ１５、第１４の図柄Ｇ１４を表示可能な第１６の領域Ｒ１６、及び、領域Ｒ１４，Ｒ１５，Ｒ１６以外の部分となる第１７の領域Ｒ１７を有している。第１７の領域Ｒ１７は、光透過層４０の厚み方向Ｄに直交する平面に形成されている。
【０３０９】
これら領域Ｒ１４，Ｒ１５，Ｒ１６は、それぞれに、反射層８０から離れる方向に凹んだ溝部、または、反射層８０側に突出した突出部が形成されている。これら溝部または突出部は、その断面形状が三角形状となる第１の形状または台形状となる第２の形状に形成されている。
【０３１０】
第１の形状は、光透過層４０の厚み方向Ｄに傾斜する平面に形成された傾斜面部、及び、傾斜面部に連続し、かつ、傾斜面部に対して交差する平面に沿う面部を有している。そして傾斜面部及び面部が、界面４２の厚み方向Ｄに直交する同一の平面まで延びている。なお、ここで言う同一の平面は、実際に存在する平面ではなく、仮想の面である。この仮想の平面は、例えば、第１７の領域Ｒ１７に平行な平面である。第２の形状は、傾斜面部、面部、傾斜面部に連続し、かつ、傾斜面部に対して交差する平面に沿う面部、及び、厚み方向Ｄに直交する平面部及び傾斜面部に連続する側面部を有する。この平面部は、界面４２に形成された実際に存在する面部である。
【０３１１】
これら溝部または突出部は、傾斜面部に、反射を目的とする反射層８０が積層されるとともに、以下条件１及び条件２を満たし、好ましくは、条件３及び条件４の少なくとも一方を満たすように形成されている。条件１乃至条件４は、第１の実施形態及び第２の実施形態で説明したものと同じである。
【０３１２】
条件１：領域Ｒ１４，Ｒ１５，Ｒ１６のうち少なくとも１つの領域の面部は、他の領域のうち少なくとも１つの領域の面部に対して、その比表面積が異なる。すなわち、複数の領域のうち少なくとも１つの領域の面部の比表面積は、他の領域のうち少なくとも１つの領域の面部の比表面積と異なる。
【０３１３】
条件２：領域Ｒ１４，Ｒ１５，Ｒ１６のうち少なくとも１つの領域の面部に積層された反射層８０の厚みは、他の領域のうち少なくとも１つの領域の面部に積層された反射層８０の厚みと異なる。すなわち、複数の領域のうち少なくとも２つの領域の面部に反射層が積層され、少なくとも１つの領域の面部に積層された反射層の厚みは、他の領域のうち少なくとも１つの領域の面部に積層された反射層の厚みと異なる。
【０３１４】
条件３：領域Ｒ１４，Ｒ１５，Ｒ１６のうち少なくとも１つの領域の面部の沿う方向が、他の領域のうち少なくとも１つの領域の面部の沿う方向と異なる。すなわち、面部の光透過層４０の厚み方向Ｄに対する傾斜角度が異なる。さらに言い換えると、複数の領域のうち少なくとも１つの領域の面部が沿う平面の厚み方向に対する傾斜角度は、他の領域のうち少なくとも１つの領域の面部が沿う平面の厚み方向に対する傾斜角度と異なる。
【０３１５】
条件４：領域Ｒ１４，Ｒ１５，Ｒ１６のうち少なくとも１つの領域に形成された傾斜面部の法線、及び他の領域のうち少なくとも１つの領域に形成された傾斜面部の法線は、平行ではない。すなわち、複数の領域のうち少なくとも１つの領域に形成された溝部または突出部の傾斜面部の法線が延びる方向は、他の領域のうち少なくとも１つの領域に形成された溝部または突出部の傾斜面部の法線が延びる方向とは異なる。なお、ここで言う傾斜面部の法線は、傾斜面部に直交する方向に平行な線である。
【０３１６】
本実施形態では、図３２に示すように、第１４の領域Ｒ１４には、第２の形状を有する溝部が形成されている。第１５の領域Ｒ１５には、第１の形状を有する溝部が形成されている。第１６の領域Ｒ１６には、第２の形状を有する溝部が形成されている。さらに、領域Ｒ１４，Ｒ１５，Ｒ１６に形成される溝部は、上記条件１乃至４のうち、条件１及び条件２を満たし、さらに、条件４を満たすように形成されている。
【０３１７】
第１４の領域Ｒ１４は、その外郭線は、第１２の図柄Ｇ１２と同様の形状を有している。第１２の図柄Ｇ１２は、例えば、第１の図柄Ｇ１と同じであり、長方形である。
【０３１８】
第１４の領域Ｒ１４には、第２の形状を有する第５の溝部２３０が複数形成されている。第５の溝部２３０は、界面４２から光透過層４０の内側に向かって凹む溝部である。これら第５の溝部２３０は、全て同じ形状である。第５の溝部２３０の内面の一部には反射層８０が積層されており、残りの部分には反射層は積層されていない。
【０３１９】
なお、図３２では説明の為、第１４の領域Ｒ１４には３つの第５の溝部２３０が誇張して大きく描かれている。しかしながら、実際には、第５の溝部２３０は小さいものであり、かつ、３つ以上のより多数が形成されている。なお、第５の溝部２３０の数は限定されない。
【０３２０】
第５の溝部２３０の内面の一部に積層された反射層８０で反射した光により、第１２の図柄Ｇ１２が表示される。また、第５の溝部２３０の内面において反射層８０が積層されていない部分を透過した光により、第１２の図柄Ｇ１２が表示される。
【０３２１】
図３１は、第１４の領域Ｒ１４の外郭線を２点鎖線で示しており、かつ、第１４の領域Ｒ１４に形成された第５の溝部２３０を誇張して大きく描いている。第５の溝部２３０の幅は、実際には小さいものである。第５の溝部２３０は、図３１に示すように、直線状に延びている。本実施形態では、第５の溝部２３０は、表示体３０Ｄの短手方向に平行に延びており、表示体３０Ｄが紙幣本体２０に固定された状態では、第１の方向Ｖ１に平行に延びている。
【０３２２】
図３３は、表示体３０Ｄの要部を示す断面図である。図３３は、具体的には、第５の溝部２３０及びその周辺を、第１の方向Ｖ１に直交する断面に沿って切断した状態を示す断面である。図３３に示すように、第５の溝部２３０は、厚み方向Ｄに対して傾斜する平面である第１６の面部（傾斜面部）２３１、光透過層４０の厚み方向Ｄに沿う第１７の面部（面部）２３２、並びに、第１６の面部２３１及び第１の平面部２３３に連続する第１８の面部（側面部）２３４を有している。
【０３２３】
第１の平面部２３３は、第１４の領域Ｒ１４において光透過層４０の厚み方向Ｄに直交する平面に形成された部分である。第１４の領域Ｒ１４では、後述するように、第５の方向Ｖ５に並んだ２つの第５の溝部２３０は、間隔を有して配置される。並んだ２つの第５の溝部２３０の間の部分は、厚み方向Ｄに直交する平面に形成されている。この部分が第１の平面部２３３となる。
【０３２４】
第１６の面部２３１は、厚み方向Ｄに直交する平面との間の角度が鈍角となる平面に形成されている。第１６の面部２３１の比表面積は、１である。第１６の面部２３１は、厚み方向Ｄに対して、１度以上４５度以下の範囲のいずれの角度に形成されている。本実施形態では、第１６の面部２３１は、一例として、光透過層４０の厚み方向Ｄに対して３０度の傾斜をなす平面に形成されている。
【０３２５】
ここで、第１６の面部２３１の、厚み方向Ｄに対する傾斜角度の範囲について説明する。第１６の面部２３１の、厚み方向Ｄに対する傾斜角度の下限値は、第１６の面部２３１に積層された反射層８０による反射光を、厚み方向Ｄに直交する平面に積層された反射層８０による反射光に対して観察者が判別可能となる値に設定されている。第１６の面部２３１の厚み方向Ｄに対する傾斜角度が１度である場合は、観察者は、第１６の面部２３１に積層された反射層８０による反射光を、厚み方向Ｄに直交する平面に積層された反射層８０による反射光に対して判別することができる。この為、下限値を１度としている。
【０３２６】
第１６の面部２３１の、厚み方向Ｄに対する傾斜角度の上限値は、第５の溝部２３０を形成できる上限値としている。第１６の面部２３１の、厚み方向Ｄに対する傾斜角度が４５度より大きいと、第５の溝部２３０の形成が困難となる。この為、本実施形態では、上限値を、４５度としている。
【０３２７】
第１７の面部２３２は、第１６の面部２３１に交差する平面に沿う面に形成されている。本実施形態では、第１７の面部２３２は、第１６の面部２３１に交差する方向の一例として光透過層４０の厚み方向Ｄに沿う。なお、方向に沿うとは、第１７の面部２３２が平面である場合は、方向に平行であることであり、第１７の面部が平面ではない場合は、その延びる方向が一致することである。
【０３２８】
第１７の面部２３２は、その比表面積が１より大きく形成されている。また、第１７の面部２３２は、その比表面積が第１６の面部２３１の比表面積よりも大きな比表面積を有している。なお、本実施形態では、第１６の面部２３１の比表面積は、１である。この為、第１７の面部２３２の比表面積は、１より大きく形成されている。
【０３２９】
第１７の面部２３２は、本実施形態では、その比表面積が、１．５以上に形成されている。第１７の面部２３２は、その表面積を大きくする為に、例えば、複数の凹部２３５を有している。第１７の面部２３２は、複数の凹部２３５を有することにより、隣接する凹部２３５間に凸部２３６を有する。
【０３３０】
図３４は、第５の溝部２３０の第１６の面部２３１に積層された反射層８０、及び、接着層９０を示す斜視図である。すなわち、図３４に示される反射層８０及び接着層９０は、第５の溝部２３０の内部の形状と同じ形状を有している。
【０３３１】
図３４に示すように、接着層９０は、第５の溝部２３０の凹部２３５内に収容された被収容部２３５ａを有している。すなわち、被収容部２３５ａは、凹部２３５の形状に対応した形状を有している。図３４の被収容部２３５ａが示すように、第５の溝部２３０の凹部２３５及び凸部２３６は、本実施形態では、第１の方向Ｖ１に、第１７の面部２３２の一端から他端まで伸びている。凹部２３５は、図３３に示すように、その断面形状が一例として、角部が９０度となる形状に形成されている。また、凹部２３５は、一例として、全て同じ形状に形成されている。凸部２３６は、一例として、その断面形状が、角部が９０度となる形状に形成されている。また、凸部２３６は、一例として、全て同じ形状に形成されている。凹部２３５は、例えば、３μｍの間隔で配置されている。
【０３３２】
なお、凹部２３５及び凸部２３６は、第５の溝部２３０が延びる方向に平行に延びることに限定されない。凹部２３５及び凸部２３６は、光透過層４０の厚み方向Ｄに平行に延びる形状に形成されてもよい。図３５は、反射層８０及び接着層９０において、凹部２３５及び凸部２３６が光透過層４０の厚み方向Ｄに平行に延びる形状に形成された第５の溝部２３０内の部分を示す斜視図である。
【０３３３】
図３６は、凹部２３５及び凸部２３６が光透過層４０の厚み方向Ｄに平行に延びる形状に形成された第５の溝部２３０を、厚み方向Ｄに直交する断面に沿って切断した状態を示す断面図である。図３５及び図３６に示すように、凹部２３５及び凸部２３６は、厚み方向Ｄに直交する断面が、角部が９０度となる矩形状に形成されている。図３６に示す凹部２３５は、例えば、３μｍの間隔で配置されている。または、凹部２３５及び凸部２３６の延びる方向は、厚み方向Ｄに対して４５度の角度をなす方向に延びてもよい。
【０３３４】
凹部２３５及び凸部２３６は、その延びる方向に直交する断面形状が、図３３及び図３６に示すように、角部が９０度となる矩形状であることに限定されない。凹部２３５及凸部２３６は、その断面形状が、例えば、第１の実施形態の図５の（ａ）及び図５の（ｂ）に示すように形成されてもよい。または、凹部２３５及び凸部２３６は、図５の（ｃ）に示すように、全て同じ形状であることに限定されない。一部または全部がことなる形状であってもよい。
【０３３５】
第１７の面部２３２の比表面積は、第１の実施形態で説明された、基準面に基づいて求められる。第１７の面部２３２は、凹部２３５及び凸部２３６により、比表面積が１．５以上に形成されている。
【０３３６】
第１８の面部２３４は、図３３に示すように、光透過層４０の厚み方向Ｄに沿う面部に形成されている。なお、ここで言う光透過層４０の厚み方向Ｄに沿うとは、第１８の面部２３４が平面である場合は、厚み方向Ｄに平行な平面であることであり、第１８の面部２３４が平面でない場合は、厚み方向Ｄに延びていることを示す。
【０３３７】
第１８の面部２３４は、その比表面積が、１より大きく形成されている。また、第１８の面部２３４は、第１６の面部２３１の比表面積よりも大きな比表面積を有している。本実施形態では、第１８の面部２３４は、一例として比表面積が、１．５以上に形成されている。第１８の面部２３４は、具体的には、凹部２３５及び凸部２３６が形成されることにより、比表面積が１．５以上に形成されている。なお、第１８の面部２３４に形成された凹部２３５及び凸部２３６は、図３３に示す形状に限定されない。第１７の面部２３２に形成された凹部２３５凹及び凸部２３６と同様に変形例を有している。
【０３３８】
このように構成された第５の溝部２３０は、底２３７と底２３７との間の、複数の第５の溝部２３０が並ぶ第５の方向Ｖ５に沿う長さＸ１が、一例として５μｍ以上５０μｍ以下の長さに設定され、深さＤ１が一例として１μｍ以上２５μｍ以下の深さに設定されている。なお、第５の溝部２３０の底２３７は、第５の溝部２３０の第１６の面部２３１と第１７の面部２３２との交線となる部分である。深さＤ１は、反射層８０は含まず、底２３７から第１の平面部２３３までの、厚み方向Ｄに沿う深さである。第５の溝部２３０は、本実施形態では、一例として、底２３７と底２３７との間の間隔が２０μｍであり、深さが１０μｍである。
【０３３９】
なお、本実施形態では、隣り合う２つの第５の溝部２３０は、第５の方向Ｖ５に、長さＸ２を有して配置されている。長さＸ２は、一定であってもよいし、または、一定でなくてもよい。本実施形態では、長さＸ２は、全て一定の値である。長さＸ１は、長さＸ２を含む。
【０３４０】
第５の方向Ｖ５に並ぶ２つの第５の溝部２３０の底２３７と底２３７との間の長さＸ１を５μｍ未満とすると、透過観察の際に回折光が射出される為、表示体３０全体が虹色に表示され、領域毎に図柄を表示できなくなる。さらに、第５の方向Ｖ５に並ぶ２つの第５の溝部２３０の底２３７と底２３７との間長さＸ１を５０μｍより大きくすると、第５の溝部２３０の構造が、観察者に肉眼で認識される虞がある。この為、底２３７と底２３７との間の長さＸ１は、上述のように、５μｍ以上５０μｍ以下の長さに設定されている。
【０３４１】
第５の溝部２３０の深さＤ１を１μｍ未満とすると、第５の溝部２３０においてを光が透可能な部分、すなわち第１７の面部２３２及び第１８の面部２３４の面積が小さくなり、それゆえ十分に光が透過できず、観察者による透過観察が困難になる。さらに、第５の溝部２３０の深さＤ１を５０μｍより大きくすると、光透過層４０の厚みを厚くする必要がある。光透過層４０の厚みが厚くなることにより、表示体３０Ｄの厚みが厚くなる。表示体３０Ｄの厚みが厚くなることにより、表示体３０Ｄの表面と紙幣本体２０の表面との間の段差が大きくなる。段差が大きくなると、表示体３０Ｄが引っかかることが多くなり、または、見栄えが悪くなる。この為、第５の溝部２３０の深さＤ１は、１μｍ以上５０μｍ以下の長さに設定されている。
【０３４２】
本実施形態では、第５の溝部２３０は、さらに、アスペクト比が１．５以下の範囲に形成されている。本実施形態では、一例として、第５の溝部２３０は、第１の実施形態の第１の溝部５０と同様に、アスペクト比が０．５以上１．５以下の範囲となるように形成されている。
【０３４３】
なお、ここで言うアスペクト比は、第１８の面部２３４の縁から第１７の面部２３２の縁までの長さＸ３に対する第５の溝部２３０の深さＤ１の割合であり、Ｄ１／Ｘ３で表される。第５の溝部２３０のアスペクト比を０．５以上とすることにより、第５の溝部２３０の形成のしやすさを確保しつつ、第５の溝部２３０を透過する光を十分なものとすることができる。ここで言う、十分なものとは、観察者が観察するに十分であるということである。さらに、アスペクト比を１．５以下とすることにより、第５の溝部２３０の形成のしやすさを確保できる。
【０３４４】
このように形成された第５の溝部２３０は、一例として、第１４の領域Ｒ１４の第１の方向Ｖ１の一端から他端まで延びている。なお、第５の溝部２３０は、第１の方向Ｖ１に、第１４の領域Ｒ１４の一端から他端まで延びる形状に限定されない。
【０３４５】
図３７は、第５の溝部２３０の配置の変形例を説明する斜視図である。図３７は、第５の溝部２３０に積層された反射層８０、及び、接着層９０において第５の溝部２３０内の部分を示す斜視図である。図３８は、図３７に示す第５の溝部２３０を有する表示体３０Ｄを、光透過層４０の中途部で厚み方向Ｄに直交する断面に沿って切断した状態を示す断面図である。第５の溝部２３０は、図３７及び図３８に示すように、互いに直交する２方向に所定の間隔を有して配置されてもよい。図３７及び図３８に示す変形例では、第５の溝部２３０は、第１の方向Ｖ１に所定の一定の間隔を有して配置されている。また、第５の溝部２３０は、第５の方向Ｖ５に、底２３７と底２３７との間の長さＸ１が５μｍ以上５０μｍ以下の範囲となる一定の間隔を有して、マトリクス状に配置されている。
【０３４６】
なお、図３７の示すように、第５の溝部２３０が、互いに直交する２方向のそれぞれに沿って配置される例においては、第５の溝部２３０は、これら２方向に一定の間隔を有して配置されることに限定されない。他の例では、第５の溝部２３０は、互いに直交する２方向のそれぞれに沿って、不規則な間隔、すなわち一定ではない間隔を有して配置されてもよい。
【０３４７】
第１５の領域Ｒ１５は、図３１に示すように、その外郭線は、第１３の図柄Ｇ１３と同様の形状を有しており、円形である。第１５の領域Ｒ１５は、第１４の領域Ｒ１４に並んで配置されている。
【０３４８】
第１５の領域Ｒ１５には、第１の形状に形成された溝部または突出部が形成複数形成されている。本実施形態では、第１５の領域Ｒ１５には、第１の形状の溝部または突出部の一例として、第１の溝部５０が複数形成されている。第１５の領域Ｒ１５に形成された複数の第１の溝部５０は、全て同じ形状である。これら第１の溝部５０の内面の一部には反射層８０が積層されており、残りの部分には反射層は積層されていない。なお、図３２では説明の為、４つの第１の溝部５０が誇張して大きく描かれている。第１の溝部５０は、実際には小さいものであり、かつ、４つ以上の多数が形成されている。なお、第１の溝部５０の数は限定されない。
【０３４９】
第１５の領域Ｒ１５に形成された第１の溝部５０の内面の一部に積層された反射層８０で反射した光により、第１３の図柄Ｇ１３が表示される。また、第１５の領域Ｒ１５に形成された第１の溝部５０の内面において反射層８０が積層されていない部分を透過した光により、第１３の図柄Ｇ１３が表示される。
【０３５０】
第１５の領域Ｒ１５に形成された第１の溝部５０は、直線状に延びている。本実施形態では、第１５の領域Ｒ１５に形成された第１の溝部５０は、第１の方向Ｖ１に平行に延びている。また、第１の溝部５０の長手方向両端は、第１５の領域Ｒ１５の外郭線まで延びている。
【０３５１】
第１５の領域Ｒ１５に形成された複数の第１の溝部５０は、第５の方向Ｖ５に並ぶ２つ第１の溝部５０の底５５と底５５との間の長さＸ４が、５μｍ以上５０μｍ以下の範囲に設定されている。本実施形態では、第５の方向Ｖ５に並ぶ２つの第１の溝部５０の底５５と底５５との間の長さＸ４は、２０μｍに設定されている。
【０３５２】
第１５の領域Ｒ１５に形成された複数の第１の溝部５０の深さＤ２は、１μｍ以上５０μｍ以下の範囲に設定されている。深さＤ２は、反射層８０は含まず、第１の溝部５０の底となる第１の面部５１及び第２の面部５２の交線から、山となる第１の面部５１及び第２の面部５２の交線までの深さである。本実施形態では、第１５の領域Ｒ１５に形成された複数の第１の溝部５０の深さＤ２は、１０μｍに設定されている。第１５の領域Ｒ１５に形成された複数の第１の溝部５０の長さＸ４及び深さＤ２の範囲は、第１４の領域Ｒ１４に形成された複数の第５の溝部２３０にて説明された理由と同じ理由による。第１５の領域Ｒ１５に形成された複数の第１の溝部５０の第１の面部５１は、光透過層４０の厚み方向Ｄに対する角度は、例えば、２６．６度である。
【０３５３】
第１５の領域Ｒ１５に形成された第１の溝部５０の第２の面部５２の比表面積は、第１の面部５１の比表面積よりも大きい。第２の面部５２は、凹部６３及び凸部６４を有しており、１より大きく形成している。本実施形態では、第２の面部５２の比表面積は、比表面積が１．５以上に形成されている。第１５の領域Ｒ１５に形成された複数の第１の溝部５０の深さＤ２は、第５の溝部２３０の深さＤ１と同じである。また、第１５の領域Ｒ１５では、第５の方向Ｖ５に並ぶ２つの第１の溝部５０のうち一方の第２の面部５２が他方の第１の面部５１に連続している。すなわち、第１５の領域Ｒ１５では、第５の方向Ｖ５に並ぶ２つの第１の溝部５０の間には、光透過層４０の厚み方向Ｄに直交する平面となる平面部は形成されていない。
【０３５４】
また、第１５の領域Ｒ１５に形成された第１の溝部５０の第２の面部５２の比表面積は、第１４の領域Ｒ１４に形成された第５の溝部２３０の第１７の面部２３２の比表面積とは異なる。この為、条件１が満たされている。
【０３５５】
第１６の領域Ｒ１６は、図３１に示すように、その外郭線は、第１４の図柄Ｇ１４と同様の形状を有している。すなわち、第１６の領域Ｒ１６の外郭線は、三角形である。第１６の領域Ｒ１６は、第１５の領域Ｒ１５に並んで配置されている。
【０３５６】
第１６の領域Ｒ１６には、図３２に示すように、複数の第６の溝部２４０が形成されている。第６の溝部２４０の内面の一部に積層された反射層８０で反射した光により、第１４の図柄Ｇ１４が表示される。また、第６の溝部２４０の内面において反射層８０が積層されていない部分を透過した光により、第１４の図柄Ｇ１４が表示される。なお、図３２では説明の為、３つの第６の溝部２４０が、誇張して大きく描かれている。しかしながら、第６の溝部２４０は、実際には小さいものであり、かつ、２つ以上の多数が形成されている。なお、第６の溝部２４０の数は限定されない。
【０３５７】
第６の溝部２４０は、第５の溝部２３０を光透過層４０の厚み方向Ｄに平行な軸周りに回転した形状を有している。すなわち、第６の溝部２４０の、第１の方向Ｖ１に直交する断面は、第５の溝部２３０の第１の方向Ｖ１に直交する断面を、左右反転した形状となる。第６の溝部２４０は、具体的には、光透過層４０の厚み方向Ｄに対して傾斜する平面である第１９の面部（傾斜面部）２４１、厚み方向Ｄに沿う第２０の面部（面部）２４２、並びに、第１９の面部２４１及び第２の平面部２４３に連続する第２１の面部（側面部）２４４を有している。第２の平面部２４３は、第１６の領域Ｒ１６において、厚み方向Ｄに直交する平面に形成された部分である。第２の平面部２４３は、第５の方向Ｖ５に並ぶ２つの第６の溝部２４０の間の形成されている。
【０３５８】
第１９の面部２４１は、厚み方向Ｄに直交する平面との間の角度が鈍角となる平面である。第１９の面部２４１に直交する方向は、第５の溝部２３０の第１６の面部２３１に直交する方向と異なる。厚み方向Ｄに対する第１９の面部２４１の傾斜角度は、厚み方向Ｄに対する第１６の面部２３１の傾斜角度と同じである。第１９の面部２４１は、比表面積が１である。
【０３５９】
第２０の面部２４２は、光透過層４０の厚み方向Ｄに沿う。なお、方向に沿うとは、第２０の面部２４２が平面である場合は、方向に平行であることであり、第２０の面部２４２が平面ではない場合は、その延びる方向が、一致することである。第２０の面部２４２は、比表面積が第１９の面部２４１の比表面積より大きく形成されている。第２０の面部２４２は、第１７の面部２３２と同様に、凹部２３５及び凸部２３６を有しており、比表面積が１．５以上に形成されている。また、本実施形態では、第２０の面部２４２の比表面積は、第１７の面部２３２の比表面積と同じである。すなわち、第２０の面部２４２の比表面積は、第１６の領域Ｒ１６の第１の溝部５０の第２の面部５２の比表面積とは異なる。
【０３６０】
第２１の面部２４４は、厚み方向Ｄに沿う。なお、方向に沿うとは、第２１の面部２４４が平面である場合は、方向に平行であることであり、第２１の面部２４４が平面ではない場合は、その延びる方向が、一致することである。第２１の面部２４４は、比表面積が第１９の面部２４１の比表面積より大きく形成されている。第２１の面部２４４は、第１８の面部２３４と同様に、凹部２３５及び凸部２３６を有しており、比表面積が１．５以上に形成されている。また、本実施形態では、第２１の面部２４４の比表面積は、第１８の面部２３４の比表面積と同じである。
【０３６１】
複数の第６の溝部２４０は、第５の方向Ｖ５に、長さＸ２を空けて配置されている。底と底との間の長さは、長さＸ１である。第６の溝部２４０の深さＤ３は、第５の溝部２３０の深さＤ２と同じである。
【０３６２】
複数の第６の溝部２４０は、第１の方向Ｖ１に第１６の領域Ｒ１６の一端から他端まで延びて、第５の方向Ｖ５に所定の間隔を有して配置されることに限定されない。複数の第６の溝部２４０は、例えば、図３７及び図３８に示す第５の溝部２３０のように、第１の方向Ｖ１及び第５の方向Ｖ５に間隔を有して配置されてもよい。
【０３６３】
反射層８０は、図３２に示すように、第１４の領域Ｒ１４の一部、第１５の領域Ｒ１５、第１６の領域Ｒ１６の一部、及び、第１７の領域Ｒ１７の全域に積層されている。より具体的には、反射層８０は、第１４の領域Ｒ１４においては、少なくとも第１６の面部２３１に積層されている。本実施形態では、反射層８０は、第１４の領域Ｒ１４においては、第１６の面部２３１、及び、第１の平面部２３３に積層されている。反射層８０は、第１７の面部２３２及び第１８の面部２３４には積層されていない。第１６の面部２３１及び第１の平面部２３３に積層された反射層８０は、光を反射することを目的として形成される。第１６の面部２３１及び第１の平面部２３３に積層された反射層８０は、例えば、当該反射層８０に照射された光の１０％以下の光のみ透過する、すなわち透過率が１０％以下に形成されている。第１６の面部２３１及び第１の平面部２３３に積層された反射層８０は、例えば、１００ｎｍの厚みを有している。
【０３６４】
反射層８０は、第１５の領域Ｒ１５においては、少なくとも第１の面部５１に積層されている。本実施形態では、反射層８０は、第１５の領域Ｒ１５においては、第１の面部５１、及び第２の面部５２に積層されている。第１の面部５１に積層された反射層８０は、光を反射することを目的として形成される。第１の面部５１に積層された反射層８０は、例えば、当該反射層８０に照射された光の１０％以下の光のみ透過するように形成されている。第１の面部５１に積層された反射層８０は、例えば、１００ｎｍの厚みを有している。第２の面部５２に積層された反射層８０は、第２の面部５２に入射した光を透過観察可能な厚みを有している。第２の面部５２に積層された反射層８０は、例えば、照射された光の２０パーセント以上を透過可能な厚み、すなわち透過率が２０パーセント以上となる厚みを有している。
【０３６５】
反射層８０は、第１６の領域Ｒ１６では、少なくとも第１９の面部２４１に積層されている。本実施形態では、反射層８０は、第１９の面部２４１、第２０の面部２４２、及び第２の平面部２４３に積層されている。反射層８０は、第２１の面部２４４には積層されていない。第１９の面部２４１及び第２の平面部２４３に積層された反射層８０は、光を反射することを目的として形成される。第１９の面部２４１及び第２の平面部２４３に積層された反射層８０は、例えば、当該反射層８０に照射された光の１０％以下の光のみ透過するように形成されている。第１９の面部２４１及び第２の平面部２４３に積層された反射層８０は、例えば、１００ｎｍの厚みを有している。第２０の面部２４２に積層された反射層８０は、透過観察可能な厚みを有している。第２０の面部２４２に積層された反射層８０は、例えば、照射された光の２０パーセント以上を透過可能な厚み、すなわち透過率が２０パーセント以上となる厚みを有している。
【０３６６】
第１７の領域Ｒ１７に積層された反射層８０は、光を反射することを目的として形成される。第１７の領域Ｒ１７に駅層された反射層８０は、例えば、当該反射層８０に照射された光の１０％以下の光のみ透過するように形成されている。なお、本実施形態では、反射層８０の厚みは、例えば、一定である。すなわち、第１７の領域Ｒ１７に積層された反射層８０の厚みは、第１４の領域Ｒ１４、第１５の領域Ｒ１５、及び、第１６の領域の領域Ｒ１６に積層された反射層８０の厚みと同じであり、光を反射することを目的として積層されている。
【０３６７】
表示体３０Ｄにおいて反射層８０が積層されていない部分は、光を透過させることにより、各領域の図柄を表示可能としている。なお、第１４の領域Ｒ１４において光を透過させる第１７の面部２３２及び第１８の面部２３４は、光を透過させることにより、この透過光によって第１２の図柄Ｇ１２を表示可能とする程度の薄膜の反射層８０であれば積層されてもよい。具体的には、第１７の面部２３２及び第１８の面部２３４に積層された反射層８０の厚みは、入射した光の２０％以上を透過可能、すなわち透過率が２０％以上となる厚みであればよい。
【０３６８】
接着層９０は、図３２に示すように、光透過層４０において反射層８０が積層されていない部分、及び、反射層８０に積層されている。
【０３６９】
このように形成された表示体３０Ｄは、表示体３０と同様に形成される。すなわち、第５の溝部２３０、第１の溝部５０、及び、第６の溝部２４０が形成される前の光透過層４０を、樹脂などの材料に対して切削機やレーザー描画機により下加工を施すことにより形成する。
【０３７０】
次に、第５の溝部２３０、第１の溝部５０、及び、第６の溝部２４０が形成される前の光透過層４０に対して、例えば電鋳により形成された、第５の溝部２３０、第１の溝部５０、及び、第６の溝部２４０に対応する凸部が形成された金属板を、加圧して押し付け、その後に剥離する。このように、金属板を押し付けるとともにその後に剥離することにより、金属板の凸部が光透過層４０に転写され、第５の溝部２３０、第１の溝部５０、及び、第６の溝部２４０が形成される。
【０３７１】
反射層８０は、第１の実施形態で説明したように、第５の溝部２３０、第１の溝部５０、及び、第６の溝部２４０が形成された光透過層４０に対して真空蒸着法を用いて形成することができる。光透過層４０は、その厚み方向Ｄが、重力の作用する方向に平行となる姿勢で、図９に示すようにるつぼ１０２に対向配置される。すなわち、光透過層４０は、第５の溝部２３０の第１７の面部２３２及び第１８の面部２３４、並びに、第６の溝部２４０の第２０の面部２４２及び第２１の面部２４４が、重力の作用する方向に沿う姿勢で配置される。
【０３７２】
図３９は、真空蒸着法により光透過層４０に蒸着材料１０１による膜１０３が形成された状態を示している。なお、図３９では、第１４の領域Ｒ１４に形成された膜１０３を一例として示している。膜１０３が、反射層８０を形成する。
【０３７３】
第１４の領域Ｒ１４では、第１７の面部２３２及び第１８の面部２３４に形成された膜１０３は、第１６の面部２３１に形成された膜１０３より薄い。これは、第１７の面部２３２及び第１８の面部２３４の比表面積が、第１６の面部２３１比表面積よりも大きい為、第１７の面部２３２及び第１８の面部２３４の単位表面積当たりの蒸着材料１０１の蒸着量が、第１６の面部２３１の単位表面積当たりの蒸着材料１０１の蒸着量より少なくなる為である。さらに、気化もしくは昇華した蒸着材料１０１は、直進性を有している。すなわち、気化もしくは昇華した蒸着材料１０１は、重力にさからって上方に直進する。この為、気化もしくは昇華した蒸着材料１０１は、重力の作用する方向に沿う第１７の面部２３２及び第１８の面部２３４には、付着しにくい。
【０３７４】
第１７の面部２３２及び第１８の面部２３４の比表面積が第１６の面部２３１の比表面積の１．５倍以上であることにより、第１７の面部２３２及び第１８の面部２３４に形成される膜１０３の厚みは、第１６の面部２３１に形成される膜１０３の厚みの０．６７倍以下となる。
【０３７５】
第１５の領域Ｒ１５に形成された複数の第１の溝部５０においても、同様である。具体的には、第２の面部５２の比表面積が第１の面部５１の比表面積の１．５倍以上であることによって、第２の面部５２に形成された膜１０３の厚みは、第１の面部５１に形成された膜１０３の厚みの、０．６７倍以下となる。
【０３７６】
第１６の領域Ｒ１６では、同様に、第２０の面部２４２及び第２１の面部２４４の比表面積が第１９の面部２４１の比表面積の１．５倍以上であることによって、第２０の面部２４２及び第２１の面部２４４に形成された膜１０３の厚みは、第１９の面部２４１に形成された膜１０３の厚みの０．６７以下となる。
【０３７７】
なお、第５の溝部２３０の第１６の面部２３１の比表面積が１であり、第１５の領域Ｒ１５の第１の溝部５０の第１の面部５１の比表面積が１であり、第６の溝部２４０の第１９の面部２４１の比表面積が１であることから、第１６の面部２３１、第１の面部５１、及び、第１９の面部２４１に形成された膜１０３の厚みは同じ、または、略同じとなる。
【０３７８】
次に、図４０に示すように、光透過層４０において膜１０３が不要な部分から、膜１０３を除去する。除去の方法の一例としては、ウェットエッチングがある。光透過層４０に対してウェットエッチングを施すことにより、第１の面部５１、第２の面部５２、第１６の面部２３１に形成された膜１０３、第１の平面部２３３に形成された膜１０３、第１の面部５１に形成された膜１０３、及び、第１９の面部２４１に形成された膜１０３、第２０の面部２４２に形成された膜１０３、及び、第２の平面部２４３に形成された膜１０３が残った状態で、第１７の面部２３２、第１８の面部２３４、第２の面部５２、第２０の面部２４２、及び、第２１の面部２４４に形成された膜１０３が除去される。なお、第１の面部５１に残った膜１０３の厚みは、第２の面部５２に残った膜１０３の厚みよりも厚い。第１９の面部２４１に残った膜１０３の厚みは、第２０の面部２４２に残った膜１０３の厚みよりも厚い。
【０３７９】
これは、第１６の面部２３１に形成された膜１０３の厚みが、第１７の面部２３２及び第１８の面部２３４に形成された膜１０３の厚みよりも厚く、第１の面部５１に形成された膜１０３の厚みが第２の面部５２に形成された膜１０３の厚みよりも厚く、かつ、第１９の面部２４１に形成された膜１０３の厚みが、第２０の面部２４２及び第２１の面部２４４に形成された膜１０３よりも厚い為、第１７の面部２３２、第１８の面部２３４、第２の面部５２、第２０の面部２４２、及び、第２１の面部２４４に形成された膜１０３が先に除去される為である。
【０３８０】
なお、不要な膜１０３を除去する他の手段としては、例えば、削り取ってもよい。ウェットエッチングや削り取るなどの除去手段は、第１６の面部２３１、第１の平面部２３３、第１の面部５１、第１９の面部２４１、第２の平面部２４３、及び、第１７の領域Ｒ１７に積層された反射層８０の厚みが、本実施形態では、入射した光の透過率が１０％以下となる厚みを残すように、制御される。すなわち、反射観察により観察可能な図柄を表示可能な厚みを有している。さらに、第２の面部５２、第２０の面部２４２に積層された反射層８０の厚みが、本実施形態では、入射した光の透過率が２０％以上となる厚みを残すように、制御される。膜１０３から不用な部分が除去されることにより、反射層８０が形成される。
【０３８１】
次に、第５の溝部２３０に、物品１０Ｂの主面１２側から入射した光の挙動を説明する。図３３は、第５の溝部２３０に、光が入射した状態を示している。図３３に示すように、主面１２側から光透過層４０の厚み方向Ｄに平行に入射した光Ｌ１０は、第１６の面部２３１に積層された反射層８０に入射する。図中、光Ｌ１０は、実線で示している。第１６の面部２３１に積層された反射層８０は、光の透過率が１０％以下となっている為、反射層８０をほとんど透過しない。光Ｌ１０は、反射層８０で反射される。
【０３８２】
第５の溝部２３０に、光透過層４０の厚み方向Ｄに傾斜する方向に進む光のうち、第１８の面部２３４側から第１７の面部２３２側へ進み、第１８の面部２３４に入射した光Ｌ１１は、第１８の面部２３４を透過する。光Ｌ１１は、二点鎖線で示されている。厚み方向Ｄに傾斜する方向に進む光のうち、第１６の面部２３１に入射した光Ｌ１３は、第１６の面部２３１に積層された反射層８０で反射して、物品１０の上方に進む。光Ｌ１３は、三点鎖線で示している。厚み方向Ｄに傾斜する方向に進む光のうち、第１７の面部２３２側から第１８の面部２３４側に進み、第１７の面部２３２に入射した光Ｌ１４は、第１７の面部２３２を透過する。光Ｌ１４は、四点鎖線で示されている。
【０３８３】
次に、第５の溝部２３０に、物品１０の主面２７側から入射した光の挙動を説明する。図３３に示すように、光透過層４０の厚み方向Ｄに平行に入射した光Ｌ１５は、第１６の面部２３１に積層された反射層８０に入射し、反射層８０で反射して主面２７側に戻る。光Ｌ１５は、七点鎖線で示している。
【０３８４】
第５の溝部２３０に、光透過層４０の厚み方向Ｄに傾斜する方向に沿って進む光のうち、第１８の面部２３４側から第１７の面部２３２側へ進む光Ｌ１６は、第１７の面部２３２を透過する。光Ｌ１６は、六点鎖線で示している。厚み方向Ｄに傾斜する方向に進光のうち、第１７の面部２３２側から第１８の面部２３４側に進む光Ｌ１７は、第１８の面部２３４を透過する。光Ｌ１７は、五点鎖線で示されている。
【０３８５】
第１５の領域Ｒ１５に形成された第１の溝部５０に入射した光の挙動は、第１の実施形態で説明した通りである。なお、第１５の領域Ｒ１５に形成された第１の溝部５０は、第２の面部５２に、透過観察が可能程度の厚みを有する反射層８０が積層されている。この為、第１５の領域Ｒ１５を透過することにより表示される画像は、暗く表示される。第１６の領域Ｒ１６に入射した光の挙動、すなわち第６の溝部２４０に入射した光の挙動は、第６の溝部２４０が、第５の溝部２３０を厚み方向Ｄに平行な軸回りに１８０度回転した形状であることから、第５の溝部２３０と同様であるが、第５の方向Ｖ５に左右対称となる。
【０３８６】
次に、図４１に示すように、第１４の領域Ｒ１４に、線光源２５０から光が入射したときの光の透過光について説明する。線光源２５０は、物品１０Ｂの主面１２側に配置されている。線光源２５０は、第５の方向Ｖ５に延びる光源である。線光源２５０は、第５の方向Ｖ５に点光源２５１が複数並んだものと考えることができる。
【０３８７】
この為、線光源２５０は、図４１に示すように、配列方向に並ぶ複数の点光源２５１を有すると考えられる。各点光源２５１から照射された光の一部は、第１７の面部２３２及び第１８の面部２３４、並びに、接着層９０を透過する。各点光源２５１から照射された光の残りは、第１６の面部２３１及び第１の平面部２３３で反射されことにより、接着層９０に入射しない。
【０３８８】
第１６の領域Ｒ１６に線光源２５０、すなわち各点光源２５１から光が入射したときの光の透過光の一部は、第２０の面部２４２及び第２１の面部２４４、並びに、接着層９０を透過する。各点光源２５１から照射された光の残りは、第１９の面部２４１及び第２の平面部２４３で反射されることにより、接着層９０に入射しない。
【０３８９】
次に、図４２に示すように、第１５の領域Ｒ１５に、線光源２５０から光が入射したときの光の透過光について説明する。各点光源２５１から照射された光の一部は、第１の面部５１に積層された反射層８０で反射されて接着層９０に入射しない。各点光源２５１から照射された光の残りは、第２の面部５２、及び、接着層９０を透過する。
【０３９０】
このように、第１４の領域Ｒ１４では、第１７の面部２３２及び第１８の面部２３４を光が透過する。すなわち、２つの側面を光が透過する。同様に第１６の領域Ｒ１６では、第２０の面部２４２及び第２１の面部２４４の２つの側面を光が透過する。この為、第１５の領域Ｒ１５を透過する光の強度は、第１４の領域Ｒ１４及び第１６の領域Ｒ１６を透過する透過光の強度とは、異なる。本実施形態では、第１４の領域Ｒ１４を透過する光の用度は、第１５の領域Ｒ１５を透過する光の強度よりも大きい。同様に、第１６の領域Ｒ１６を透過する光の強度は、第１５の領域Ｒ１５を透過する光の強度よりも大きい。
【０３９１】
さらに、第１５の領域Ｒ１５では第５の方向Ｖ５に一方に配置された第２の面部５２のみを光が透過可能であることに対して、第１４の領域Ｒ１４及び第１６の領域Ｒ１６では、第５の方向Ｖ５に両側に配置された側面を光が透過可能である。この為、第１４の領域Ｒ１４及び第１６の領域Ｒ１６を透過する光は、第１５の領域Ｒ１５を透過する光に対して、広い範囲に到達する。
【０３９２】
次に、表示体３０Ｄに光を入射させ、反射観察した場合に表示される図柄について、説明する。なお、反射観察をする際では、物品１０Ｂにおいて、表示体３０Ｄが固定される主面１２側から光を入射させる。観察者Ｈは、表示体３０Ｄの主面の一部となる光透過層４０の主面４１に対向する位置にいる。より具体的には、観察者Ｈは、主面４１に対して、光透過層４０の厚み方向Ｄに平行な方向に離間した位置で、観察する。
【０３９３】
図４３は、物品１０Ｂの主面１２に対して、光透過層４０の厚み方向Ｄに対して交差する方向に光Ｌ１２を入射させた状態を示している。なお、図４３では、説明の為、紙幣本体２０は省略している。図４３では、表示体３０Ｄにおいて暗く表示される部分にハッチングを付して示している。このハッチングは、断面を示すものではない。光Ｌ１２は、図３３に示すように、第１８の面部２３４側から第１７の面部２３２側へ進む。
【０３９４】
光Ｌ１２の入射方向は、具体的には、第１の方向Ｖ１及び光透過層４０の厚み方向Ｄのこれら２つの方向に直交する２方向のうち第１８の面部２３４から第１７の面部２３２へ向かう方向から光透過層４０の厚み方向Ｄまでの範囲である。光Ｌ１２は、光Ｌ１１及び光Ｌ１３を含む。光Ｌ１２は、光透過層４０を透過して、界面４２の第１４の領域Ｒ１４、第１５の領域Ｒ１５、第１６の領域Ｒ１６、及び、第１７の領域Ｒ１７に到達する。
【０３９５】
第１７の領域Ｒ１７に到達した光Ｌ１２は、反射層８０により反射する。第１７の領域Ｒ１７に積層された反射層８０により反射した光Ｌ１１は、第１７の領域Ｒ１７が光透過層４０の厚み方向Ｄに直交する平面であることから、観察者Ｈ側には反射されない。この為、第１７の領域Ｒ１７は図４３に示すように暗く表示される。
【０３９６】
第１４の領域Ｒ１４に入射した光Ｌ１２の一部となる光Ｌ１３は、第１６の面部２３１に積層された反射層８０により反射される。第１６の面部２３１に積層された反射層８０により反射された光Ｌ１３は、第１６の面部２３１が光透過層４０の厚み方向Ｄに対して傾斜する平面であることから、観察者Ｈ側には反射される。この為、第１２の図柄Ｇ１２が明るく表示される。また、第１４の領域Ｒ１４に入射した光Ｌ１２の残りの一部は、第１の平面部２３３に積層された反射層８０により反射される。第１の平面部２３３は、厚み方向Ｄに直交する平面であることから、第１の平面部２３３に積層された反射層８０で反射された光は、観察者Ｈ側には反射されない。また、第１４の領域Ｒ１４に入射した光Ｌ１１の残りの一部となる光Ｌ１１は、第１８の面部２３４を透過する。
【０３９７】
第１５の領域Ｒ１５に到達した光Ｌ１２は、第１の面部５１に積層された反射層８０により反射される。第１の面部５１に積層された反射層８０により反射された光Ｌ５の一部は、第１の面部５１が光透過層４０の厚み方向Ｄに傾斜する平面であることから、観察者Ｈ側には反射される。この為、第１３の図柄Ｇ１３が明るく表示される。
【０３９８】
第１６の領域Ｒ１６に到達した光Ｌ１２の一部は、第２１の面部２４４及び接着層９０を通り、表示体３０Ｄを透過する。第１６の領域Ｒ１６に到達した光の残りは、第２の平面部２４３に積層された反射層８０で反射される。第２の平面部２４３が光透過層４０の厚み方向Ｄに直交する平面であることから、第２の平面部２４３で反射された光は、観察者Ｈ側には反射されない。この為、第１４の図柄Ｇ１４は表示されない。
【０３９９】
このように、表示体３０Ｄは、光Ｌ１２に対しては、第１２の図柄Ｇ１２、及び、第１３の図柄Ｇ１３を明るく表示する。
【０４００】
図４４は、物品１０の主面１２に対して、光透過層４０の厚み方向Ｄに平行に進む光Ｌ１０を入射させた状態を示している。なお、図４４では、説明の為、紙幣本体２０を省略している。図４４では、表示体３０Ｄにおいて暗く表示される部分にハッチングを付して示している。このハッチングは、断面を示すものではない。光Ｌ１０は、光透過層４０を透過して、界面４２の第１４の領域Ｒ１４、第１５の領域Ｒ１５、第１６の領域Ｒ１６、及び、第１７の領域Ｒ１７に到達する。
【０４０１】
第１７の領域Ｒ１７に到達した光Ｌ１０は、図３３に示すように、反射層８０により反射する。第１７の領域Ｒ１７は、光透過層４０の厚み方向Ｄに直交する平面であることから、光Ｌ４は、観察者Ｈ側に反射する。この為、第１７の領域Ｒ１７は、明るく表示される。
【０４０２】
第１４の領域Ｒ１４に入射した光Ｌ１０の一部は、図３３に示すように、第１６の面部２３１に積層された反射層８０により反射される。第１６の面部２３１に積層された反射層８０により反射された光Ｌ１０は、第１６の面部２３１が光透過層４０の厚み方向Ｄに対して傾斜する平面であることから、観察者Ｈ側には戻らない。この為、第１４の領域Ｒ１４で反射した光Ｌ１０は、観察者Ｈには観察されない。この為、第１の図柄Ｇ１は暗く表示される。
【０４０３】
なお、第１４の領域Ｒ１４に入射した光の残りは、第１の平面部２３３に積層された反射層８０により反射される。第１の平面部２３３が厚み方向Ｄに直交する平面であることから、第１の平面部２３３に積層された反射層８０で反射された光は観察者Ｈ側に戻る。しかしながら、第１４の領域Ｒ１４における第１の平面部２３３に占める割合は、小さい。この為、第１の平面部２３３に積層された反射層８０により反射された光の強度は小さく、第１４の領域Ｒ１４により示される第１２の図柄Ｇ１２は観察者Ｈには認識されない。または、第１２の図柄Ｇ１２は、認識されてもとても暗く表示される。なお、第１の平面部２３３の面積は、第１の平面部２３３に積層された反射層８０により反射された光のみによって第１２の図柄Ｇ１２が観察されることがない程度の比較的小さな面積に設定されている。
【０４０４】
図３３に示すように、第１５の領域Ｒ１５に入射した光Ｌ１０の一部は、第１の面部５１に積層された反射層８０により反射される。第１の面部５１に積層された反射層８０により反射された光Ｌ１０は、第１の面部５１が厚み方向Ｄに傾斜する平面であることから、観察者Ｈ側には反射されない。この為、第１３の図柄Ｇ１３は暗く表示される。
【０４０５】
第１６の領域Ｒ１６に到達した光Ｌ１０の一部は、第１９の面部２４１に積層された反射層８０により反射される。第１９の面部２４１に積層された反射層８０により反射された光は、第１９の面部２４１が厚み方向Ｄに対して傾斜する平面であることから、観察者Ｈ側には反射されない。この為、第１４の図柄Ｇ１４は暗く表示される。
【０４０６】
なお、第１６の領域Ｒ１６に入射した光の残りは、第２の平面部２４３に積層された反射層８０により反射される。第２の平面部２４３が厚み方向Ｄに直交する平面であることから、第２の平面部２４３に積層された反射層８０で反射された光は観察者Ｈ側に戻る。しかしながら、第１６の領域Ｒ１６における第２の平面部２４３が占める割合は、小さい。この為、第２の平面部２４３に積層された反射層８０により反射された光の強度は小さく、第１６の領域Ｒ１６により示される第１５の図柄Ｇ１５は暗く表示される。または、第１５の図柄Ｇ１５は、認識されてもとても暗く表示される。第２の平面部２４３の面積は、第２の平面部２４３に積層された反射層８０により反射された光のみによって第１４の図柄Ｇ１４が観察されることがない程度の比較的小さな面積に設定されている。
【０４０７】
このように、表示体３０Ｄに対して、光透過層４０の厚み方向Ｄに平行に入射する光Ｌ１０による反射観察では、第１７の領域Ｒ１７が明るく表示されことにより、第１４の領域Ｒ１４、第１５の領域Ｒ１５、及び、第１６の領域Ｒ１６は暗く表示される。すなわち、第１７の領域Ｒ１７のみが明るく表示されることにより、第１２の図柄Ｇ１２、第１３の図柄Ｇ１３、及び、第１４の図柄Ｇ１４が暗く表示されることとなる。
【０４０８】
図４５は、物品１０Ｂの主面１２に対して、光透過層４０の厚み方向Ｄに対して交差する方向に光Ｌ１４を入射させた状態を示している。なお、図４５では、紙幣本体２０は省略されている。図４５では、表示体３０Ｄにおいて暗く表示される部分にハッチングを付して示している。このハッチングは、断面を示すものではない。
【０４０９】
光Ｌ１４は、図３３に示すように、第１７の面部２３２側から第１８の面部２３４側へ進む光である。光Ｌ１２の入射方向は、具体的には、第１の方向Ｖ１及び光透過層４０の厚み方向Ｄのこれら２つの方向に対して直交する２方向のうち第１７の面部２３２から第１８の面部２３４へ向かう方向から光透過層４０の厚み方向Ｄまでの範囲である。光Ｌ１２は、光透過層４０を透過して、界面４２の第１４の領域Ｒ１４、第１５の領域Ｒ１５、第１６の領域Ｒ１６、及び、第１７の領域Ｒ１７に到達する。
【０４１０】
第１７の領域Ｒ１７に到達した光Ｌ１４は、第１７の領域Ｒ１７に積層された反射層８０により反射する。第１７の領域Ｒ１７に積層された反射層８０により反射された光Ｌ１２は、第１７の領域Ｒ１７が光透過層４０の厚み方向Ｄに直交する平面であることから、観察者Ｈ側には反射されない。この為、第１７の領域Ｒ１７は、暗く表示される。
【０４１１】
第１４の領域Ｒ１４に到達した光Ｌ１２の一部は、図３３に示すように、第１７の面部２３２及び接着層９０を透過することにより、表示体３０Ｄを透過する。第１４の領域Ｒ１４に入射した光の残りは、第１の平面部２３３に積層された反射層８０により反射される。第１の平面部２３３が厚み方向Ｄに直交する平面であることから、第１の平面部２３３に積層された反射層８０で反射された光は観察者Ｈ側に反射されない。この為、第１４の領域Ｒ１４は、暗く表示される。
【０４１２】
第１５の領域Ｒ１５に到達した光Ｌ１２は、第２の面部５２及び接着層９０を透過することにより、表示体３０Ｄを透過する。この為、第１５の領域Ｒ１５は、暗く表示される。
【０４１３】
第１６の領域Ｒ１６に到達した光Ｌ１２の一部は、第２１の面部２４４及び接着層９０を透過することにより、表示体３０Ｄを透過する。第１６の領域Ｒ１６に到達した光Ｌ１２の残りは、第１９の面部２４１に積層された反射層８０により反射される。第１９の面部２４１に積層された反射層８０により反射された光Ｌ１２は、第１９の面部２４１が厚み方向Ｄに傾斜する平面であることから、観察者Ｈ側に反射される。この為、第１６の領域Ｒ１６は、明るく表示されることにより、第１４の図柄Ｇ１４が表示される。
【０４１４】
このように、表示体３０Ｄに対して、光透過層４０の厚み方向Ｄに傾斜する方向に沿って入射する光Ｌ１２による反射観察では、第１６の領域Ｒ１６が明るく表示されことにより、第１４の図柄Ｇ１４が明るく表示される。
【０４１５】
次に、表示体３０Ｄに光を入射させ、透過観察した場合に表示される図柄について、説明する。なお、透過観察では、紙幣本体２０において表示体３０Ｄが固定される主面２１に対して反対側の主面２７から光を入射させる。観察者Ｈは、表示体３０Ｄの主面となる光透過層４０の主面４１に対向する位置にいる。より具体的には、観察者Ｈは、主面４１に対して、光透過層４０の厚み方向に平行な方向に離間した位置で、表示体３０Ｄを観察する。
【０４１６】
図４６は、物品１０Ｂ対して、光透過層４０の厚み方向Ｄに対して交差する方向に沿って光Ｌ１６を入射させた状態を示している。なお、図４６では、紙幣本体２０は省略している。図４６では、表示体３０Ｄにおいて暗く表示される部分にハッチングを付して示している。このハッチングは、断面を示すものではない。
【０４１７】
光Ｌ１６の照射方向は、具体的には、図３３に示すように、光透過層４０の厚み方向Ｄに交差する方向であって、かつ、第１８の面部２３４側から第１７の面部２３２側へ向かう方向である。より具体的には、光Ｌ１６の入射方向は、第１の方向Ｖ１及び光透過層４０の厚み方向Ｄのこれら２つの方向に直交する２方向のうち第１８の面部２３４から第１７の面部２３２へ向かう方向から、光透過層４０の厚み方向Ｄまでの範囲である。
【０４１８】
光Ｌ１６の一部は、物品１０Ｂの光透過部２４、接着層９０、第１７の面部２３２、第２の面部５２、及び、第２１の面部２４４を透過して、表示体３０Ｄを透過し、観察者Ｈにより観察される。この為、第１４の領域Ｒ１４、第１５の領域Ｒ１５、及び、第１６の領域Ｒ１６は、明るく表示される。すなわち、第１２の図柄Ｇ１２、第１３の図柄Ｇ１３、及び第１４の図柄Ｇ１４が明るく表示される。なお、第２の面部５２には、透過観察可能な厚みの反射層８０が積層されている為、第１３の図柄Ｇ１３は、第１２の図柄及び第１４の図柄Ｇ１４よりも暗く表示される。
【０４１９】
また、光Ｌ１６の残りは、反射層８０で反射されることにより、界面４２の第１７の領域Ｒ１７には到達しない。この為、第１７の領域Ｒ１７は、暗く表示される。この為、観察者は、図４７に示すように、第１２の図柄Ｇ１２、第１３の図柄Ｇ１３、及び第１４の図柄Ｇ１４を観察することができる。
【０４２０】
図４７は、物品１０Ｂに、光透過層４０の厚み方向Ｄに平行に進む光Ｌ１５を照射した状態を示している。なお、図４７では、紙幣本体２０は省略しており、表示体３０Ｄのみを示している。また、図４７では、表示体３０Ｄにおいて暗く表示される部分は、ハッチングを付して示している。このハッチングは、断面を示すものではない。光透過部２４、及び、接着層９０を透過した光Ｌ１５は、反射層８０により反射されることにより、界面４２には到達しない。この為、表示体３０Ｄは、暗く表示される。この為、第１２の図柄Ｇ１２、第１３の図柄、及び、第１４の図柄Ｇ１４は、いずれも表示されない。
【０４２１】
図４８は、物品１０Ｂの主面２７に対して、光透過層４０の厚み方向Ｄに対して交差する方向から光Ｌ１７を入射させた状態を示している。なお、図４８では、紙幣本体２０は省略しており、表示体３０Ｄのみを示している。また、図４８では、表示体３０Ｄにおいて暗く表示される部分は、ハッチングを付して示している。このハッチングは、断面を示すものではない。
【０４２２】
光Ｌ１７の照射方向は、具体的には、第１の方向Ｖ１及び光透過層４０厚み方向Ｄのこれら２つの方向のうち第１７の面部２３２から第１８の面部２３４に向かう方向から光透過層４０の厚み方向Ｄまでの範囲である。この為、光Ｌ１６の一部は、物品１０Ｂの光透過部２４、接着層９０、第１８の面部２３４、第２の面部５２、第２１の面部２４４を透過し、光透過層４０を透過して観察者Ｈに観察される。この為、第１４の領域Ｒ１４、及び、第１６の領域Ｒ１６が明るく表示されることにより、第１２の図柄Ｇ１２、及び、第１４の図柄Ｇ１４が明るく表示される。
【０４２３】
光Ｌ１７の残りは、反射層８０により反射されることにより、界面４２の第１５の領域Ｒ１５及び第１７の領域Ｒ１７には到達しない。この為、第１７の領域Ｒ１７は、暗く表示される。この為、光１６による透過観察では、第１２の図柄Ｇ１２及び、第１４の図柄Ｇ１４が明るく表示される。
【０４２４】
このように構成された物品１０Ｂでは、透過観察する場合に表示体３０Ｄにより表示される図柄と、反射観察する場合に表示体３０により表示される図柄とが異なるものとなる。具体的には、表示体３０Ｄは、反射観察では、その観察条件により、図４３に示すように第１２の図柄Ｇ１２及び第１３の図柄Ｇ１３のみを明るく表示し、図４４に示すように第１２の図柄Ｇ１２、第１３の図柄Ｇ１３、及び、第１４の図柄Ｇ１４を暗く表示し、図４５に示すように、第１４の図柄Ｇ１４のみを明るく表示する。
【０４２５】
すなわち、表示体３０Ｄは、反射観察では、観察条件として表示体３０に対する光の入射方向により、表示する図柄として、第１２の図柄Ｇ１２及び第１３の図柄Ｇ１３を合わせた図柄、第１２の図柄Ｇ１２第１３の図柄Ｇ１３及び第１４の図柄Ｇ１４を合わせた図柄、図１４の図柄Ｇ１４のみ、という３種類の図柄を表示することが可能である。
【０４２６】
また、表示体３０Ｄは、透過観察では、その観察条件により、図４６に示すように、第１２の図柄Ｇ１２、第１３の図柄Ｇ１３及び第１４の図柄Ｇ１４を明るく表示し、図４８に示すように第１２の図柄Ｇ１２及び第１４の図柄Ｇ１４を明るく表示する。または、図４７に示すように、いずれの図柄も表示しない。すなわち、第１２の図柄Ｇ１２及び第１４の図柄Ｇ１４を合わせた図柄、第１２の図柄Ｇ１２、第１３の図柄Ｇ１３、及び、第１４の図柄Ｇ１４を合わせた図柄、いずれの図柄も表示せず全体として暗い図柄、という３種類の図柄を表示可能である。
【０４２７】
このように、表示体３０Ｄは、第１４の領域Ｒ１４の第５の溝部２３０の面部となる第１７の面部２３２の比表面積、第１５の領域Ｒ１５の第１の溝部５０の面部となる第２の面部５２の比表面積、及び第１６の領域Ｒ１６の第６の溝部２４０の面部となる第２０の面部２４２の比表面積が異なることにより、条件１を満たしている。さらに、第１５の領域１５の第２の面部５２、及び第１６の領域Ｒ１６の第２０の面部２４２には、それぞれ、透過観察を可能とする厚みを有する反射層８０が積層されており、かつ、それぞれの反射層８０の厚みが異なることにより、条件２を満たしている。このように、表示体３０Ｄが、条件１及び条件２を満たすことにより、反射観察で表示可能な図柄と透過観察で表示可能な図柄を異なるものとすることができる。この為、表示体３０Ｄは、高い視覚効果を有する。
【０４２８】
さらに、表示体３０Ｄが高い視覚効果を有することにより、カラーコピーによる偽造方法やスキャナを用いる偽造方法では、表示体３０Ｄを偽造することができない。この為、物品１０の偽造を防止することができる。
【０４２９】
また、第５の溝部２３０においては、第１７の面部２３２及び第１８の面部２３４の比表面積を第１６の面部２３１の比表面積よりも大きくすることにより、真空蒸着方法により反射層８０を形成する場合において、第１７の面部２３２及び第１８の面部２３４に形成される蒸着材料１０１により膜１０３の厚みを小さくすることができるので、これを除去する作業の効率を向上することができる。この為、表示体３０Ｄの製造効率を向上することができる。同様に、第６の溝部２４０においては、第２０の面部２４２及び第２１の面部２４４の比表面積を第１９の面部２４１の比表面積よりも大きくすることにより、表示体３０Ｄの製造効率を向上できる。
【０４３０】
また、第１７の面部２３２及び第１８の面部２３４に凹部２３５を形成し、第２０の面部２４２及び第２１の面部２４４に凹部２３５を形成することにより、第１７の面部２３２及び第１８の面部２３４の外形、並びに、第２０の面部２４２及び第２１の面部２４４の外形を大きくすることなく、第１７の面部２３２及び第１８の面部２３４の比表面積、並びに、第２０の面部２４２及び第２１の面部２４４の比表面積を大きくすることができるので、表示体３０Ｄをコンパクトに形成することができる。
【０４３１】
次に、本発明の第４の実施形態に係る物品１０Ｃを、図４９、図５０、及び図５０Ａを用いて説明する。なお、第２の実施形態と同様の機能を有する構成は、第２の実施形態と同一の符号を付して説明を省略する。
【０４３２】
図４９は、物品１０Ｃを示す平面図である。図５０は、物品１０Ｃを示す断面図である。図４９に示すように、物品１０Ｃは、物品１０Ａに対して、表示体３０Ａを表示体３０Ｅに置き換えたものである。すなわち、物品１０Ｃは、紙幣本体２０、及び、紙幣本体２０の一方の主面２１上に固定された表示体３０Ｅを有している。
【０４３３】
表示体３０Ｅは、表示体３０Ａに対して、第１２の領域Ｒ１２に形成された溝部または突出部が異なる。さらに、表示体３０Ｅは、第１８の領域Ｒ１８、第１９の領域Ｒ１９、及び、第２０の領域Ｒ２０を有している。他の構造は、表示体３０Ａと同じである。この為、表示体３０Ｅは、第１２の領域Ｒ１２、第１８の領域Ｒ１８，第１９の領域Ｒ１９、及び、第２０の領域Ｒ２０についてのみ説明し、他の説明は省略する。表示体３０Ｅは、第５の領域Ｒ５、第６の領域Ｒ６、及び第７の領域Ｒ７を有しているので、条件１及び条件２を満たしている。
【０４３４】
第１２の領域Ｒ１２には、第２の形状を有する溝部または突出部が複数形成されている。本実施形態では、一例として、第１２の領域Ｒ１２には、第５の溝部２３０が複数形成されている。複数の第５の溝部２３０は、第５の方向Ｖ５に隣り合う２つの第５の溝部２３０の間に所定の間隔（長さＸ２）を有して配置されている。隣り合う第５の溝部２３０の間の部分は、第１の平面部２３３となる。
【０４３５】
第１２の領域Ｒ１２に形成された第５の溝部２３０は、第１１の領域Ｒ１１に形成された第１の溝部５０と同じ方向に延びている。すなわち、第５の溝部２３０は、第１の方向Ｖ１に延びている。第５の方向Ｖ５に並ぶ２つの第５の溝部２３０の底２３７と底２３７との間の長さＸ２は、２０μｍである。第１２の領域Ｒ１２に形成された第５の溝部２３０の深さＤ１は、第１１の領域Ｒ１１に形成された第１の溝部５０の深さと同じ深さであり、一例として、５μｍである。
【０４３６】
第１２の領域Ｒ１２に形成された第５の溝部２３０の第１６の面部２３１は、第１１の領域Ｒ１１に形成された第１の溝部５０の第１の面部５１と平行であり、一例として、光透過層４０の厚み方向Ｄに対する傾斜角度は、３０度である。
【０４３７】
次に、第１８の領域Ｒ１８，第１９の領域Ｒ１９、及び、第２０の領域Ｒ２０について説明する。これら領域Ｒ１８，Ｒ１９，Ｒ２０は、例えば、平面視で円形に形成されている。領域Ｒ１８，Ｒ１９，Ｒ２０は、第５の方向に並んで配置されている。
【０４３８】
図５０Ａは、表示体３０Ｈを、領域Ｒ１８，Ｒ１９，Ｒ２０を通り第５の方向Ｖ５に平行な切断面に沿って切断した状態を示す断面図である。図５０Ａに示すように、領域Ｒ１８，Ｒ１９，Ｒ２０には、それぞれ、第５の溝部２３０が形成されている。第１８の領域Ｒ１８に形成された第５の溝部２３０の第１６の面部２３１の厚み方向Ｄに対する傾斜角度、第１９の領域Ｒ１９に形成された第５の溝部２３０の第１６の面部２３１の厚み方向Ｄに対する傾斜角度、及び、第２０の領域Ｒ２０に形成された第５の溝部２３０の第１６の面部２３１の厚み方向Ｄに対する傾斜角度は、異なる。すなわち、領域Ｒ１８，Ｒ１９，Ｒ２０では、傾斜面部に直交する方向が異なることとなり、条件４が満たされる。また、領域Ｒ１８，Ｒ１９，Ｒ２０のそれぞれの第５の溝部２３０の第１７の面部２３２及び第１８の面部２３４には、反射層８０は積層されていない。なお、領域Ｒ１８，Ｒ１９，Ｒ２０のそれぞれの第５の溝部２３０の深さは、いずれも同じであり、第５の方向Ｖ５の長さも同じである。
【０４３９】
第１８の領域Ｒ１８に形成された複数の第５の溝部２３０の第１６の面部２３１の厚み方向Ｄに対する傾斜角度は、４５度である。第１９の領域Ｒ１９に形成された複数の第５の溝部２３０の第１６の面部２３１の厚み方向Ｄに対する傾斜角度は、４０度である。第２０の領域Ｒ２０に形成された複数の第５の溝部２３０の第１６の面部２３１の厚み方向Ｄに対する傾斜角度は、３５度である。
【０４４０】
次に、第１２の領域Ｒ１２で反射された反射光による反射観察、及び、第１２の領域Ｒ１２に入射する光による透過観察について、説明する。
【０４４１】
まず、反射観察について説明する。第１１の領域Ｒ１１に形成された第１の溝部５０の第１の面部５１と、第１２の領域Ｒ１２に形成された第５の溝部２３０の第１６の面部２３１とが平行であることから、第１２の領域Ｒ１２は、第１１の領域Ｒ１１と同様に光を反射する。すなわち、第１２の領域Ｒ１２は第１１の領域Ｒ１１と同様に光を反射することにより、反射観察では、月形状の第１２の図柄Ｇ１２は表示されない。なお、ここで言う月形状とは、２つの円弧により形成された閉じた範囲の形状である。
【０４４２】
次に、透過観察について説明する。第１２の領域Ｒ１２に形成された複数の第５の溝部２３０が第１７の面部２３２及び第１８の面部２３４を有することから、光透過層４０Ａの厚み方向Ｄに傾斜し、第１１の領域Ｒ１１の第１の溝部５０の第１の面部５１側から第２の面部５２側へ進む方向に入射する光のうち第１１の領域Ｒ１１に入射した光は第１の溝部５０の第１の面部５１に積層された反射層８０で反射されることにより観察者Ｈには観察されないが、第１２の領域Ｒ１２に入射した光は第１８の面部２３４を透過することにより観察者Ｈにより観察される。透過観察においては、第１１の領域Ｒ１１が暗く表示され、かつ、第１２の領域Ｒ１２が明るく表示されることにより、月形状の第１２の図柄Ｇ１２が明るく表示される。
【０４４３】
次に、第１８の領域Ｒ１８、第１９の領域Ｒ１９、及び、第２０の領域Ｒ２０による透過観察について説明する。領域Ｒ１８，Ｒ１９，Ｒ２０の透過観察は、第３の実施形態で説明した第１４の領域Ｒ１４に形成された第５の溝部２３０と同様であり、領域Ｒ１８，Ｒ１９，Ｒ２０は、それぞれ、円を表示する。
【０４４４】
領域Ｒ１８，Ｒ１９，Ｒ２０の反射観察では、観察者は、円が動いているに、見える。すなわち、領域Ｒ１８，Ｒ１９，Ｒ２９のように、一方向に並んだ複数の領域のそれぞれに形成された第５の溝部２３０の第１６の面部２３１の厚み方向Ｄに対する傾斜角度を、この複数の領域の並ぶ方向に、増大または減少させることにより、反射観察により視認される画像の動きを表現できる。
【０４４５】
この点について具体的に説明する。図５０Ａでは、領域Ｒ１８，Ｒ１９，Ｒ２０は、第５の方向Ｖ５に並んでいる。そして、第５の方向Ｖ５に沿って一端に配置された第１８の領域Ｒ１８から他端に配置された第２０の領域Ｒ２０まで、第５の溝部２３０の第１６の面部２３１の厚み方向Ｄに対する傾斜角度を減少させている。具体的には、第１８の領域Ｒ１８では、第１６の面部２３１の厚み方向Ｄに対する傾斜角度を４５度とし、第１９の領域Ｒ１９では、第１６の面部２３１の厚み方向Ｄに対する傾斜角度を４０度とし、第２０の領域Ｒ２０では、第１６の面部２３１の厚み方向Ｄに対する傾斜角度を３５度としている。
【０４４６】
このように、傾斜角度が異なることにより、反射観察では、表示体３０Ｈに対する観察者の位置が変化させると、領域Ｒ１８，Ｒ１９，Ｒ２０のうち、第１８の領域Ｒ１８により表示される円のみ視認できる状態、第１９の領域Ｒ１９により表示される円のみ視認できる状態、第２０の領域Ｒ２０のみ視認できる状態が切り替わる。この切換により、観察者は、円が第５の方向Ｖ５に移動するように見える。すなわち、図柄の動きが表現される。
【０４４７】
このように構成された物品１０Ｃでは、第５の領域Ｒ５乃至第１０の領域Ｒ１０、及び、第１３の領域Ｒ１３に対する透過観察により表示される図柄及び反射観察により表示される図柄は、その一部が、物品１０Ａと同じである。この為、本実施形態では、第２の実施形態と同様の効果が得られる。
【０４４８】
さらに、領域Ｒ１８，Ｒ１９，Ｒ２０のそれぞれに形成された第５の溝部２３０の第１６の面部２３１の厚み方向Ｄに対する傾斜角度を異なる角度とすることにより、反射観察により視認される図柄が動いているように、観察者に対して視認指せることができる。
【０４４９】
なお、本実施形態では、複数の領域に形成された溝部または突出部の傾斜面部の、光透過層の厚み方向に対する傾斜角度を異なる角度とすることの例として、複数の領域のそれぞれに第５の溝部２３０を形成した。しかしながら、これに限定されない。例えば、１つの領域に第５の溝部２３０を形成し、他の１つの領域に第１の溝部５０を形成し、他の１つの領域に第２の溝部６０を形成してもよい。
【０４５０】
また、厚み方向Ｄに対する傾斜角度として、４５度、４０度、３５度としたが、これに限定されない。並ぶ２つの領域に形成された傾斜面部の、光透過層の厚み方向に対する傾斜角度の差を小さくすることにより、図柄の動きを細かく表現することができる。  
ご確認下さい。
【０４５１】
また、第３の実施形態及び第４の実施形態では、光透過層４０，４０Ａの界面４２，４２Ａの各領域には、第１の形状を有する溝部、または、第２の形状を有する溝部が形成された。しかしながら、各領域に形成されるものは、溝部に限定されない。例えば、突出部が形成されてもよい。
【０４５２】
図５１は、表示体３０Ｄの変形例である表示体３０Ｆを示している。表示体３０Ｆは、第１４の領域Ｒ１４に、第５の溝部２３０に代えて複数の第１の突出部２００が形成されている。第１の突出部２００は、図２５に示しており、第１の実施形態の表示体３０の変形例である表示体３０Ｂが有している。第１５の領域Ｒ１５に、第１の溝部５０に代えて複数の第４の突出部２６０が形成されている。第１６の領域Ｒ１６に、第５の溝部２３０に代えて複数の第３の突出部２２０が形成されている。
【０４５３】
第１４の領域Ｒ１４に形成された第１の突出部２００は、全て同じ形状である。第１の突出部２００の高さは、例えば一定である。第１の突出部２００は、第１の方向Ｖ１に平行に延びている。なお、第１の突出部２００は、図５１では説明の為、２つの第１の突出部２００が、誇張して大きく描かれている。しかしながら、実際には、第１の突出部２００は小さいものであり、かつ、２つ以上のより多数が形成されている。
【０４５４】
第１の突出部２００の第１０の面部２０１に反射層８０が積層されている。第１０の面部２０１に積層された反射層８０は、照射された光を反射することを目的として形成されており、例えば、照射された光の１０％以下のみ透過可能に形成されている。第１１の面部２０２には、反射層８０は積層されていない。第１０の面部２０１及び第１１の面部２０２は、界面４２の第１７の領域Ｒ１７の平面の延長面との間の角度が鈍角となる平面である。
【０４５５】
第１の突出部２００は、その幅方向に複数隣接して配置されている。光透過層４０の界面４２において隣接する第１の突出部２００は、互いに連続して形成されている。または、隣接する第１の突出部２００は、隣接する第１の突出部２００が互いに離れていてもよい。
【０４５６】
第１５の領域Ｒ１５に形成された複数の第４の突出部２６０は、第２の形状を有している。第４の突出部２６０は、光透過層４０の厚み方向Ｄに傾斜する平面に形成された傾斜面部、傾斜面部に対して交差する平面に沿う面部、並びに、厚み方向Ｄに直交する平面部及び傾斜面部に連続する側面部を有している。第４の突出部２６０の傾斜面部に、反射を目的とする反射層８０が積層されている。
【０４５７】
第４の突出部２６０は、全て同じ形状である。第４の突出部２６０の高さは、例えば一定である。第４の突出部２６０の外面の一部には反射層８０が積層されており、残りの部分には反射層は積層されていない。なお、図５１では説明の為、２つの第４の突出部２６０が誇張して大きく描かれている。第４の突出部２６０は、実際には小さいものであり、かつ、２つ以上の多数が形成されている。
【０４５８】
第１５の領域Ｒ１５に形成された第４の突出部２６０の一部に積層された反射層８０で反射した光により、第１３の図柄Ｇ１３が表示される。また、第１５の領域Ｒ１５に形成された第４の突出部２６０の外面において、透過観察が可能な厚みを有する反射層８０が積層された部分、及び反射層８０が積層されていない部分を透過した光により、第１３の図柄Ｇ１３が表示される。
【０４５９】
第４の突出部２６０は、直線状に延びている。第４の突出部２６０は、第１の方向Ｖ１に平行に延びている。第４の突出部２６０の長手方向両端は、第１５の領域Ｒ１５の外郭線まで延びている。
【０４６０】
第４の突出部２６０の外面は、光透過層４０の厚み方向Ｄに対して傾斜する平面である第２２の面部（傾斜面部）２６１、第２２の面部２６１に交差する平面に沿う第２３の面部（面部）２６２、並びに、厚み方向Ｄに直交する平面である第３の平面部２６３及び第２２の面部２６１に連続する第２４の面部（側面部）２６４を有している。第３の平面部２６３は、第５の方向Ｖ５に並ぶ２つの第４の突出部２６０の間の平面部である。第３の平面部２６３の延長面は、第１７の領域Ｒ１７と同一平面となる。
【０４６１】
第２２の面部２６１は、その延長面と界面４２の第４の領域Ｒ４の平面の延長面との間の角度が鈍角となる平面である。第２２の面部２６１は、例えば、第１４の領域Ｒ１４に形成された第１の突出部２００の第１０の面部２０１と平行な平面に形成されている。第２２の面部２６１の比表面積は１である。
【０４６２】
第２３の面部２６２は、第２２の面部２６１に交差する方向の一例として、例えば、光透過層４０の厚み方向Ｄに沿う面に形成されている。なお、平面に沿うとは、第１３の面部２１２が平面である場合は、平面に平行であることであり、第１３の面部２１２が平面ではない場合は、その延びる方向が平面の延びる方向に一致することである。
【０４６３】
第２３の面部２６２は、第２２の面部２６１の比表面積よりも大きな比表面積を有している。第２３の面部２６２の比表面積は、第２２の面部２６１の比表面積の１．５倍以上の大きさを有している。第２３の面部２６２は、その比表面積が第２２の面部２６１の比表面積より大きくなるように、例えば、複数の凹部２６５を有している。凹部２６５は、第５の溝部２３０の凹部２３５と同様に形成されている。第２３の面部２６２の比表面積は、第１４の領域Ｒ１４に形成された第１の突出部２００の第１１の面部２０２の比表面積より小さい。
【０４６４】
このように形成された第４の突出部２６０は、その幅が第５の溝部２３０の幅と同様に形成され、高さが第５の溝部２３０の深さと同様の長さを有している。具体的には、第４の突出部２６０は、第５の方向Ｖ５に並ぶ２つの第４の突出部２６０の頂部２６７と頂部２６７との間の、第５の方向Ｖ５に沿う長さＸ１が、一例として５μｍ以上５０μｍ以下の長さに設定され、高さＨ１が一例として１μｍ以上５０μｍ以下の高さに設定されている。なお、第４の突出部２６０の頂部２６７は、第２２の面部２６１と第２３の面部２６２との交線となる部分である。高さＨ１は、反射層８０は含まず、第３の平面部２６３から頂部２６７までの、厚み方向Ｄに沿う高さである。本実施形態では、一例として、第５の方向Ｖ５に並ぶ２つの第４の突出部２６０の頂部２６７と頂部２６７との間の間隔となる長さＸ１が２０μｍであり、高さＨ１が１０μｍである。
【０４６５】
なお、第５の方向Ｖ５に隣り合う２つの第４の突出部２６０は、第５の方向Ｖ５に、長さＸ２を有して配置されている。長さＸ２は、一定であってもよいし、または、一定でなくてもよい。本実施形態では、長さＸ２は、全て一定の値である。長さＸ１は、長さＸ２を含む。
【０４６６】
第５の方向Ｖ５に並ぶ２つの第４の突出部２６０の頂部２６７と頂部２６７との間の長さＸ１を５μｍ未満とすると、透過観察の際に回折光が射出される為、表示体３０全体が虹色に表示され、領域毎に図柄を表示できなくなる。さらに、第５の方向Ｖ５に並ぶ２つの第４の突出部２６０の頂部２６７と頂部２６７との間長さＸ１を５０μｍより大きくすると、第４の突出部２６０が、観察者に肉眼で認識される虞がある。この為、頂部２６７と頂部２６７との間の長さＸ１は、上述のように、５μｍ以上５０μｍ以下の長さに設定されている。
【０４６７】
第４の突出部２６０の高さＨ１を１μｍ未満とすると、第４の突出部２６０においてを光が透可能な部分、すなわち第２３の面部２６２及び第２４の面部２６４の面積が小さくなり、それゆえ十分に光が透過できず、観察者による透過観察が困難になる。さらに、第４の突出部２６０の高さＨ１を５０μｍより大きくすると、光透過層４０の厚みを厚くする必要がある。光透過層４０の厚みが厚くなることにより、表示体３０Ｆの厚みが厚くなる。表示体３０Ｆの厚みが厚くなることにより、表示体３０Ｆの表面と紙幣本体２０の表面との間の段差が大きくなる。段差が大きくなると、表示体３０Ｆが引っかかることが多くなり、または、見栄えが悪くなる。この為、第４の突出部２６０の高さＨ１は、１μｍ以上５０μｍ以下の長さに設定されている。
【０４６８】
本実施形態では、第４の突出部２６０は、さらに、アスペクト比が１．５以下の範囲に形成されている。本実施形態では、一例として、第４の突出部２６０は、第１の実施形態の変形例として図２５で説明された第１の突出部２００と同様に、アスペクト比が０．５以上１．５以下の範囲となるように形成されている。
【０４６９】
なお、ここで言うアスペクト比は、第２４の面部２６４の縁から第２３の面部２６２の縁までの長さＸ３に対する第４の突出部２６０の高さＨ１の割合であり、Ｄ１／Ｘ３で表される。第４の突出部２６０のアスペクト比を０．５以上とすることにより、第１の溝部５０を透過する光を十分なものとすることができる。ここで言う、十分なものとは、観察者が観察するに十分であるということである。さらに、アスペクト比を１．５以下とすることにより、第４の突出部２６０の形成のしやすさを確保できる。
【０４７０】
第１５の領域Ｒ１５に形成された第４の突出部２６０では、第２２の面部２６１及び第３の平面部２６３に、反射することを目的とした反射層８０が積層されている。第２２の面部２６１及び第３の平面部２６３に積層された反射層８０の厚みは、例えば、１０パーセント以下の光のみ透過可能な、すなわち透過率が１０パーセント以下となる厚みを有している。第２３の面部２６２には、透過観察可能な反射層８０が積層されている。第２３の面部２６２に積層された反射層８０は、２０パーセント以上の光を透過可能な、すなわち透過率が２０パーセント以上となる厚みを有している。第２３の面部２６２に積層された反射層８０の厚みは、第２２の面部２６１に積層された反射層８０の厚みよりも薄い。
【０４７１】
第２３の面部２６２を透過した光、または、第２４の面部２６４を透過した光により、第１３の図柄Ｇ１３が表示される。
【０４７２】
第１６の領域Ｒ１６に形成された複数の第３の突出部２２０は、全て同じ形状である。図５１では説明の為、２つの第３の突出部２２０が、誇張して大きく描かれている。しかしながら、第３の突出部２２０は、実際には小さいものであり、かつ、２つ以上の多数が形成されている。第３の突出部２２０は、その外面の全域に、反射を目的とした反射層８０が積層されている。第３の領域Ｒ３に形成された第３の溝部７０に積層された反射層８０で反射した光により、第１４の図柄Ｇ１４が表示される。第３の溝部７０は、第１の方向Ｖ１に平行に延びている。また、第３の溝部７０の長手方向両端は、第１６の領域Ｒ１６の外郭線まで延びている。
【０４７３】
第３の突出部２２０の第１４の面部２２１は、第１７の領域Ｒ１７の平面の延長面との間の角度が鈍角となる平面である。第１６の領域Ｒ１６に形成された第３の突出部２２０は、その全面に、照射された光の１０％以下のみ透過する反射層８０が積層されている。第１６の領域Ｒ１６に形成された複数の第３の突出部２２０は、その幅方向に複数隣接して配置されている。隣接する第３の突出部２２０は、互いに連続して形成されている。または、隣接する第３の突出部２２０は、離れて配置されてもよい。
【０４７４】
このように構成された表示体３０Ｆは、第１４の領域Ｒ１４の第１の突出部２００の面部となる第１１の面部２０２の比表面積、第１５の領域Ｒ１５の第４の突出部２６０の面部となる第２３の面部２６２の比表面積、及び、第１６の領域Ｒ１６の第３の突出部２２０の面部となる第１５の面部２２２の比表面積は、異なることにより、条件１を満たしている。さらに、第２３の面部２６２に積層された反射層８０の厚みが、第１５の面部２２２に積層された反射層８０の厚みとことなることにより、条件２を満たしている。この為、表示体３０Ｆでは、第１４の領域Ｒ１４に形成された第１の突出部２００は、光に対して、第１の実施形態で説明された第１の領域Ｒ１に形成された第１の溝部５０と同様に作用する。第１５の領域Ｒ１５に形成された複数の第４の突出部２６０は、光に対して、第３の実施形態で説明された第１６の領域Ｒ１６に形成された第６の溝部２４０と同様に作用する。第１６の領域Ｒ１６に形成された複数の第３の突出部２２０は、光に対して、第１の実施形態で説明された第３の領域Ｒ３に形成された第３の溝部７０と同様に作用する。
【０４７５】
また、第３の実施形態及び第４の実施形態では、界面４２，４２Ａは、少なくとも１つの領域に第１の形状を有する溝出部が形成され、残りの少なくとも１つの領域に第２の形状を有する突出部が形成され、残りの少なくとも１つの領域に、第１の形状または第２の形状を有する突出部と溝部とが形成されてもよい。図５２は、その一例である、表示体３０Ｂの変形例となる表示体３０Ｇを示している。表示体３０Ｇでは、第１４の領域Ｒ１４に、表示体３０と同様に第１の溝部５０が複数形成されている。この第１の溝部５０には、第１の実施形態と同様に、第１の面部５１に、反射光により図柄を表示可能であり、反射観察により当該図柄を観察者が観察可能となる反射層８０が積層されている。第２の面部５２には、透過観察により図柄を表示可能な厚みを有する反射層８０が積層されている。
【０４７６】
第１５の領域Ｒ１５には、表示体３０Ｆと同様に、第４の突出部２６０が複数形成されている。この第４の突出部２６０には、表示体３０Ｆと同様に、第２２の面部２６１に、反射光により図柄を表示可能であり、反射観察により当該図柄を観察者が観察可能となる反射層８０が積層されている。第２３の面部２６２には、透過観察により図柄を表示可能となる厚みの反射層８０が積層されている。表示体３０Ｆでは、第１５の領域Ｒ１５に形成された第４の突出部２６０の第２３の面部２６２の比表面積は、第１４の領域Ｒ１４に形成された第１の溝部５０の第２の面部５２の比表面積より小さい。第２３の面部２６２に積層された反射層８０の厚みは、第２の面部５２に積層された反射層８０の厚みよりも薄い。
【０４７７】
第１６の領域Ｒ１６には、表示体３０Ｄと同様の第５の溝部２３０、及び、表示体３０Ｆと同様の第４の突出部２６０が形成されている。なお、表示体１０Ｇの第１６の領域Ｒ１６に形成された第４の突出部２６０では、第２３の面部２６２には、反射層８０は積層されていない。第５の溝部２３０は、複数形成されている。第４の突出部２６０は、複数形成されている。第５の溝部２３０及び第４の突出部２６０は、第５の方向Ｖ５に交互に並んで配置されている。これら複数の第５の溝部２３０の第１６の面部２３１、及び、これら複数の第４の突出部２６０の第２２の面部２６１には、反射光により図柄を表示可能であり、反射観察により当該図柄を観察者が観察可能となる反射層８０が積層されている。第１７の面部２３２、第１８の面部２３４、第２３の面部２６２、及び、第２４の面部２６４には、反射層８０は積層されていない。
【０４７８】
このように構成された表示体３０Ｇは、透過観察した場合、及び、反射観察した場合に、表示体３０Ｆと同様の図柄を表示する。
【０４７９】
なお、第２の形状を有する突出部が形成される例として、表示体３０Ｄの変形例となる表示体３０Ｆ、３０Ｇを用いて説明した。他の例として、第４の実施形態で説明された表示体３０Ｅにおいても、表示体３０Ｆ，３０Ｇと同様に、第２の形状を有する突出部が形成されてもよい。
【０４８０】
具体的には、領域Ｒ５、Ｒ６、Ｒ７では、第２の溝部６０に代えて、第４の突出部２６０が複数形成されてもよい。なお、第４の突出部２６０とは異なる形状であり、第２の形状を有する突出部が形成されてもよい。または、領域Ｒ５，Ｒ６，Ｒ７では、表示体３０Ｇの第１６の領域Ｒ１６のように、複数の第５の溝部２３０及び複数の第４の突出部２６０が形成されてもよい。なお、第４の突出部２６０とは異なる形状であり、第２の形状を有する突出部が形成されてもよい。
【０４８１】
領域Ｒ８，Ｒ９，Ｒ１０では、第１の溝部５０に代えて、第４の突出部２６０が形成されてもよい。なお、第４の突出部２６０とは異なる形状であり、第２の形状を有する突出部が形成されてもよい。または、表示体３０Ｇの第１６の領域Ｒ１６のように、領域Ｒ８，Ｒ９，Ｒ１０では、複数の第５の溝部２３０、及び、複数の第４の突出部２６０が形成されてもよい。なお、第４の突出部２６０とは異なる形状であり、第２の形状を有する突出部が形成されてもよい。
【０４８２】
第１１の領域Ｒ１１では、第１の溝部５０に代えて、第４の突出部２６０が複数形成されてもよい。なお、第４の突出部２６０とは異なる形状であり、第２の形状を有する突出部が形成されてもよい。または、第１１の領域Ｒ１１では、表示体３０Ｇの第１６の領域Ｒ１６のように、複数の第１の溝部５０、及び、複数の第１の突出部２００が形成されてもよい。なお、第４の突出部２６０とは異なる形状であり、第２の形状を有する突出部が形成されてもよい。
【０４８３】
第１２の領域Ｒ１２では、第４の溝部１２０に代えて、第４の突出部２６０と相似または略相似の形状であり、かつ、その高さが第４の突出部２６０の高さよりも高い突出部が形成されてもよい。この突出部は、光に対して、第４の突出部２６０と同様の作用を有する。なお、第４の突出部２６０とは異なる形状であり、第２の形状を有する突出部が形成されてもよい。または、第１２の領域Ｒ１２では、複数の第４の溝部１２０、及び、光に対して第４の溝部１２０と同様の作用を有する上述の突出部が複数形成されてもよい。
【０４８４】
なお、第３の実施形態、及び、第４の実施形態では、第１の溝部５０の第２の面部５２、及び、第５の溝部２３０の第１７の面部２３２は、反射層８０が積層されていないがこれに限定されない。他の例としては、薄膜の反射層８０が積層されてもよい。ここで言う薄膜とは、光を十分反射可能な厚みであり、第１の面部５１に積層された反射層８０や第３の面部６１に積層された反射層８０のように、光を反射することを主目的とする反射層８０の厚みよりも薄いものを言う。光を反射することを主目的とする反射層８０の光透過率が１０％以下であることに対して、光を透過することを目的とする面部に積層される反射層８０は、入射した光の２０％以上の光を透過可能な厚みを有することが好ましい。
【０４８５】
なお、第３の実施形態、及び、第４の実施形態では、第５の溝部２３０の第１７の面部２３２及び第１８の面部２３４の比表面積を、第１６の面部２３１の比表面積の１．５倍以上としている。これは、比表面積を１．５倍以上とすることにより、真空蒸着方法により第１６の面部２３１に十分な厚みの反射層８０を積層させ、かつ、第１７の面部２３２及び第１８の面部２３４に十分な厚みの反射層８０を積層させると、第１７の面部２３２及び第１８の面部２３４には第１６の面部２３１に積層された反射層８０の０．６７倍以下の厚みの反射層８０が積層されることとなる為である。この厚みの反射層８０は、光の透過率が２０％以下となる。
【０４８６】
つまり、真空蒸着方法により第１７の面部２３２及び第１８の面部２３４に反射層８０が積層されても、この反射層８０の厚みを、使用に不具合の生じない厚みに抑えることができるので、第１７の面部２３２、及び、第１８の面部２３４から反射層８０を除去する作業をしなくてもよい。
【０４８７】
なお、第３の実施形態、及び、第４の実施形態では、一例として、第１７の面部２３２及び第１８の面部２３４に積層された反射層８０を除去しているが、これに限定されない。例えば、透過光により図柄を表示可能とし、透過観察により観察者に図柄を認識可能とする厚みを有する反射層８０が積層されてもよい。
【０４８８】
または、第３の実施形態、及び、第４の実施形態では、第５の溝部２３０の第１７の面部２３２及び第１８の面部２３４には、透過観察において画像の濃さ（光の強度）を調整する為に、観察者により画像を認識できる光を透過可能な反射層８０が形成されてもよい。このように、第１７の面部２３２及び第１８の面部２３４に反射層８０が積層されることにより、透過観察により観察される画像は、輝度が低下する為、反射観察により観察される画像よりも薄くなる。
【０４８９】
または、２つ以上の領域に、第２の形状を有する溝部または突出部が形成される場合では、第２の形状を有する溝部または突出部が形成された領域ごとに、第２の傾斜部及び側面部に反射層を積層するとともに反射層の厚みを変えることにより、第２の実施形態で説明されたように、透過観察において所望の濃淡を表現してもよい。
【０４９０】
また、第４の実施形態では、第５の領域Ｒ５乃至第１２の領域Ｒ１２に形成された溝部のうち、第１２の領域Ｒ１２に形成された溝部である第５の溝部２３０のみ、その深さが他の領域に形成された溝部の深さとは異なる。例えば、界面４２Ａに形成された複数の領域の少なくとも１つに第２の形状を有する溝部が形成され、残りの領域の少なくとも１つに第１の形状を有する溝部が形成され、さらに、各領域に形成された溝部の深さが異なっていてもよい。このように各領域に形成された溝部の深さが異なることにより、領域毎に溝部の光透過量が異なることとなる。このように、領域毎に光透過量が異なることにより、透過観察により認識される図柄の濃淡も異なるものとなる。さらに、各領域に形成される溝部の深さは、領域毎に異なる深さとしつつ、かつ、透過観察により認識される図柄を所望の明るさとなるように、設定されてもよい。
【０４９１】
図５３は、複数の領域の少なくとも１つに第２の形状を有する溝部が形成され、残りの領域の少なくとも１つに第１の形状を有する溝部が形成され、さらに、各領域に形成された溝部の深さが異なっていてもよい。ことの一例を示している。図５３は、第３の実施形態で説明された表示体３０Ｄの変形例である表示体３０Ｈを示している。図５３に示すように、第１５の領域Ｒ１５に形成された第５の溝部２３０の深さは、第１４の領域Ｒ１４に形成された第１の溝部５０の深さよりも深い。さらに、第１６の領域Ｒ１６には、複数の第５の溝部２３０が形成されており、これら第５の溝部２３０の深さは、第１５の領域Ｒ１５に形成された第５の溝部２３０の深さよりも深い。
【０４９２】
または、各領域に溝部のみ形成される場合では、第２の実施形態のように、複数の領域に少なくとも１つに形成された溝部の深さを、他の領域に形成された溝部の深さと異なる深さとしてもよい。
【０４９３】
同様に、複数の領域の少なくとも１つに第２の形状を有する突出部が形成され、残りの少なくとも１つに第１の形状を有する突出部が形成され、さらに、各領域の突出部の高さが異なっていてもよい。各領域に突出部が形成される場合では、突出部の高さは、領域毎に異なっていてもよい。さらに、各領域に形成される突出部の高さは、領域毎に異なることなる高さとしつつ、かつ、透過観察により認識される図柄を所望の明るさとなるように、設定されてもよい。
【０４９４】
図５４は、複数の領域の少なくとも１つに第２の形状を有する突出部が形成され、残りの少なくとも１つに第１の形状を有する突出部が形成され、さらに、各領域の突出部の高さが異なることの一例を示している。図５４は、表示体３０Ｄの変形例である表示体３０Ｉを示している。図５４に示すように、第１４の領域Ｒ１４には、複数の第１の突出部２００が形成されている。第１５の領域Ｒ１５には、複数の第４の突出部２６０が形成されている。第１５の領域Ｒ１５に形成された複数の第４の突出部２６０の高さは、第１４の領域Ｒ１４に形成された第１の突出部２００の高さよりも高い。第１６の領域Ｒ１６には、複数の第４の突出部２６０が形成されている。第１６の領域Ｒ１６に形成された第４の突出部２６０の高さは、第１５の領域Ｒ１５に形成された第４の突出部２６０よりも高い。
【０４９５】
または、各領域に突出部のみ形成される場合では、複数の領域の少なくとも１つに形成された突出部の高さを、他の領域に形成された突出部の高さと異なる高さとしてもよい。
【０４９６】
複数の領域のうち、少なくとも１つの領域に第１の形状を有する溝部または突出部が形成され、残りの領域の少なくとも１つに第２の形状を有する溝部または突出部が形成され、残りの領域のいずれか１つに第１の形状または第２の形状を有する突出部及び溝部が形成され、各領域の溝部の光透過層４０の厚み方向に沿う長さ（すなわち深さ）と、各領域の突出部の厚み方向Ｄに沿う長さ（すなわち高さ）とが異なっていてもよい図５５は、上述の変形例の一例を示している。図５５は、表示体３０Ｄの変形例である表示体３０Ｊを示している。図５５に示すように、表示体３０Ｊは、第１４の領域Ｒ１４には、複数の第１の溝部５０が形成されている。第１５の領域Ｒ１５には、複数の第４の突出部２６０が形成されている。第１５の領域Ｒ１５に形成された第４の突出部２６０の高さ２は、第１の領域Ｒ１に形成された第１の溝部５０の深さＳ１よりも長い。第１６の領域Ｒ１６には、複数の第５の溝部２３０及び複数の第４の突出部２６０が形成されている。第１６の領域Ｒ１６に形成された第５の溝部２３０の深さＳ３、及び第１６の領域Ｒ１６に形成された第４の突出部２６０の高さＳ３は、互いに同じであり、かつ、深さＳ３及び高さＳ３は、第１５の領域Ｒ１５に形成された第４の突出部２６０の高さＳ２よりも長い。
【０４９７】
または、溝部が形成される領域、及び突出部が形成される領域を有する場合では、複数の領域の少なくとも１つに形成された溝部または突出部の深さまたは高さが、他の領域に形成された溝部または突出部の深さまたは高さと異なるものとしてもよい。
【０４９８】
または、複数の領域の全てに、第２の形状を有する溝部が形成されてもよい。この場合、溝部の深さは、全ての領域で同じでもよいし、少なくとも１つの異なっていてもよいし、全て異なっていてもよい。または、複数の領域のすべてに、第２の形状を有する突出部が形成されてもよい。この場合、突出部の高さは、全ての領域で同じでもよいし、少なくとも１つの領域のみ異なっていてもよし、全て異なっていてもよい。
【０４９９】
また、第１の実施形態乃至第４の実施形態では、本体部２３及び光透過部２４には、印刷層が形成されてもよい。この印刷層に表示体が積層されてもよい。また、第１の実施形態乃至第４の実施形態では、表示体は、矩形状に形成されたがこれに限定されない。表示体は、平面視で、例えば、円形または楕円形に形成されてもよい。また、表示体は、紙幣本体２０の長手方向一端から他端まで延びる帯状、または、紙幣本体２０の短手方向一端から他端まで延びる帯状に形成されてもよい。
【０５００】
なお、図１乃至図２９を用いて説明した第１の実施形態、第２の実施形態、及び各種変形例でしめされた溝部または突出部は、本発明で言う第１の形状を有する溝部または突出部の一例である。
【０５０１】
また、第１の実施形態、第２の実施形態、第３の実施形態、及び、各種変形例では、複数の領域の全てに形成された溝部または突出部の傾斜面部の、光透過層の厚み方向に対する傾斜角度は、同じであってもよい。
【０５０２】
また、第１の実施形態、第２の実施形態、第４の実施形態、及び、各種の変形例で示した溝部または突出部は、第３の実施形態の図３７及び図３８で説明したように、２つの互いに直交する２方向に沿って、マトリクス状に配置されてもよい。
【０５０３】
また、第１の実施形態、第２の実施形態、第３の実施形態、第４の実施形態、及び、各種変形例では、光透過層４０または光透過層４０Ａは、表面強度、溝部または突出部の形成しやすさなどを考慮して、２層以上有していてもよい。また、金属材料により光透過層を形成した場合では、金属材料に特有の金属光沢色を他の色に変える為に、この金属材料に染料や顔料等の色を形成する材料を混ぜ、この色の材料により、特定の光を吸収させてもよい。
【０５０４】
また、第１の実施形態、第２の実施形態、第３の実施形態、第４の実施形態、及び、各種変形例では、反射層８０は、単層であったが、これに限定されない。他の例では、反射層は、２層以上の多層に形成されてもよい。
【０５０５】
また、第１の実施形態、第２の実施形態、第３の実施形態、第４の実施形態、及び、各種変形例では、表示体３０乃至３０Ｊを紙幣本体２０に固定する接着層９０は、光透過層４０，４０Ａの、溝部または突出部が形成される主面側に設けられた。しかしながら、これに限定されない。他の例では、表示体を紙幣本体等の被固定部材に固定する接着層は、光透過層において溝部または突出部が形成される主面に対して反対側の主面に設けられてもよい。
【０５０６】
また、第１の実施形態、第２の実施形態、第３の実施形態、第４の実施形態、及び、各種変形例では、第１の溝部５０及び第５の溝部２３０では、面部となる第２の面部５２及び第１７の面部２３２、並びに、第５の溝部２３０の第１８の面部２３４を、厚み方向Ｄ及び第１の方向Ｖ１に平行な平面に沿う面部に形成している。
【０５０７】
そして、図９乃至図１１、並びに、図３９及び図４０を用いて説明した反射層８０の製造方法では、蒸着材料１０１が気化または昇華したものの直進性により、第２の面部５２、第１７の面部２３２、及び、第１８の面部２３４に気化または昇華した蒸着材料が付着しにくいとした。しかしながら、この効果は、本発明の面部となる面部及び側面が厚み方向Ｄに沿う面に形成されることのみ限定されない。例えば、面部または側面部の、厚み方向Ｄに対する傾斜角度が、０度以上２０度以下の範囲であれば、気化または昇華した蒸着材料は、面部には付着しにくい。これは、溝部だけではなく、突出部であっても同様である。
【０５０８】
第２の面部５２、第１７の面部２３２、及び、第１８の面部２３４の、厚み方向Ｄに対する傾斜角度が０度以上２０度以下の範囲であれば、これら面部５２，２３２，２３４に反射層８０が積層されても、表示体の表面に垂直に入射した光による反射観察の際に、面部５２，２３２，２３４に積層された反射層８０による反射光を観察することは難しい。
【０５０９】
また、第３の実施形態及び第４の実施形態においても、第５の溝部２３０の第１７の面部２３２及び第１８の面部２３４に積層された反射層８０の厚みを調整することにより、第２の実施形態の図２３乃至図２４を用いて説明したように、第１７の面部２３２及び第１８の面部２３４を透過する光の強度を調整できる。一例としては、第１７の面部２３２及び第１８の面部２３４に形成された凹部２３５及び凸部２３６の形状を調整することにより、すなわち、比表面積を調整することにより、反射層８０の厚みを調整できる。
【０５１０】
そして、濃淡を２５５階調のグレースケールで表現し、この２５５階調のグレースケールを、比表面積に対応させる。具体的には、比表面積の最大値を、階調数２５５に対応させる。比表面積の最大値は、面部の製造方法などにより得ることが可能である。
【０５１１】
例えば、第１７の面部２３２及び第１８の面部２３４の比表面積を１以上１０以下にできる場合、最大値が１０となる。この為、階調数２５５を比表面積１０に対応させる。そして、階調数０を比表面積１に対応される。そして、比表面積の１より大きく１０より小さい範囲を会長数０より大きく２５５より小さい範囲に対応させる。
【０５１２】
このように、第１７の面部２３２及び第１８の面部２３４の比表面積を、透過観察により視認される画像の所望の濃淡に応じて設定することにより、透過観察により視認される画像に所望の濃淡を付すことができる。
【０５１３】
なお、第１実施形態乃至第４の実施形態、並びに、各変形例では、表示体３０乃至表示体３０Ｊは、紙幣本体２０に設けられている。すなわち、表示体は、紙を基材としている。しかしながら、表示体が固定される基材は、紙に限定されない。他の例では、基材は、プラスチック板やプラスチックフィルムから形成されたシートであってもよい。
【０５１４】
また、第１の実施形態乃至第４の実施形態、並びに、各変形例では、物品１０乃至１０Ｂは、一例として、紙幣が用いられた。紙幣は、情報印刷物の一例である。しかしながら、これに限定されない。表示体が設けられる物品の他の例では、紙幣以外の情報印刷物であってもよい。この例としては、プラスチック板を基材とするクレジットカードやＩＤカードがある。これらのように、プラスチック板を基材とする情報印刷物の場合、基材の反り返りを防止する反り返り防止層や、印刷のインクの密着性を高めるインク密着層が設けられてもよい。さらに、基材に磁気フィルム層が設けられてもよい。または、第１実施形態乃至第４の実施形態、並びに、各変形例のように、基材が紙である場合は、必要に応じて、様々な機能を有する層が形成されてもよい。
【０５１５】
また、第１の実施形態乃至第３の実施形態では、溝部または突出部の延びる方向が異なることにより、条件４が満たされた。第４の実施形態では、溝部または突出部の傾斜面部の透過層４０の厚み方向Ｄに対する傾斜角度が異なることにより、条件４が満たされた。このように、条件４は、一例として、傾斜面部の、透過層４０の厚み方向に対する傾斜角度が同じであっても、溝部または突出部の延びる方向が異なることにより達成される。他の例では、条件４は、溝部または突出部の延びる方向が同じであっても、傾斜面部の透過層４０の厚み方向Ｄに対する傾斜角度が異なることにより、達成される。
【０５１６】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【符号の説明】
【０５１７】
１０…物品、１０Ａ…物品、１０Ｂ…物品、４０…光透過層、４０Ａ…光透過層、４２…界面、５０…第１の溝部、５１…第１の面部（傾斜面部）、５２…第２の面部（面部）、５３…凹部、５４…凸部、６０…第２の溝部、６１…第３の面部（傾斜面部）、６２…第４の面部（面部）、６３…凹部、６４…凸部、７０…第３の溝部、７１…第５の面部（傾斜面部）、７２…第６の面部（面部）、７３…凹部、７４…凸部、８０…反射層、１２０…第４の溝部、２００…第１の突出部、２０１…第１０の面部（傾斜面部）、２０２…第１１の面部（面部）、２１０…第２の突出部、２１１…第１２の面部（傾斜面部）、２１２…第１３の面部（面部）、２２０…第３の突出部、２３０…第５の溝部、２３１…第１６の面部（傾斜面部）、２３２…第１７の面部（面部）、２３３…第１の平面部（平面部）、２３４…第１８の面部（側面部）、２４０…第６の溝部、２４１…第１９の面部（傾斜面部）、２４２…第２０の面部（面部）、２４３…第２の平面部（平面部）、２４４…第２１の面部（側面部）、２６０…第４の突出部、Ｒ１…第１の領域、Ｒ２…第２の領域、Ｒ３…第３の領域、Ｒ４…第４の領域、Ｒ５…第５の領域、Ｒ６…第６の領域、Ｒ７…第７の領域、Ｒ８…第８の領域、Ｒ９…第９の領域、Ｒ１０…第１０の領域、Ｒ１１…第１１の領域、Ｒ１２…第１２の領域、Ｒ１４…第１４の領域、Ｒ１５…第１５の領域、Ｒ１６…第１６の領域、Ｄ…厚み方向。
【図１】
2018032015.tif 000003
【図２】
2018032015.tif 000004
【図３】
2018032015.tif 000005
【図４】
2018032015.tif 000006
【図５】
2018032015.tif 000007
【図６Ａ】
2018032015.tif 000008
【図６Ｂ】
2018032015.tif 000009
【図６Ｃ】
2018032015.tif 000010
【図６Ｄ】
2018032015.tif 000011
【図７】
2018032015.tif 000012
【図８Ａ】
2018032015.tif 000013
【図８Ｂ】
2018032015.tif 000014
【図９】
2018032015.tif 000015
【図１０】
2018032015.tif 000016
【図１１】
2018032015.tif 000017
【図１２】
2018032015.tif 000018
【図１３】
2018032015.tif 000019
【図１４】
2018032015.tif 000020
【図１５】
2018032015.tif 000021
【図１６】
2018032015.tif 000022
【図１７】
2018032015.tif 000023
【図１８】
2018032015.tif 000024
【図１９】
2018032015.tif 000025
【図２０】
2018032015.tif 000026
【図２１】
2018032015.tif 000027
【図２２】
2018032015.tif 000028
【図２３】
2018032015.tif 000029
【図２４】
2018032015.tif 000030
【図２５】
2018032015.tif 000031
【図２６】
2018032015.tif 000032
【図２７】
2018032015.tif 000033
【図２８】
2018032015.tif 000034
【図２９】
2018032015.tif 000035
【図３０】
2018032015.tif 000036
【図３１】
2018032015.tif 000037
【図３２】
2018032015.tif 000038
【図３３】
2018032015.tif 000039
【図３４】
2018032015.tif 000040
【図３５】
2018032015.tif 000041
【図３６】
2018032015.tif 000042
【図３７】
2018032015.tif 000043
【図３８】
2018032015.tif 000044
【図３９】
2018032015.tif 000045
【図４０】
2018032015.tif 000046
【図４１】
2018032015.tif 000047
【図４２】
2018032015.tif 000048
【図４３】
2018032015.tif 000049
【図４４】
2018032015.tif 000050
【図４５】
2018032015.tif 000051
【図４６】
2018032015.tif 000052
【図４７】
2018032015.tif 000053
【図４８】
2018032015.tif 000054
【図４９】
2018032015.tif 000055
【図５０】
2018032015.tif 000056
【図５０Ａ】
2018032015.tif 000057
【図５１】
2018032015.tif 000058
【図５２】
2018032015.tif 000059
【図５３】
2018032015.tif 000060
【図５４】
2018032015.tif 000061
【図５５】
2018032015.tif 000062